(57)【要約】【課題】生ごみ等の有機廃棄物を攪拌して生ごみ等の有機廃棄物に対する酸素供給の均等化と、発酵による加熱された有機廃棄物の偏在を防止する攪拌手段を持つことなく、また、廃棄水等の汚水を生じさせることのなく廃棄物発酵処理が可能なこと。【解決手段】コンクリート製ハウジングＨｎの空気排出部３０ｎから所定の空気が排出され、ハウジングＨｎの大気圧以下の室内圧力を維持できるように、ハウジングＨｎの下面の空気供給部４０ｎから圧縮空気を噴出する。ハウジングＨｎの室内に供給された有機廃棄物及び好気性細菌を付着する有機材料は、加湿部６０ｎによってハウジングＨｎ室内に噴霧され、その水分によって好気性細菌が活性化される。好気性細菌によって有機廃棄物及び有機材料が活性化され、好気性細菌が糖、脂質を酸化してエネルギを出し、有機廃棄物及び有機材料が高温度となり、より活性化され、効率の良い発酵処理が可能となる。【選択図】図４
2020006325.tif 000002
【特許請求の範囲】
【請求項１】
室内と室外の空気流を遮断でき、前記室内温度を制御自在とした少なくとも３面以上がコンクリート製で形成されたハウジングと、
前記ハウジング上部から前記ハウジング内の空気を排出する空気排出部と、
前記空気排出部から排出される空気排出量が、前記ハウジング内の大気圧以下の圧力を維持できるように、前記空気排出部から排出された室内空気の一部を循環させ、前記ハウジングの下面から圧縮空気を前記室内に噴出させる空気供給部と、
前記ハウジング上部から前記ハウジング内に水を噴霧する加湿部と、
前記ハウジング下部に配置され、少なくとも乾燥状態で冬眠可能であり、また、前記ハウジング内に供給された有機廃棄物によって湿度が上昇すると活性化可能となる好気性細菌を付着する有機材料からなる細菌保持有機体と
を具備することを特徴とする有機廃棄物発酵処理装置。
【請求項２】
前記空気供給部は、前記空気排出部から排出される空気排出量が前記ハウジング内の圧力が大気圧以下を維持できるように、前記空気排出部から排出された空気を外部に排出し、同時に、前記空気排出部から排出された空気に、外部から必要量の新鮮空気を加えながら前記ハウジング内に供給することを特徴とする請求項１に記載の有機廃棄物発酵処理装置。
【請求項３】
前記ハウジング上部から前記ハウジング内の下面に向かって噴霧する加湿部は、前記ハウジングの下面に傾斜を付与して余剰水を収集し、その収集した余剰水に混ざり込んだ固形物や異物を取り除くフィルタを介して繰り返し再使用することを特徴とする請求項１または請求項２に記載の有機廃棄物発酵処理装置。
【請求項４】
前記ハウジング上部から前記ハウジング内の空気を排出する空気排出部は、排出した空気から異物を取り除き大気に放出することを特徴とする請求項１乃至請求項３の何れか１つに記載の有機廃棄物発酵処理装置。
【請求項５】
前記ハウジングの下面に傾斜を付与してなる余剰水の収集は、前記圧縮空気を噴出させる空気供給部を除く面を、所定角度の傾斜面とし、前記傾斜面の低部位置で収集することを特徴とする請求項３に記載の有機廃棄物発酵処理装置。
【請求項６】
前記ハウジングの下面に傾斜を付与してなる余剰水の収集は、前記圧縮空気を噴出させる空気供給部の風路を形成する下面を所定の傾斜面とし、前記傾斜面の低部位置で収集することを特徴とする請求項３に記載の有機廃棄物発酵処理装置。
【請求項７】
室内と室外の空気流を遮断でき、前記室内温度を制御自在とした少なくとも３面以上がコンクリート製で形成されたハウジングの下面から圧縮空気を噴出させ、前記ハウジング上部から前記ハウジング内の空気を排出して、前記室内空気の一部を用いて前記室内空気を循環させ、
また、前記ハウジング下部に配置された好気性細菌が少なくとも冬眠可能であり、そして、前記ハウジング内に供給された有機廃棄物によって活性化可能となる好気性細菌を付着する有機材料からなる細菌保持有機体に、前記ハウジング上部の加湿部から必要量の水を噴霧することを特徴とする有機廃棄物発酵処理方法。
【請求項８】
前記ハウジングの下面からの圧縮空気の噴出は、前記空気排出部から排出される空気排出量が前記ハウジング内が大気圧以下の圧力を維持できるように、前記空気排出部から排出された空気を外部に排出し、同時に、前記空気排出部から排出された空気に、外部から必要量の新鮮空気を加えながら前記ハウジング内に供給することを特徴とする請求項７に記載の有機廃棄物発酵処理方法。
【請求項９】
前記ハウジング上部から前記ハウジング内の下面に向かって噴霧する水は、前記ハウジングの下面に傾斜を付与して余剰水を収集し、その収集した余剰水に混ざり込んだ固形物や異物を取り除くフィルタを介して再利用することを特徴とする請求項７または請求項８に記載の有機廃棄物発酵処理方法。
【請求項１０】
前記ハウジング上部からの空気の排出は、排出した空気をガス洗浄及びバイオフィルタを介して異物を取り除き大気に放出することを特徴とする請求項７乃至請求項９の何れか１つに記載の有機廃棄物発酵処理方法。
【請求項１１】
前記ハウジングの下面に傾斜を付与してなる余剰水の収集は、前記圧縮空気を噴出させる空気供給部を除く面を、所定角度の傾斜面とし、前記傾斜面の低部位置で収集することを特徴とする請求項９に記載の有機廃棄物発酵処理方法。
【請求項１２】
前記ハウジングの下面に傾斜を付与してなる余剰水の収集は、前記圧縮空気を噴出させる空気供給部の風路を形成する下面を所定の傾斜面とし、前記傾斜面の低部位置で収集することを特徴とする請求項９に記載の有機廃棄物発酵処理方法。
【発明の詳細な説明】
【技術分野】
【０００１】
本発明は、家庭、レストラン、料亭、ホテル、スーパーマーケット等で発生する生ごみ等の有機廃棄物を好気性細菌処理によってコンポスト化（堆肥化）する有機廃棄物発酵処理装置及びその処理方法に関するものである。
【背景技術】
【０００２】
家庭、レストラン、料亭、ホテル、スーパーマーケット等の飲食物提供を行なう産業、学校、その他の事業所から排出される生活ごみ等の多くは自治体により指定された方法で数種類に分別収集され、生野菜、果実、肉類、その他の生ごみ等の有機廃棄物は、焼却処分場において可燃物として他の可燃ごみと一緒に焼却処分されている。
しかし、現在では、環境負荷の観点から生ごみを資源として再利用することにより少しでも焼却量を減少させる努力がなされ、例えば、生ごみを発酵熟成させて堆肥化し、有機肥料として使用する方法が一般化傾向にある。しかしながら、家庭での小規模なコンポスト化では大量処理が困難であり、また、２４時間常時加熱ヒータを運転させて温度管理する微生物分解手法等を用いた生ごみの処理方法では採算性が取れない。
【０００３】
そこで、特許文献１では、室内を外気と遮断させるように密閉させた発酵舎と、発酵舎内に設置された生ごみが投入される発酵槽と、発酵槽内の生ごみを攪拌する攪拌手段と、発酵槽内に酸素供給を行なって生ごみの好気性発酵を促進させる空気供給管と、発酵舎に設けられた外気取り込み用の通気手段と、発酵舎の室内空気を吸引して発酵舎の外部に排出させる吸引手段と、吸引手段により排気された発酵舎内空気の脱臭手段とを備え、空気供給管に接続され、かつ、発酵舎内に設置されて発酵舎内の空気を発酵槽内の生ごみに向けて還気させる空気ブロワーを具備し、常時発酵舎内を負圧に保持させ、生ごみの発酵を促進させる生ごみの処理システムを紹介している。
即ち、当該構成によって、毎日排出される多量の生ごみを受け入れて、簡単な処理設備であっても確実に処理させ、焼却処分する生ごみの量を大幅に減少させて設備、人件コスト等の焼却設備に関連する経費を大幅に削減させ、生ごみを効果的に肥料化させて再資源として有効利用させ得る生ごみの処理システムを開示している。
【０００４】
また、特許文献２では、発酵槽内部を、上部に空間を有する複数の区画に区切り、全ての区画を貫通して水平方向に延びる回転軸を設けてそれに撹拌腕を固定し、一方の端の区画に有機廃棄物の投入口を設け、他方の端の区画に生成したコンポストの排出口を設けたものにおいて、前記発酵槽内部の上部空間を各区画毎に閉じる可動扉と該可動扉開閉制御手段とを設け、該可動扉開閉制御手段の前記コンポスト排出口を有する側の区画から順次前段の区画に向かって開閉動作が行われ、後段の扉が閉鎖されてから前段の扉が開くように構成し、有機廃棄物の短絡を抑制し、槽内での滞留時間を確保することができ、分解率が高く、かつ、乾燥顆粒状で扱いやすい上質のコンポストを得ることができる。
【先行技術文献】
【特許文献】
【０００５】
【特許文献１】特開２００２−３１６１２９
【特許文献２】特開平１０−１１８６２４号公報
【発明の概要】
【発明が解決しようとする課題】
【０００６】
このように、特許文献１は、発酵槽の生ごみ投入部に投入された生ごみを攪拌して下部に堆積した生ごみ等を攪拌し、生ごみに対する酸素供給の均等化と、発酵による加熱された生ごみの偏在を防止し、発酵の分布を均一に行なわせるための攪拌手段を設けている。この攪拌手段は、機枠の一端側に設置された駆動モータと、機枠において発酵槽の幅方向に適宜の間隔を置いて架設され、回転自在に設けた複数の攪拌羽根を配置させた羽根軸とを備え、機枠に支持された転動輪をレール上に転動自在に乗架させると共に、駆動モータとこれらのうち１個の転動輪をチェーン連結させ、羽根軸と駆動モータのスプロケットともチェーンによって連結させ、これによって攪拌羽根をパドル状に回転駆動させながら攪拌装置をレールに沿って移動させ、発酵槽内の生ごみを攪拌させている。
したがって、攪拌羽根を回転駆動する駆動モータに大きなエネルギを使用し、有機廃棄物発酵処理装置及びその処理方法として使用するエネルギコストが高額になるという問題があった。
【０００７】
また、特許文献２においては、発酵槽の中心部には、区画α及び区画βを貫通して回転軸が配設されており、回転軸には、複数の撹拌腕が取り付けられている。回転軸は、一端が駆動手段に接続されている。発酵槽の底部外壁には、ヒータが配設されており、発酵槽内は有機廃棄物が発酵するのに適した温度に保持されている。
発酵槽内の気体は、気体取り入れ管、熱交換装置、連結管、気体循環器、気体戻し管を循環系として、循環する構成になっている。気体取り入れ管は発酵槽の区画αの側壁に、気体戻し管は発酵槽の区画βに接続している。発酵によって生じた気体（発酵ガス）中の水蒸気は、熱交換装置を通過する過程で冷却されて水（凝縮水）になり、ドレイン管から系外に排出される。水分除湿後の除湿気体は、連結管、気体戻し管を通って、発酵槽の区画β内に導入される。なお、循環系の途中に設けられた空気取り入れ口から、新鮮な空気を循環系内に吸い込むことにより、発酵槽内の発酵を効率的に進行させている。
したがって、特許文献２においても、回転軸を回転させる駆動手段が必要であり、有機廃棄物発酵処理装置及びその処理方法として使用するエネルギコストが高額になるという問題があった。
【０００８】
そこで、本発明は、生ごみ等の有機廃棄物を攪拌して生ごみ等の有機廃棄物に対する酸素供給の均等化と、発酵による加熱された有機廃棄物の偏在を防止する攪拌手段を持つことなく、また、廃棄水等の汚水を生じさせることなく廃棄物発酵処理が可能な有機廃棄物発酵処理装置及びその処理方法の提供を課題とするものである。
【課題を解決するための手段】
【０００９】
請求項１の発明にかかる有機廃棄物発酵処理装置は、室内と室外の空気流及び室温を遮断し、少なくとも３面以上がコンクリート製のハウジングと、前記ハウジング上部から前記ハウジングの室内の空気を排出する空気排出部と、前記ハウジングの下面から圧縮空気を噴出させる空気供給部と、前記ハウジング上部から前記ハウジングの室内に水を噴霧する加湿部と、前記ハウジングの室内の下部に配置され、好気性細菌が少なくとも冬眠（死滅しないが、活動もしてない状態）可能であり、また、前記ハウジングの室内に供給された有機廃棄物によって活性化可能となる好気性細菌を付着した有機材料からなる基体部を具備するものである。
【００１０】
ここで、上記ハウジングは、室内と室外の空気流を見掛け上の遮断ができ、少なくとも３面以上がコンクリート製で形成されたものであればよい。室内と室外との空気流の見掛け上の遮断とは、完全な遮断でなくとも、空気の漏れが生じていても、室内を室外よりも負圧にできればよい。また、少なくとも３面以上がコンクリート製で形成されたものとは、下面及び左右側面を形成した場合が３面となり、更に、そこに上面を形成した場合には４面となる。前記３面の場合には、例えば、上面をテント地等でカバーし、軽量化したものでもよい。そして、断熱については、室温を独自に制御可能なもの（外部から温度制御するものではない）であればよく、具体的には、室内温度が室外温度と一致しない程度に断熱効果が得られ、自己の発熱によって運転できるものであればよい。
特に、上記ハウジングの形態としては、両端が扉で開閉できるトンネル状として、両端の開口からの作業が同時進行できるように、作業効率を良くした形態の使用が好ましい。
また、上記空気排出部は、前記ハウジング上部から前記ハウジングの室内の空気を排出するものであり、前記ハウジングの上面に限られるものではなく、前記ハウジングの下面から供給される空気が新鮮な状態で、速やかに排出しないような上部位置であればよい。また、作業性に影響されない程度の位置であればよい。
【００１１】
そして、上記空気供給部は、前記ハウジングの下面から圧縮空気を噴出させるものであり、有機廃棄物の下部から空気が供給できる構造であればよい。特に、前記ハウジングの下面に空気供給部を設けることにより、空気流によって好気性細菌を付着する細菌保持有機体の見掛け上の重さを軽減し、その受ける浮力によって効率良く好気性細菌が活発に動作するように空気の補給が可能となる。
更に、上記加湿部は、前記ハウジング上部から前記ハウジングの室内に噴霧するものである。噴霧する水は、粒子が細かいのが好ましい。しかし、前記ハウジング上部から噴霧しているので、重力で前記ハウジングの有機廃棄物及び好気性細菌を付着する細菌保持有機体に水分が供給される構造となる。また、使用する水は、工業用水ではなく、繰り返し使用するものとしたときには、噴霧する水の粒子を工業用水程度に細かくすることはできなくなるが、直径１ｍｍ程度以上でも問題にはならない。
なお、ここでは、好気性細菌の使用を前提として説明してきたが、嫌気性細菌の付着が皆無であることを意味するものではなく、好気性細菌の働く環境を作ることを意味するものである。
【００１２】
請求項２の発明にかかる有機廃棄物発酵処理装置の前記ハウジングの下面から圧縮空気を噴出させる空気供給部は、前記空気排出部から排出される空気排出量が、常に、前記ハウジング内が大気圧以下の圧力を維持できるように、前記空気排出部から排出された空気を用いて前記室内空気を循環させる前記ハウジングの下面から圧縮空気を噴出させるものである。
ここで、ハウジングの室内の空気圧は、運転中は、常に、前記ハウジングの室内が大気圧以下の圧力を維持できるように、前記空気排出部から排出される前空気排出量に対して、外部に排出する排出量を外部から導入する新鮮空気量よりも多くし、その状態を維持するものである。
【００１３】
請求項３の発明にかかる有機廃棄物発酵処理装置の前記ハウジング上部から前記ハウジングの室内に向かって噴霧する加湿部は、前記ハウジングの一部の底面に傾斜を付与して余剰水を収集し、その収集した余剰水に混ざり込んだ固形物や異物を取り除き再利用するものである。
ここで、前記ハウジングの室内の下面に向かって噴霧する加湿部は、水を噴霧するものであり、その水滴の大きさは格別問われるものではない。しかし、有機廃棄物及び上部好気性細菌を付着する細菌保持有機体に水分を供給するものであるから、水滴は細かい方が望ましい。
【００１４】
請求項４の発明にかかる有機廃棄物発酵処理装置の前記ハウジングの上部から前記ハウジング内の空気を排出する空気排出部は、排出した空気から異物を取り除き大気に放出するものである。
ここで、上記空気排出部は、前記ハウジングから排出した空気は、その空気のガス洗浄及びバイオフィルタによって異物を取り除き、大気に放出するものであればよい。
【００１５】
請求項５の発明にかかる有機廃棄物発酵処理装置の前記ハウジングの下面に傾斜を付与してなる余剰水の収集は、前記圧縮空気を噴出させる空気供給部を除く面を、所定角度の傾斜面とし、前記傾斜面の低部位置で収集するものである。
ここで、前記圧縮空気を噴出させる空気供給部を除く面とは、前記圧縮空気を噴出させる部位以外の面を意味し、その面の全面または一部の面とすることができる。
【００１６】
請求項６の発明にかかる有機廃棄物発酵処理装置の前記ハウジングの下面に傾斜を付与してなる余剰水の収集は、前記圧縮空気を噴出させる空気供給部の風路を形成する下面を所定の傾斜面とし、前記傾斜面の低部位置で収集するものである。
ここで、前記圧縮空気を噴出させる空気供給部の風路を形成する下面とは、前記圧縮空気を噴出させる前記ハウジングの下面の部分ではなく、その風路を形成する下面を意味する。
【００１７】
請求項７の発明にかかる有機廃棄物発酵処理方法は、室内と室外の空気流を遮断できる少なくとも３面以上がコンクリート製で形成されたハウジングの下面から圧縮空気を噴出させ、前記ハウジングの上部から前記ハウジングの室内の空気を排出し、前記空気排出部から排出された空気を用いて前記室内空気を循環させる。また、前記ハウジングの室内の下部に配置された好気性細菌が少なくとも冬眠可能であり、そして、前記ハウジングの室内に供給された有機廃棄物によって活性化可能となる好気性細菌を付着する有機材料からなる細菌保持有機体に向かって、前記ハウジングの上部の加湿部から必要量の水を噴霧するものである。
【００１８】
ここで、上記ハウジングは、室内と室外の空気流を見掛け上の遮断ができ、少なくとも３面以上がコンクリート製で形成されたものであればよい。室内と室外との空気流の見掛け上の遮断とは、完全な遮断でなくとも、空気の漏れが生じていても、室内を室外よりも負圧にできればよい。また、少なくとも３面以上がコンクリート製で形成されたものとは、下面及び左右側面を形成した場合が３面となり、更に、そこに上面を形成した場合には４面となる。前記３面の場合には、例えば、上面をテント地等でカバーし、軽量化したものでもよい。そして、断熱については、室温を独自に制御可能なものであればよく、具体的には、室内温度が室外温度と一致しない程度に断熱効果が得られるものであればよい。
特に、上記ハウジングの形態としては、両端が扉で開閉できるトンネル状として、両端の開口からの作業が同時進行できるように、作業効率を良くした形態の使用が好ましい。
また、上記ハウジングの室内の空気の排出は、前記ハウジング上部から前記ハウジングの室内の空気を排出するものであり、前記ハウジングの上面に限られるものではなく、前記ハウジングの下面から供給される空気が新鮮な状態で、速やかに排出しないような上部位置であればよい。また、作業性に影響されない程度の位置であればよい。
【００１９】
そして、上記ハウジングの室内への空気の供給は、前記ハウジングの下面から圧縮空気を噴出させるものであり、有機廃棄物の下部から空気が供給できる構造であればよい。特に、前記ハウジングの下面に空気供給部を設けることにより、空気流によって好気性細菌を付着する細菌保持有機体の見掛け上の重さを軽減し、その受ける浮力によって効率良く好気性細菌が活発に動作するように空気の補給が可能となる。
更に、上記加湿は、前記ハウジング上部から前記ハウジングの室内に噴霧するものである。噴霧する水は、粒子が細かいのが好ましい。しかし、前記ハウジング上部から噴霧しているので、重力で前記ハウジングの有機廃棄物及び好気性細菌を付着する細菌保持有機体に水分が供給されるものであればよい。
【００２０】
請求項８の発明にかかる有機廃棄物発酵処理方法の前記ハウジングの下面からの圧縮空気の噴出は、前記ハウジングから排出される空気排出量が前記ハウジングの室内が大気圧以下の圧力を維持できるように、外部から必要量の新鮮空気を加えながら供給するものである。
ここで、上記ハウジングの下面からの圧縮空気の噴出は、前記ハウジングから排出される空気排出量が、前記ハウジングの室内が大気圧以下の圧力を維持できるように、外部から必要量の新鮮空気を加えながら供給することができればよい。
【００２１】
請求項９の発明にかかる有機廃棄物発酵処理方法の前記ハウジング上部から前記ハウジングの室内の下面に向かって噴霧する水は、前記ハウジングの一部の底面に傾斜を付与して余剰水を収集し、その収集した余剰水に混ざり込んだ固形物や異物を取り除いて再利用するものである。
ここで、上記ハウジングの室内の下面に向かって噴霧する水は、前記ハウジングの一部の底面に傾斜を付与して余剰水を収集し、その収集した余剰水をフィルタによって混ざり込んだ固形物や異物を取り除き再利用するものであればよい。
【００２２】
請求項１０の発明にかかる有機廃棄物発酵処理方法の前記ハウジング上部からの空気の排出は、排出した空気をガス洗浄及びバイオフィルタを介して異物を取り除き大気に放出するものである。
ここで、上記ハウジング上部からの空気の排出は、バイオフィルタによって排出した空気から異物を取り除くものであればよい。
【００２３】
請求項１１の発明にかかる有機廃棄物発酵処理方法の前記ハウジングの下面に傾斜を付与してなる余剰水の収集は、前記圧縮空気を噴出させる空気供給部を除く面を、所定角度の傾斜面とし、前記傾斜面の低部位置で収集するものである。
ここで、前記圧縮空気を噴出させる空気供給部を除く面とは、前記圧縮空気を噴出させる部位以外の面を意味し、その面の全面または一部の面とすることができる。
【００２４】
請求項１２の発明にかかる有機廃棄物発酵処理方法の前記ハウジングの下面に傾斜を付与してなる余剰水の収集は、前記圧縮空気を噴出させる空気供給部の風路を形成する下面を所定の傾斜面とし、前記傾斜面の低部位置で収集するものである。
ここで、前記圧縮空気を噴出させる空気供給部の風路を形成する下面とは、前記圧縮空気を噴出させる前記ハウジングの下面の部分ではなく、その風路を形成する下面を意味する。
【発明の効果】
【００２５】
請求項１の有機廃棄物発酵処理装置は、室内と室外の空気流を遮断できる少なくとも３面以上がコンクリート製で形成されたハウジングの上部から前記ハウジングの室内の空気を排出する空気排出部と、前記空気排出部から排出される空気排出量が前記ハウジングの室内の大気圧以下の圧力を維持できるように、前記空気排出部から排出された空気を用いて前記室内空気の一部を循環させる前記ハウジングの下面から圧縮空気を噴出させる空気供給部と、前記ハウジング上部から前記ハウジングの室内の下面に向かって噴霧する加湿部と、前記ハウジングの室内の下部に配置された好気性細菌が少なくとも冬眠可能であり、また、前記ハウジングの室内に供給された有機廃棄物によって活性化可能となる好気性細菌を付着する有機材料からなる細菌保持有機体とを具備するものである。
【００２６】
したがって、本発明の有機廃棄物発酵処理装置は、コンクリート製ハウジング上部の空気排出部から所定の空気が排出され、また、前記ハウジングの大気圧以下の室内圧力を維持できるように、前記ハウジングの下面の空気供給部から圧縮空気を噴出させる。このとき、有機廃棄物が存在しておらず乾燥状態であれば、前記ハウジングの室内の下部に配置された細菌保持有機体の好気性細菌が少なくとも冬眠可能であり、前記ハウジングの室内に供給された有機廃棄物及び好気性細菌を付着する有機材料からなる細菌保持有機体は、加湿部によって前記ハウジングの上部から前記ハウジングの室内に噴霧され、その水分によって好気性細菌が活性化される。好気性細菌によって有機廃棄物及び有機材料からなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌は前記ハウジングの下面からの圧縮空気で浮上し、上部にある有機廃棄物に付着したり、加湿部からの室内噴霧により落とされ、有機廃棄物に再度付着することになる。また、水滴により、好気性細菌を上から下に移動させることにもなり、効率の良い発酵処理が可能となる。
【００２７】
このように、好気性細菌によって有機廃棄物及び有機材料からなる細菌保持有機体は、前記ハウジングの下面に空気供給部を設け、そこから圧縮空気を噴出させるものであるから、有機廃棄物及び有機材料からなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【００２８】
請求項２の有機廃棄物発酵処理装置において、前記ハウジングの下面から圧縮空気を噴出させる空気供給部は、前記空気排出部から排出される空気排出量が前記ハウジングの室内が大気圧以下の圧力を維持できるように、外部に排出し、また、外部から必要量の新鮮空気を加えながら循環して供給するものであるから、請求項１に記載の効果に加えて、前記空気排出部から排出する空気量と前記空気供給部で供給する空気量を、前記空気排出部から排出する空気量を大きく設定し、前記ハウジングの室内を常に負圧に設定することにより、有機廃棄物及び有機材料からなる細菌保持有機体の発酵処理中に前記ハウジングから臭いがもれる可能性がない。
【００２９】
請求項３の有機廃棄物発酵処理装置の前記ハウジング上部から前記ハウジングの室内に向かって噴霧する加湿部は、前記ハウジングの下面に傾斜を付与して余剰水を収集し、その収集した余剰水に混ざり込んだ固形物や異物を取り除き再利用するものであるから、請求項１または請求項２に記載の効果に加えて、有機廃棄物及び有機材料からなる細菌保持有機体の水分補給が繰り返し行われ、排気水として排出するものでないから、環境を汚染することがない。
【００３０】
請求項４の有機廃棄物発酵処理装置の前記ハウジング上部から前記ハウジングの室内の空気を排出する空気排出部は、排出した空気から異物を取り除き大気に放出するものであるから、請求項１乃至請求項３の何れか１つに記載の効果に加えて、環境を汚染する可能性がない。特に、有機廃棄物及び有機材料からなる細菌保持有機体の発酵処理は、主に好気性細菌による処理であるから、臭い等を発散する恐れがない。
【００３１】
請求項５の有機廃棄物発酵処理装置における前記ハウジングの下面に傾斜を付与してなる余剰水の収集は、前記圧縮空気を噴出させる空気供給部を除く面を、所定角度の傾斜面とし、前記傾斜面の低部位置で収集するものであるから、請求項３に記載の効果に加えて、重力のみで余剰水の収集ができ、省エネルギの装置となる。また、洗浄によって前記ハウジング内を清潔に保てることができ、悪臭の発生が防止できる。
【００３２】
請求項６の有機廃棄物発酵処理装置における前記ハウジングの下面に傾斜を付与してなる余剰水の収集は、前記圧縮空気を噴出させる空気供給部の風路を形成する下面を所定の傾斜面とし、前記傾斜面の低部位置で収集するものであるから、請求項３に記載の効果に加えて、重力のみで余剰水の収集ができ、省エネルギの装置となる。また、洗浄によって前記ハウジング内を清潔に保てることができ、悪臭の発生が防止できる。そして、作業車及び作業者の動きが、空気供給部の風路を形成する下面を所定の傾斜面によって左右されることがない。
【００３３】
請求項７の有機廃棄物発酵処理方法は、室内と室外の空気流を遮断できる少なくとも３面以上がコンクリート製で形成されたハウジングの下面から圧縮空気を噴出させ、前記ハウジング上部から前記ハウジング内の空気を排出し、また、前記ハウジング内の下部に配置された好気性細菌が少なくとも冬眠可能であり、そして、前記ハウジング内に供給された有機廃棄物によって活性化可能となる好気性細菌を付着する有機材料からなる細菌保持有機体に向かって、前記ハウジングの上部の加湿部から必要量の水を噴霧するものである。
【００３４】
したがって、本発明の有機廃棄物発酵処理方法は、コンクリート製ハウジングの上部のから所定の空気を排出し、前記ハウジング室内の大気圧以下の圧力を維持できるようにして、前記ハウジングの下面から圧縮空気を噴出させる。このとき、前記ハウジングの室内の下部に配置された細菌保持有機体の好気性細菌が少なくとも冬眠可能であり、前記ハウジングの室内に供給された有機廃棄物及び好気性細菌を付着する細菌保持有機体に対して、加湿部によって前記ハウジング上部から前記ハウジングの室内に向かって噴霧し、その水分によって好気性細菌が活性化される。好気性細菌によって有機廃棄物及び有機材料からなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌は前記ハウジングの下面からの圧縮空気で浮上し、上部にある有機廃棄物に付着し、加湿部からの室内噴霧により落とされ、有機廃棄物に再度付着することになる。また、水滴により、好気性細菌を上から下に移動させることにもなり、効率の良い発酵処理が可能となる。
【００３５】
このように、好気性細菌によって有機廃棄物及び有機材料からなる細菌保持有機体は、前記ハウジングの下面から圧縮空気を噴出させるものであるから、有機廃棄物及び有機材料からなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【００３６】
請求項８の有機廃棄物発酵処理方法における前記ハウジングの下面からの圧縮空気の噴出は、前記空気排出部から排出される空気排出量が前記ハウジングの室内の大気圧以下の圧力を維持できるように、外部に室内空気を排出し、同時に、外部から必要量の新鮮空気を加えながら供給するものであるから、請求項７に記載の効果に加えて、自然に廃棄物発酵処理に必要な空気が欠乏したとき、その不足分の空気のみを補充することになるから、環境に対して空気汚染することがない。
【００３７】
請求項９の有機廃棄物発酵処理方法の前記ハウジング上部から前記ハウジングの室内の下面に向かって噴霧する水は、前記ハウジングの下面に傾斜を付与して余剰水を収集し、その収集した余剰水に混ざり込んだ固形物や異物を取り除き再利用するものであるから、請求項７または請求項８に記載の効果に加えて、自然に廃棄物発酵処理に必要な水分がなくなり、その不足分の水分のみを補充することになるから、環境に対して水質汚染することがない。
【００３８】
請求項１０の有機廃棄物発酵処理方法の前記ハウジング上部からの空気の排出は、排出した空気から異物を取り除き大気に放出するものであるから、請求項７乃至請求項９の何れか１つに記載の効果に加えて、環境を汚染する可能性がない。特に、有機廃棄物及び有機材料からなる細菌保持有機体の発酵処理は、主に好気性細菌による処理であるから、臭い等を発散する恐れがない。
【００３９】
請求項１１の有機廃棄物発酵処理方法における前記ハウジングの下面に傾斜を付与してなる余剰水の収集は、前記圧縮空気を噴出させる空気供給部を除く面を、所定角度の傾斜面とし、前記傾斜面の低部位置で収集するものであるから、請求項９に記載の効果に加えて、重力のみで余剰水の収集ができ、省エネルギの装置となる。また、洗浄によって前記ハウジング内を清潔に保てることができ、悪臭の発生が防止できる。
【００４０】
請求項１２の有機廃棄物発酵処理方法の前記ハウジングの下面に傾斜を付与してなる余剰水の収集は、前記圧縮空気を噴出させる空気供給部の風路を形成する下面を所定の傾斜面とし、前記傾斜面の低部位置で収集するものであるから、請求項９に記載の効果に加えて、重力のみで余剰水の収集ができ、省エネルギの装置となる。また、洗浄によって前記ハウジング内を清潔に保てることができ、悪臭の発生が防止できる。そして、作業車及び作業者の動きが、空気供給部の風路を形成する下面を所定の傾斜面によって左右されることがない。
【図面の簡単な説明】
【００４１】
【図１】図１は本発明の実施の形態１にかかる有機廃棄物発酵処理装置の有機廃棄物発酵処理工程の概念図である。
【図２】図２は本発明の実施の形態１にかかる有機廃棄物発酵処理装置を使用した処理システムの概念図である。
【図３】図３は本発明の実施の形態１にかかる有機廃棄物発酵処理装置を使用した別の堆肥化処理システムの概念図である。
【図４】図４は本発明の実施の形態１にかかる有機廃棄物発酵処理装置のハウジングの一方の扉側から見た全体構成斜視図である。
【図５】図５は本発明の実施の形態１にかかる有機廃棄物発酵処理装置の全体構成を示す説明図である。
【図６】図６は本発明の実施の形態１にかかる有機廃棄物発酵処理装置のハウジングの天井部分の断面構造図である。
【図７】図７は本発明の実施の形態１にかかる有機廃棄物発酵処理装置をコンピュータで制御する場合のハードウエアの説明図である。
【図８】図８は本発明の実施の形態１にかかる有機廃棄物発酵処理装置の処理を行うフローチャートである。
【図９】図９は本発明の実施の形態２にかかる有機廃棄物発酵処理装置の全体構成を示す説明図である。
【図１０】図１０は本発明の実施の形態１及び実施の形態２にかかる有機廃棄物発酵処理装置の圧縮空気を噴出させる構成を示す説明図である。
【図１１】図１１は本発明の実施の形態１及び実施の形態２の変形例にかかる有機廃棄物発酵処理装置の圧縮空気を噴出させる構成を示す説明図である。
【図１２】図１２は本発明の実施の形態２にかかる有機廃棄物発酵処理装置の処理を行う要部のフローチャートである。
【発明を実施するための形態】
【００４２】
以下、本発明の実施の形態について、図面に基づいて説明する。なお、実施の形態において、図示の同一記号及び同一符号は、同一または相当する機能部分であるから、ここではその重複する説明を省略する。
［実施の形態１］
【００４３】
図１は、有機廃棄物発酵処理の全体の流れを説明する。
家庭内または事業所で発生した燃やせるごみは、塵収集車１で集められ、処理場内に運搬される。そこで、ホイールローダー２が中継し、ベルトコンベア３等を介して破砕機４のホッパーに運搬される。破砕機４は外力を加えることにより細分化するもので、具体的には、低速回転する破砕機４は、受入れ廃棄物に対して、多段減容、均一化と破袋を行うという破袋機能、押し潰し機能及び切断機能を有し、処理した結果を有機廃棄破砕物ａとしている。
この破砕機４では、生ごみを収容する塵袋の破袋が重要であり、最終的に塵袋の分離可能なように処理している。即ち、塵袋の破袋状態としても、選別機７（図２参照）の能力に応じて、塵袋を細分化しないものもある。
【００４４】
破砕機４で破砕した有機廃棄破砕物ａは、再度ホイールローダー２が中継し、混合機５のホッパーに投入する。混合機５ではその投入された有機廃棄破砕物ａと、前回処理した発酵処理物ｄと好気性細菌を付着させた有機材料からなる細菌保持有機体としての細菌保持木材チップｅとを混合した未発酵処理物ｂを得る。必要に応じて、ハウジングＨ１、・・・、Ｈ６内に蓄える前にホイールローダー２で、この発酵処理物ｄ入りの有機廃棄破砕物ａが完全に混合されるように、必要回数混ぜ合わされる。結果として、有機廃棄破砕物ａに発酵処理物ｄ入りの有機廃棄破砕物ａを混合したものを、ここでは未発酵処理物ｂという。
なお、最初に使用する場合には、発酵処理物ｄが存在していないので、通常、好気性細菌を付着した最大長２〜１０ｃｍの木材塊からなる細菌保持木材チップｅが、有機材料からなる細菌保持有機体として使用される。連続運転においては、細菌保持木材チップｅの混入を防止することもできる。このとき、好気性細菌が付着し、発酵処理された発酵処理物ｄが有機材料からなる細菌保持有機体として機能する。
【００４５】
ここで、有機物質の処理に使用する好気性細菌には、幾つかの種類があり、バクテリア、放線菌、カビが代表として挙げられる。バクテリアは、処理する有機物質のうち約８０〜９０％の生成に関与している。また、バクテリアは成長が早く、低酸素濃度や高温にも適応し、堆肥化工程の初期段階でも活発に活動する。放線菌は繊維状の微生物で青灰色の粉状のコロニーを作り低酸素や高温に弱い微生物である。カビは、バクテリアに比較して低酸素や高温に弱い微生物である。なお、好気性細菌による処理中の微生物数と温度は、有機物質の化合物分解によって変動する。
【００４６】
発酵処理物ｄ入りの有機廃棄破砕物ａは、ホイールローダー２によって、少なくとも３面以上がコンクリート製で形成されたハウジングＨ１、・・・、Ｈ６に未発酵処理物ｂとして搬入される。
ここで、ハウジングＨ１、・・・、Ｈ６としているのは、６台のハウジングがあり、夫々のハウジングＨ１、・・・、Ｈ６はバッチ処理によって運転される。例えば、１台の有機廃棄物発酵処理を開始すると、その発酵処理の完了までに３０日を要すると仮定すると、その間、該当するハウジングＨ１、・・・、Ｈ６は搬入、搬出ができなくなる。また、搬入に３日、搬出に２日間かかるとすれば、１台のハウジングＨ１、・・・、Ｈ６は３５日の周期で運転可能になることを意味する。
【００４７】
例示のように、搬入に３日、搬出に２日間かかるとすれば、６台のハウジングＨ１、・・・、Ｈ６でローティションを組むと３０日で１順することになる。６台のハウジングＨ１、・・・、Ｈ６がローティションで運転されているときには、１台からは搬出、その後、搬入を行うことになる。本発明を実施する場合のハウジングＨ１、・・・、Ｈ６の台数は、複数台が望ましいが、１台であってもよい。即ち、稼働日数及び処理量から、その容量及び台数が決定される。
なお、以下の説明では、ハウジングＨ１、・・・、Ｈ６は、説明の簡略化のためにハウジングＨ１、・・・、Ｈ６の１台毎に対応する機器をｎを付して表現する。例えば、ハウジングＨｎは、ハウジングＨ１、・・・、Ｈ６の６台が所有する構成である。
なお、ハウジングＨｎは、その室内と室外の空気流を結果的に遮断できる程度の封止状態を維持するものであり、その室内温度を制御自在とした少なくとも、底面、両側面の３面以上がコンクリート製で形成されたものである。このハウジングＨｎの上部からハウジングＨｎ内の空気を排出する空気排出部３０ｎが形成されており、ハウジングＨｎの上部から室内の空気を循環させるファン（ブロワー）４１−１，・・・，４１−６（４１ｎ）が配設されている。室内空気を排出する空気排出部３０ｎは、ハウジングＨｎ室内の空気の排出により、ハウジングＨｎの室内を負圧にするため、及び酸素の供給量を増すために、ハウジングＨｎの上部から室内空気を排出する。
【００４８】
このファン４１ｎの吹き出しは、ハウジングＨｎの下面に圧縮空気を噴出させる空気供給部４０ｎに繋がっている。即ち、空気供給部４０ｎは、空気排出部３０ｎから排出される空気の排出量が、ハウジングＨｎ内が大気圧以下の圧力を維持できるように、空気排出部３０ｎから排出された空気を用いてハウジングＨｎの下面から圧縮空気として噴出させるものである。しかし、循環される空気量よりも、空気排出部３０ｎから外部に排出される空気の排出量が絶対的に大きくなっており、排出空気は各種フィルタを介して大気側に排出している。
また、このファン４１ｎの吸い込みには、新鮮な大気がファン４１ｎの入力側に供給され、室内の酸素量を補充し、その大気と混合した排出空気をハウジングＨｎに再度導入することで、ハウジングＨｎ内に酸素の補充をなしている。即ち、循環系のファン４１ｎにより、空気排出部３０ｎから排出された空気を用いてハウジングＨｎの下面の空気排出部３０ｎから圧縮空気として噴出させるハウジングＨｎの室内循環空気を形成している。
【００４９】
ハウジングＨｎの室内が正圧にならないように、ハウジングＨｎの上部から室内空気が排出される。外部、即ち、大気中に排出する室内空気は、必要に応じて化学脱臭装置９を介し、また、スクラバー装置１０で排出空気に含まれる有害物質を除去している。具体的には、水等の液体を洗浄液として、排出空気中の粒子を洗浄液や液膜で捕集して分離している。これは洗浄集じん装置とも呼ばれるものである。スクラバー装置１０を通過し、有害物質を除去された排出空気は、ファン１１で加圧されて、木材チップ等を充填してなるバイオフィルタ１２を通過して、大気に放出される。
【００５０】
バイオフィルタ１２では大気中に放出された排出空気に含まれる好気性細菌を木材チップ、堆肥床、土壌、ビート等で除去し、この木材チップは好気性細菌を付着した細菌保持木材チップｅとして使用される。バイオフィルタ１２で悪臭を除去制御するため、ハウジングＨｎや図示しない建物からの排気は、少なくとも屋外のバイオフィルタ１２で処理される。バイオフィルタ１２は、悪臭となるガスをフィルタの表面の水分で吸着し、生物的処理によって消化している。なお、バイオフィルタ１２に当該排出空気を導くファン１１は、必要に応じて回転数制御ができるようにインバータ制御されている。したがって、例えば、夜間に全工場の扉が閉まっているときには、処理する空気容積は少なくて済むので、回転速度を落として省エネルギ運転を行う。
なお、好気性細菌を付着した細菌保持木材チップｅは、木材に限定されるものではなく、適当に湿度が維持でき、乾燥状態でも好気性細菌が死滅しないものであればよい。
【００５１】
バイオフィルタ１２は、他の脱臭技術と比較して経済的で環境にやさしい。即ち、バイオフィルタ１２は、通常、環境温度、圧力で運転されるので、動力消費が比較的少ない。フィルタ機能での圧力損失は、通常１０ｃｍＨ２Ｏより小さく、運転コストが安くなる。
また、通常、汚染物質は、ＣＯ２やＨ２Ｏのような無害な物質や、ＳＯ４−やＮＯ３−のような無機イオンに分解されるから、バイオフィルタ１２以外の廃活性炭や化学汚泥のような空気汚染制御では、後処理が必要な残渣を発生することになる。しかし、本実施の形態のバイオフィルタ１２では、残渣が発生しない。加えて、焼却と異なり、バイオフィルタ１２は最小限に抑えてＣＯ２とＮＯＸを排出する。
【００５２】
ハウジングＨｎの室内で好気性細菌を付着した細菌保持木材チップｅ及び発酵処理物ｄ入りの有機廃棄破砕物ａからなる未発酵処理物ｂは、好気性細菌によって分解され発酵処理物ｄとなる。したがって、ハウジングＨｎの室内で３０日間熟成された未発酵処理物ｂは好気性細菌によって分解され、発酵処理物ｄとなり、ホイールローダー２によって次の後処理工程に搬出される。
【００５３】
図２において、ハウジングＨｎからホイールローダー２によって排出された発酵処理物ｄは、選別機７内に搬送される。選別機７内には、所定の空気流が形成されていて、発酵処理物ｄの粒子の浮力及び篩（フルイ）で比重、重量、粒子の大きさの選別を行っている。軽量物は生ごみを収容する塵袋である可能性が高いので、廃プラスチック処理工程に移行させる。また、所定のサイズのメッシュからなる複数段の篩の上を発酵処理物ｄが流れることで、粒子の大きさの選別を行っている。
この選別機７に導入した空気流は、サイクロン８に導き、渦流で塵芥を下に落として除去し、サイクロン８の上部から塵芥を除去した空気を排出している。なお、サイクロン８の出力側にもファンで吸引するのが効果的である。
【００５４】
選別機７で所定の粒度以下の微粒物を選別し、その中でも、所定の重さを有するものは鉄、磁器、硝子等の可能性が高いので、収集金属類ｆとして処理する。所定の粒度以下の微粒物を選別しても、その中でも所定の重さに達しない軽量物は、生ごみを収容する塵袋である可能性が高いので、廃プラスチック処理工程に搬送するため廃プラスチック処理物ｇとして収集する。
【００５５】
所定の粒度以下の微粒物を抽出し、所定の粒子の大きさで、その中に所定の範囲内の重さ、所定の範囲内の比重の物は、生ごみを好気性発酵処理した発酵処理物ｄとして排出する。また、所定の粒度以下の微粒物であっても、所定の範囲内の重さに満たないものは、生ごみを収容する塵袋である可能性が高いので、廃プラスチック処理工程に移行するため廃プラスチック処理物ｇとして収集する。
【００５６】
そして、選別機７で所定の重量以上の物を選別する。その中でも、所定の重さ以上の物は、鉄、磁器、硝子等の可能性が高いので、収集金属類ｆとして収集する。また、所定の重さ以下であっても、所定の粒度以上の物には、異物が混在している可能性があるので、人為的に異物を除去し、その残渣を発酵処理物ｄとする。この発酵処理物ｄは所定の重量以上の物として選別しているので、所定の塊となった発酵処理済のものも含まれている。
【００５７】
上記図２の汎用性の有機廃棄物発酵処理装置であるが、図３は肥料に利用可能性が高い処理システムの説明図である。
図３において、図２に示した選別機７と同様、選別機７には所定の空気流が供給されていて、発酵処理物ｄの粒子の浮力で比重、重量の概略の選別をしている。また、所定のサイズのメッシュからなる複数段の篩の上を発酵処理物ｄを流すことで、粒子の大きさの選別を行っている。選別機７に導入した空気流は、サイクロン８に導き、渦流で塵芥を下方に落下させて分離し、サイクロンの上部から塵芥を除去した空気のみを排出している。
【００５８】
選別機７で所定の重さに達しない軽量物を選別し、それは生ごみを収容する塵袋である可能性が高いので、廃プラスチック処理物ｇとして収集し、コンテナに入れてフォークリフト２ａで廃プラスチック保管場に移動させ、廃プラスチック処理工程に搬送する。
そして、所定以上の重量物を選別し、その中でも所定の重さ以上の物は、鉄、磁器、硝子等の可能性が高いので、収集金属類ｆとして選別する。また、発酵処理物ｄであっても、十分に発酵できていない有機廃棄物或いは細菌保持有機体として使用する細菌保持木材チップｅが選別された可能性が高いことから、生ごみを好気性発酵処理した発酵処理物ｄとして排出する。
【００５９】
この混合機５に投入する細菌保持有機体として使用する細菌保持木材チップｅが含まれる発酵処理物ｄには、新たな木材チップが混合され、混合機５のホッパーに投入される細菌保持有機体として使用する発酵補助材として使用される。ここで、新たな木材チップが混合されて細菌保持有機体として使用する発酵処理物ｄが作成されたのは、所定の重量を有しているので、肥料化に適していないと判断したものである。勿論、ここで得られた発酵処理物ｄは固形燃料としての使用は可能である。ここで細菌保持有機体として使用する細菌保持木材チップｅが含まれる有機廃棄破砕物ａ及び発酵処理物ｄは、発明者の実験によれば、嵩密度が０．３Ｋｇ／ｍ３以上、０．８Ｋｇ／ｍ３以下の範囲に設定するのが能率的に好適な処理になる。嵩密度が０．３Ｋｇ／ｍ３未満では軽量化のために細菌保持木材チップｅ及び発酵処理物ｄを混入する量が増えるから、不経済な運転となる。しかし、０．８Ｋｇ／ｍ３を超えると、細菌保持木材チップｅ及び発酵処理物ｄを混入する量が少なくなるが好気性発酵処理する処理速度が遅くなり、効率的な処理ができなくなる。したがって、細菌保持木材チップｅ、有機廃棄破砕物ａ及び発酵処理物ｄは、嵩密度が０．３Ｋｇ／ｍ３以上、０．８Ｋｇ／ｍ３以下の範囲に調整される。但し、本実施の形態の有機廃棄物は、細菌保持木材チップｅ、有機廃棄破砕物ａ及び発酵処理物ｄからなることを前提とするが、有機廃棄破砕物ａ及び発酵処理物ｄ、または細菌保持木材チップｅ及び有機廃棄破砕物ａとすることもできる。
【００６０】
所定の粒度以下の微粒物を選別し、その中でも所定の重さを有するものは鉄、磁器、硝子等の可能性が高いので、収集金属類ｆとして処理する。所定の粒子の大きさで、所定の範囲内の重さ、所定の範囲内の比重の粒子は、生ごみを好気性発酵処理した発酵処理物ｄとして排出する。しかし、所定の範囲を超える重さの粒子は、生ごみを好気性発酵処理した発酵処理物ｄであっても、堆肥として使用するには発酵処理が完全でない可能性があるので、発酵補助材として再度、混合機５のホッパーに投入され、細菌保持有機体として使用される。
【００６１】
そして、所定の範囲の重さの粒子は、生ごみを好気性発酵処理した発酵処理物ｄとして、熟成床１５に格納される。熟成床１５では、大気がこの熟成床１５に送給されており、発酵処理物ｄの残留能力に応じた温度、湿度で熟成床１５の発酵処理物ｄを熟成させる。特に、水等は使用しないで、熟成床１５内の温度、湿度で熟成させている。
【００６２】
熟成床１５に収容された細粒物からなる発酵処理物ｄは、堆肥として使用できる程度にハウジングＨｎ内で熟成させるのは、ハウジングＨｎの使用効率を低下させると思われるものは、堆肥のための熟成床１５を別に用意したものである。熟成床１５は２重底になっていて、最下室は外気をファン１６で導入している。その下室と上室の境界は、パンチングメタルや、グレーチングが敷かれた底面となっており、そこに発酵処理物ｄが積載されるようになっている。
そして、熟成床１５で発酵処理物ｄは、３日から５０日程度熟成し、堆肥工場にトラック２ｂで搬送し、または、農業、林業に堆肥として供給することになる。
【００６３】
本実施の形態の熟成床１５は、コンクリートで区画された空間であり、そこに発酵処理物ｄが格納されたとき、発酵処理物ｄの低部から大気をファン１６で供給し、発酵処理物ｄの残留能力に応じた温度、湿度で熟成床１５の発酵処理物ｄを熟成させる。このときの熟成期間は、使途によって、また、発酵処理物ｄの粒子の大きさによって決まってくる。
【００６４】
次に、本実施の形態の有機廃棄物発酵処理装置を実施する全体構成について、図４乃至図６を用いて詳細に説明する。
ハウジングＨｎは、ここでは、１台の場合を前提に説明するが、本発明を実施する場合には、１台以上であればよい。
【００６５】
図４乃至図６に示すように、少なくとも３面以上、即ち、下面、両側面、上面の４面が強化コンクリート製で形成されたハウジングＨｎは、その室内と室外の空気流を遮断できる搬入搬出口５０ｎの扉５１ｎを有し、ハウジングＨｎの室内温度を制御自在としたものである。詳しくは、ハウジングＨｎは、その室内から室外方向の空気流を防止し、室外から室内方向の空気流を許容するものである。仮に、ハウジングＨｎの搬入口及び／または搬出口に扉５１ｎとの間に隙間があっても、室内側が負圧で室外から室内方向に空気流が生ずるものであればよい。なお、扉５１ｎは未発酵処理物ｂの積み込み及び発酵処理物ｄの積み出し時にのみ開けられ、処理工程時には常に閉じている。
【００６６】
通常、ハウジングＨｎは、両端部が搬入搬出口５０ｎとなって扉５１ｎで開閉自在となっている。特定方向を搬入口、他の方向を搬出口と別々にしていないのは、ハウジングＨｎに対する搬入及び搬出を同時に２方向から行うことを可能とし、作業効率の向上を目的としている。当然、ハウジングＨｎに対する搬入及び搬出を行う搬入搬出口５０ｎを１個とすることもできる。
【００６７】
３面以上が強化コンクリート製で形成されたハウジングＨｎとは、一般に、図４乃至図６に示すように、下面となる底部５６ｎ、その下面から立ち上がる左側壁部５３ｎと右側壁部５４ｎ、両側壁部の上に形成した天井部５５ｎからなる断面４角形の筒状に形成されている。
なお、プラスチック製の各種配管及びプラスチック製のエアーダクトを露出させることにより、天井部５５ｎをテント地として形成することもできる。したがって、ハウジングＨｎは３面以上がコンクリート製で形成されるものであればよい。
【００６８】
本実施の形態のハウジングＨｎの大きさは、具体的には、１００〜１０００ｍ３で、長さ２５ｍ〜５０ｍ、幅は２．９ｍ〜６ｍ、高さは４ｍ〜６ｍ程度であるが本発明を実施する場合には、それを超えるものも可能である。特に、搬入搬出口５０ｎの扉５１ｎのサイズは、扉の密閉構造、耐圧性によって制限されが、それをクリヤすれば、機械的に拘束されるものはない。
なお、未発酵処理物ｂのハウジングＨｎでの積み上げ高さは３．３〜３．５ｍ程度に制限すべきで、それよりも、高く積むと未発酵処理物ｂの下部が、圧縮して潰れ、原料の未発酵処理物ｂ内の均一な通気が妨げられる。また、床面は０．１５〜０．１８Ｋｇ/ｃｍ２の重圧に耐え、腐敗作用のある浸出液にも耐えるものであることが必要である。
【００６９】
ハウジングＨｎの下面には、圧縮空気を噴出させる空気供給部４０ｎが設けられている。空気供給部４０ｎは空気排出部３０ｎから排出される空気排出量が、ハウジングＨｎ内の大気圧以下の圧力を維持できるように、空気排出部３０ｎから排出された空気を用いてハウジングＨｎの下面から圧縮空気を噴出させるものである。
ハウジングＨｎの上部からハウジングＨｎ室内の空気を排出する空気排出部３０ｎは、ハウジングＨｎの室内高さの４／５以上の高さに吸引口３１ｎが配設され、ハウジングＨｎ室内上部から空気を吸引している。勿論、ハウジングＨｎの天井部に吸引口３１ｎを配設してもよい。
【００７０】
本実施の形態の空気排出部３０ｎは、図４に示すように、ハウジングＨｎの両側に配設した左側壁部５３ｎと右側壁部５４ｎの両側にダクト３２ｎの吸引口３１ｎを形成し、ハウジングＨｎの両側から室内空気の吸引を行っている。しかし、本発明を実施する場合には、ダクト３２ｎに代えて天井に沿って配設した樹脂配管によって吸引するように形成してもよい。何れにせよ、ハウジングＨｎ内に噴霧した水滴を吸引し、及び／または、空気供給部４０ｎからの空気を室内で循環させることなく排出する可能性があるので、それを回避する高さとしてハウジングＨｎの室内高さの４／５以上の高さに吸引口３１ｎが配設されないと効率的な運転ができ難い。
【００７１】
また、ホイールローダー２等がハウジングＨｎ内で作業する場合にも、４／５未満の位置に配管等があると障害となる。ハウジングＨｎ内での作業性を考慮すると、左側壁部５３ｎと右側壁部５４ｎの両側にダクト３２ｎの吸引口３１ｎを形成したものでは、ホイールローダー２の作業性に左右されることなく、自在な作業の動きがとれる。
【００７２】
空気排出部３０ｎから排出される空気排出量が、ハウジングＨｎ内を大気圧以下の圧力に維持できるように、空気排出部３０ｎから排出された空気を用いてハウジングＨｎの下面から圧縮空気を噴出させる空気供給部４０ｎを有している。空気供給部４０ｎではハウジングＨｎの上部から室内の空気を排出する空気排出部３０ｎで得られた排出空気を、ハウジングＨｎの下面から圧縮空気を噴出させ、ハウジングＨｎ内を循環させるもので、そのため空気排出部３０ｎと空気供給部４０ｎとの間にファン４１ｎを配設し、所定の空気圧を得ている。
【００７３】
ファン４１ｎとして一般にブロワーが用いられる。本実施の形態では１０〜１２ｍ３/ｈの流量以上の能力を持ち１２０〜１５０ｍｍＨ２Ｏの最大圧力が出せるものを使用し、速度制御のためにインバータ制御可能なものとしている。
なお、このファン４１ｎは、搬入搬出時を含めハウジングＨｎ内の循環系の空気流を停止することはない。常に動作させることにより、ダクト３２ｎの吸引口３１ｎ及び空気供給部４０ｎ側の目詰まりを防止している。
【００７４】
なお、ここで、空気排出部３０ｎとは、吸引口３１ｎからダクト３２ｎを介してファン４１ｎの入力までの排出路の構成であり、空気供給部４０ｎとは、ファン４１ｎ及びハウジングＨｎ内の下面から圧縮空気を噴出させる供給路の構成を意味する。また、ハウジングＨｎから毎分所定容積の空気量Ａ[ｍ３／min]を排出するハウジング空気排出系２００を構成している。また、そのうち、ハウジング空気供給系２００から排出された空気量Ａ[ｍ３／min]から毎分所定容積の空気量Ｂ[ｍ３／min]を必要なフィルタを介して大気に排出する大気側排出系２２０を有している。
【００７５】
したがって、ハウジングＨｎから毎分所定容積の空気量Ａ[ｍ３／min]を排出するハウジング空気排出系２００において、ダクト３２ｎを排出管路として、その吸引口３１ｎからファン４１ｎの入力までの排出路が空気排出部３０ｎである。
また、ファン４１ｎ及びハウジングＨｎ内の下面から圧縮空気を噴出させる供給路が管路であっても、コンクリートで作成された空間であっても供給路及びファン４１ｎから構成されるのが空気供給部４０ｎである。これは、ハウジングＨｎに毎分所定容積の空気量Ｄ[ｍ３／min]を供給するハウジング空気供給系２４０を形成している。
【００７６】
このファン４１ｎの吸い込みには、大気を導入する大気導入路２０、即ち、大気から新鮮空気を毎分所定容積の空気量Ｃ[ｍ３／min]を取込む大気吸入系２３０を有しており、その大気と混合した排出空気をハウジングＨｎに再度導入することで、ハウジングＨｎ内に酸素の補充をなしている。ファン４１ｎにより、空気排出部３０ｎから排出された空気を用いてハウジングＨｎの下面の空気排出部３０ｎから圧縮空気として噴出させるハウジングＨｎの室内循環空気路を形成している。また、必要によって、新鮮な大気がファン４１ｎの入力側に供給され、室内の酸素量を補充している。
【００７７】
即ち、ハウジングＨｎ内には、空気排出部３０ｎから一部の空気をファン４１ｎで取り込み、同時に、大気導入路２０から大気をファン４１ｎで取り込み、その混合された空気を空気供給部４０ｎから供給しており、ハウジングＨｎからハウジング空気排出系２００で排出された空気量Ａ[ｍ３／min]から大気に排出する大気側排出系２２０の毎分所定容積の空気量Ｂ[ｍ３／min]の差が循環に供される。
【００７８】
空気排出部３０ｎからハウジング空気排出系２００として取り込んだ空気量Ａ[ｍ３／min]から大気に排出する大気側排出系２２０の毎分所定容積の空気量Ｂ[ｍ３／min]の差の空気をファン４１ｎで取り込み、同時に、大気導入路２０から大気吸入系２３０として大気をファン４１ｎで取り込み、その混合された空気を空気供給部４０ｎからハウジング空気供給系２４０として供給した状態で、ハウジングＨｎの室内が正圧にならないように、ハウジングＨｎの上部から室内空気が濾過されて大気中に排出する大気側排出系２２０の値でハウジングＨｎ内を負にしている。大気中に排出する室内空気は、必要に応じて化学脱臭装置９を介し、また、スクラバー装置１０で排出空気に含まれる有害物質を除去している。
【００７９】
この大気中に排出する大気側排出系２２０の室内空気は、空気排出部３０ｎを構成するダクト３２ｎからファン４１ｎの入力までの排出路で分岐され、ファン４２ｎによって吸引され、化学脱臭装置９、スクラバー装置１０に供給される。なお、このファン４２ｎは、ハウジングＨｎの１台毎に配設してもよいし、複数台のハウジングＨｎに１台取り付けてもよい。ファン４２ｎを複数台に１台の割合で配設する場合には、空気排出部３０ｎとの間に流量調節のバルブを配設する必要がある。また、ファン４２ｎはファン４１ｎの入力よりも上流に配設しても結果的に同じである。
【００８０】
空気供給部４０ｎは、ファン４１ｎ及びハウジングＨｎ内の下面から圧縮空気を噴出させる供給路(管路)の構成であり、ハウジングＨｎに毎分所定容積の空気量Ｄ[ｍ３／min]を供給するハウジング空気供給系２４０であるが、その供給路は、図１０に示すように、ハウジングＨｎの底部５６ｎに埋設した比較的太い金属管または樹脂管からなるハウジングＨｎの長さ方向またはその長さ方向に直角な方向に配設した均圧管４３ｎに、ファン４１ｎの出力が接続されている。均圧管４３ｎには、等間隔に円孔４４ｎが形成されていて、その円孔４４ｎに硬質ゴムからなるスリーブ４５ｎが配設されている。スリーブ４５ｎの中央には、噴射孔４６ｎが形成されていて、均圧管４３ｎと連結されている。
【００８１】
この均圧管４３ｎは、図１０に示すように、ファン４１ｎからの圧縮空気が、ベルヌーイの定理に従って、その流速に影響されないように、流速変化が少ない形状としたものである。勿論、噴射孔４６ｎの口径でそれを調整することもできる。なお、均圧管４３ｎは、圧力を保持するタンクとしても機能する。均圧管４３ｎに配設したスリーブ４５ｎは、ハウジングＨｎ及びハウジング空気排出系２００及びハウジング空気供給系２４０の空気の循環系で、流体抵抗が最大なものであり、その循環系では、そこに最大流体損失が発生する。この噴射孔４６ｎの形状は正面から見て円に限定されるものではなく、楕円、三角形、四角形等の多角形等のいずれかとすることができる。また、噴射孔４６ｎと排水溝４７ｎとの関係は、排水溝４７ｎの底面と同一平面になるように噴射孔４６ｎの上端を設計できる。
【００８２】
スリーブ４５ｎの均圧管４３ｎの反対端部は、ハウジングＨｎの底部５６ｎの上面であるハウジングＨｎの底面に形成された排水溝４７ｎに露出し、スリーブ４５ｎの中央の噴射孔４６ｎは均圧管４３ｎと排水溝４７ｎとを連結している。排水溝４７ｎは、噴霧ノズル６６ｎから噴霧した水滴をまとめて排水し、排水溝７０ｎで収集するものである。この排水溝４７ｎは、ハウジングＨｎの下面に傾斜を付与して余剰水を収集するものでも、また、排水溝４７ｎの底面を水平に形成し、排水が所定以上たまった時に流れるように設定してもよい。また、排水溝４７ｎの底面を水平に形成し、排水が所定以上たまった時にスリーブ４５ｎから均圧管４３ｎ側に流れるように設定し、均圧管４３ｎで排水するように設定してもよい。なお、排水溝４７ｎの清掃は、排水溝４７ｎの幅のスクレバーにより、簡単に清掃可能である。
【００８３】
スリーブ４５ｎの中央の噴射孔４６ｎは、ファン４１ｎで送給された圧縮空気を噴出させるもので、ハウジングＨｎ内の下面から空気排出部３０ｎから排出される空気排出量が、ハウジング内の大気圧以下の圧力を維持できるように、空気排出部３０ｎから排出された空気を用いて室内空気の一部を循環させるハウジングＨｎの下面から圧縮空気を噴出させる空気供給部の一部を構成している。スリーブ４５ｎはハウジングＨｎ内の下面に縦横等間隔で、均等に多数配設している。
【００８４】
ここで、スリーブ４５ｎの噴射孔４６ｎが、ハウジングＨｎ及びハウジング空気排出系２００及びハウジング空気供給系２４０の空気の循環系で、流体抵抗が最大とし、そこに最大流体損失を発生させるとは、ハウジングＨｎ内に積み上げ高さは３．３〜３．５ｍ程度に未発酵処理物ｂを積み上げても、その密度が低く、少なくとも、ハウジングＨｎ及びハウジング空気供給系２４０で形成される流体抵抗、ハウジングＨｎ及びハウジング空気排出系２００及びハウジング空気供給系２４０で形成される流体抵抗としては、大きな値にならない。したがって、ハウジングＨｎの内部に未発酵処理物ｂの存在する場合、存在していない場合、その積み上げの高低等に左右されないで使用できる。
【００８５】
ハウジングＨｎは、その上部からハウジングＨｎ内に水を噴霧する加湿部６０ｎを有している。加湿部６０ｎは、水滴として噴霧する必要数の噴霧ノズル６６ｎを有しており、ハウジングＨｎ内に略均一に水滴を噴霧できる構造となっている。水滴として噴霧する水は、外部から供給された工業用水及び噴霧に使用した水滴がまとまって排水となった水を濾過して使用している。したがって、この水滴として噴霧する水には、運転状態では、好気性細菌を含むことになり、好気性細菌をも噴霧することになる。
【００８６】
原料の未発酵処理物ｂの水分率の調整は、ハウジングＨｎの天井側に設けられた散水ノズル６６ｎで行う。ハウジングＨｎの空気排出部３０ｎから排出された空気の水分率に応じてその投入量が定められる。各ハウジングＨｎは独立して制御されている。
このため、噴霧に使用した水滴は、ハウジングＨｎの下面に水が流れる程度の傾斜が付けられており、噴霧に使用された水はハウジングＨｎの下面に沿って流れ、ハウジングＨｎの搬入搬出口５０ｎの排水溝７０ｎで収集される。排水溝７０ｎは通常グレーチング７１ｎが被せられており、ホイールローダー２の移動には支障がない構造になっている。搬入搬出口５０ｎの排水溝７０ｎで収集された水は、排水路７２ｎを介して場内排水タンク６３でまとめられる。場内排水タンク６３では、工業用水である補充水をそこに導入し、まとめられた排水は所定の濃度に希釈される。
【００８７】
場内排水タンク６３には、隣接して供給タンク６５を有しており、場内排水タンク６３に導入された水をフィルタ６４で濾過した後、その清浄水を供給タンク６５に移動させ、供給タンク６５からポンプ６２ｎで加圧し、加圧水路６１ｎを介して噴霧ノズル６６ｎから噴霧される。この時使用するフィルタ６４は、好気性細菌が含まれていてもよいから、ごみ、砂、微粒子等を除去するものであればよい。
本実施の形態では、水滴として噴霧する必要数の噴霧ノズル６６ｎの加圧水路６４である配管は、ハウジングＨｎの天井に埋設され、それに伴って天井に噴霧ノズル６６ｎが配設されている。
【００８８】
したがって、噴霧ノズル６６ｎから噴射される水滴の広がりが広くなり、かつ、ホイールローダー２等がハウジングＨｎ内で作業する場合にも、天井に噴霧ノズル６６ｎが配設されているから、ホイールローダー２の作業性が左右されることなく自在な動きがとれる。なお、加圧水路６１ｎ及び噴霧ノズル６６ｎ及び水を圧送するポンプ６２ｎは、加湿部６０ｎを構成している。
勿論、ハウジングＨｎの天井に沿って加圧水路６１ｎを配管し、そこに噴霧ノズル６６ｎを配設してもよい。
【００８９】
ハウジングＨｎの下部には、少なくとも乾燥状態で冬眠可能であり、また、ハウジングＨｎ内に供給された有機廃棄破砕物ａからなる有機廃棄物によって湿度が上昇すると活性化可能となる好気性細菌を付着する有機材料からなる有機廃棄破砕物ａ及び／または発酵処理物ｄからなる未発酵処理物ｂ、及び／または細菌保持木材チップｅからなる細菌保持有機体を収容し、それを所定の湿度で発酵させることにより、温度上昇させてより好気性細菌の活性を活発化させている。
【００９０】
本実施の形態の有機廃棄物発酵処理装置は、主な情報管理のみを取り上げると、図７に示すようにコンピュータ制御される。
まず、コンピュータＣＯＭＰには、ハウジングＨｎの室内温度、室内湿度、室内圧力の情報がセンサで検出され、それが入力されている。なお、室内湿度は必ずしも管理が必要ではなく、室温、噴霧する水量が決定されれば、維持されるものであるから、有機廃棄物発酵処理装置の全体から省略することができる。
【００９１】
また、扉５１ｎの開閉についても、それが検出され、入力されている。空気排出部３０ｎの排出空気の温度、湿度、圧力が検出され、それをコンピュータＣＯＭＰの入力としている。そして、空気供給部４０ｎの供給空気の温度、湿度、圧力が検出され、それをコンピュータＣＯＭＰの入力としている。同様に、加湿部６０ｎの水圧、水量、水温が検出され、それをコンピュータＣＯＭＰの入力としている。
【００９２】
空気排出部３０ｎ及び空気供給部４０ｎ及びハウジングＨｎの情報は、主に、ファン４１ｎとファン４２ｎの制御に使用している。また、加湿部６０ｎ及びハウジングＨｎの情報は、主に、ポンプ６２ｎに使用している。
そして、破砕機４、混合機５、選別機７は、個々に駆動され、指定された処理材料が流れるように制御されている。化学脱臭装置９、スクラバー装置１０、バイオフィルタ１２等も独自に監視及び運転されている。熟成床１５についても、単にファン１６の制御のみではなく、日程管理情報として制御及び管理されている。
【００９３】
本実施の形態の有機廃棄物発酵処理装置においては、全体の概略流れが、図８のフローチャートのように制御される。
まず、ステップＳ１で生ごみが収集されて搬送されてくると、このフローチャートに従って、処理が開始される。ステップＳ２で生ごみが受入ストックヤードに下ろされると、ステップＳ３で所定の時間内に破砕機４によって破砕し、有機廃棄破砕物ａとしている。ステップＳ４で破砕物ストックヤードにその有機廃棄破砕物ａを収集する。ステップＳ５でその収集した有機廃棄破砕物ａを所定の時間内に混合機５に投入し、そこで、好気性細菌を付着した細菌保持木材チップｅを入れた発酵処理物ｄと混合し、ステップＳ６で混合破砕物ストックヤードにそれを収集する。即ち、ここで、有機廃棄破砕物ａに発酵処理物ｄ入りの有機廃棄破砕物ａを混合した未発酵処理物ｂを作成する。必要に応じて、混合破砕物ストックヤードにおいても、混合状態を均一にする作業を行う。
【００９４】
ステップＳ７で未発酵処理物ｂをハウジングＨｎに詰め込み、そこで温度管理及び湿度管理、気圧管理をし、発酵及び熟成させる。ステップＳ８で発酵及び熟成の完了が検出されると、ステップＳ９で発酵処理物ｄとして発酵処理物ストックヤードにそれを収集し、次の処理を待つ。本実施の形態では、発酵処理物ストックヤードの発酵処理物ｄを順次選別機７に送り、選別機７では、所定の風力を導入し、寸法及び重力（比重）の基準で３種類のパターンに選別している。
【００９５】
まず、ステップＳ１０で寸法が４０ｍｍ未満と判断したとき、ステップＳ１１で重量選別を行い、所定の重量に満たないとき、破袋のプラスチックの可能性が高いから、廃プラスチック処理工程に移動させる。また、ステップＳ１２で篩選別を行い、１０ｍｍ以上の塊の場合には、再度熟成させるべく、ステップＳ５に移行させる。篩選別の結果、１０ｍｍ未満の塊の場合には、熟成されて細分化された可能性があるので、再度粒径が小さいものの重量をステップＳ１２で判断する。ステップＳ１２で重いと判断された場合には、金属、陶磁器、ガラス等が混じっている可能性があるので、収集金属類として分離する。
しかし、ステップＳ１３で軽いと判断された場合には、発酵処理物ｄとしてそのストックヤードにまとめられる。
【００９６】
ステップＳ１０で４０ｍｍ以上の軽量物と判断された場合には、ステップＳ１５でその重量の選別を行い、軽い場合には、ステップＳ１６で破袋のプラスチックの可能性が高いから、廃プラスチックストックヤードにまとめる。重い場合には、ステップＳ１７の処理に入る。
ステップＳ１０の４０ｍｍ以上の重量物と判断された場合とステップＳ１５で重い場合と判断されたときは、ステップＳ１７で磁気選別を行い、鉄のときには、ステップＳ１８でそのストックヤードに格納する。また、非鉄と判断されたときには、ステップＳ１９で人為的に選別を行い、異物を発見した場合には、ステップＳ２０の異物ストックヤードに集める。また、ステップＳ１９で発酵処理物ｄと判断されても、ここで選択された発酵処理物ｄは大きいから、ステップＳ２１で一時的に発酵処理物ストックヤードに格納するが、再度、ステップＳ５の処理から繰り返し、発酵処理を行う。
なお、これらの処理は、コンピュータＣＯＭＰによって時間管理ブログラム及び発酵熟成プログラムを実行することによって、適切な制御がなされる。
【００９７】
この発明の有機廃棄物発酵処理装置では、室内と室外の空気流を遮断でき、前記室内温度を制御自在とした少なくとも３面以上がコンクリート製で形成されたハウジングＨｎと、ハウジングＨｎの上部からハウジングＨｎ内の空気を排出する空気排出部３０ｎと、空気排出部３０ｎから排出される空気排出量が、ハウジングＨｎ内の大気圧以下の圧力を維持できるように、空気排出部３０ｎから排出された空気を用いてハウジングＨｎの下面から圧縮空気を噴出させる空気供給部４０ｎと、ハウジングＨｎの上部からハウジングＨｎ内に水を噴霧する加湿部６０ｎと、ハウジングＨｎ下部に配置され、少なくとも乾燥状態で冬眠可能であり、また、ハウジングＨｎ内に供給された有機廃棄物によって湿度が上昇すると活性化可能となる好気性細菌を付着する有機材料である有機廃棄破砕物ａ及び／または発酵処理物ｄからなる未発酵処理物ｂ及び／または細菌保持木材チップｅからなる細菌保持有機体とを具備するものである。
【００９８】
したがって、本発明の実施の形態の有機廃棄物発酵処理装置は、コンクリート製のハウジングＨｎの上部の空気排出部３０ｎから所定の空気が排出され、また、ハウジングＨｎの大気圧以下の室内圧力を維持できるように、ハウジングＨｎの下面の空気供給部４０ｎから圧縮空気を噴出させるものである。このとき、有機廃棄物が存在しておらず乾燥状態であれば、ハウジングＨｎの室内の下部に配置された好気性細菌が少なくとも冬眠可能である。
【００９９】
ハウジングＨｎの室内に供給された有機廃棄物及び好気性細菌を付着する有機材料からなる有機廃棄破砕物ａ及び／または発酵処理物ｄからなる未発酵処理物ｂ、及び／または細菌保持木材チップｅからなる細菌保持有機体は、加湿部６０ｎによってハウジングＨｎの上部からハウジングＨｎの室内に噴霧され、その水分によって好気性細菌が活性化される。好気性細菌によって有機廃棄物及び有機材料である有機廃棄破砕物ａ及び／または発酵処理物ｄからなる未発酵処理物ｂ、及び／または細菌保持木材チップｅからなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌はハウジングＨｎの下面からの圧縮空気で浮上し、上部にある有機廃棄物に付着し、また、加湿部６０ｎからの室内噴霧により落とされ、有機廃棄物に再度付着することになる。そして、水滴により、好気性細菌を上から下に移動させることにもなり、効率の良い発酵処理が可能となる。
【０１００】
このように、好気性細菌によって有機廃棄物及び有機材料でなる有機廃棄破砕物ａ及び／または発酵処理物ｄからなる未発酵処理物ｂ、及び／または細菌保持木材チップｅからなる細菌保持有機体は、ハウジングＨｎの下面に空気供給部４０ｎを設け、そこから圧縮空気を噴出させるものであるから、有機廃棄物及び有機材料からなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【０１０１】
このように構成されている有機廃棄物発酵処理装置では、次のような特徴がある。
まず、通常、ハウジングＨｎ等の処理工程は、建屋内部を常に陰圧に保ち、閉ざされた建造物の内部で行われる。このため、敷地外からの悪臭の苦情が入ることがない。建物内から排出される空気は、化学脱臭装置９、スクラバー装置１０等の粉塵除去システム、ガス洗浄装置を経た後、バイオフィルタ１２で処理しているから、制御不能な臭いの漏れを防ぐことができる。しかし、念のため、これらの建造物の扉５１ｎには快速閉鎖ドアの使用が好ましい。
【０１０２】
ハウジングＨｎ内における好気性発酵は、微生物活動の中では最も基本的な公知の発酵であり、微生物が酸素を利用して体内で消費するエネルギを得るもので、特に、酸素は非常に強い酸化性物質であるから高い効率で生物活動を営むことができ、かつ、この好気性発酵は物質循環の大切な役割を担っている。
即ち、植物は生まれて、光合成をして二酸化炭素から有機物を生産する生命活動を営んでいる。動物は生まれ、植物や他の動物から有機物を摂取して生命活動を営んでいる。しかし、何れも、やがて死に至り活動を停止する。死に至らない間は、代謝によってその体内の一部を新陳代謝し、廃棄と生成を繰り返している。生物界のリサイクルは、専ら好気性の微生物の働きによって行われ、自然に悪臭処理まで行っている。堆肥もその代表例で、堆肥化では殆どの生分解性の廃棄物、食物残渣、剪定枝、下水汚泥等を使用することができる。
【０１０３】
また、堆肥化工程では、酸素が消費され二酸化炭素、水とエネルギ(熱)が生産され、この堆肥化中に生じる全反応は、
生物廃棄物＋Ｏ２  →  微生物バイオマス＋非分解性物質＋ＣＯ２＋Ｈ２０＋熱
ここで発生した熱は、堆肥の温度を上昇させ、堆肥化工程の初期において生物分解速度を増加させる。その後、易分解性有機物質の分解が終了すると変換速度が遅くなり温度が周囲温度のレベルまで下がることになる。
【０１０４】
好気性発酵による堆肥化は、多種多様なシステムが提案されており、本発明の実施の形態もバイオセル方式とも呼ばれる密閉型のコンクリート製のハウジングＨｎ内で堆肥化を行うものである。特に、近年では周辺環境に与える影響、例えば、悪臭の問題等から密閉容器や建物内での堆肥化方式が主流となっている。この発明の有機廃棄物発酵処理装置は、水分量、酸素濃度、工程変数の制御が自動化され、高効率化され、しかも、安全な均一処理であるばかりか、ロット毎の処理記録が残り、自治体の諸規制に対する適合性の証明もできる。
【０１０５】
この発明の有機廃棄物発酵処理装置は、コンピュータ制御により各工程の自動制御が可能で、例えば、堆肥化過程に応じた通気制御が可能であり、センサによる温度、湿度、酸素濃度、或いは二酸化炭素濃度をモニタできる。これによって最終製品の品質保証が可能となる。
また、ハウジングＨｎを用いてガス・悪臭物質の排出がない制御が可能である。また、空気は簡単にハウジングＨｎ内で循環することができ、外の空気を連続的に取り入れる必要がない。そして、作業員と堆肥化原料の接触が制限され、生廃棄物に雑菌汚染等の懸念がある使用済みオムツ、生理ナプキン等に触れることがないので特に有益である。
【０１０６】
そして、排気は全てスクラバー装置１０とバイオフィルタ１２を経て処理された後、大気中に放出される構成とすることができるから、バイオフィルタ１２は通常よりも大きく設計でき、ハウジングＨｎ内を負圧に保ち、臭気が外へ漏れ出すのを防ぐことができる。
更に、トンネル内部の水分調整、加湿には主にトンネル自身からの浸出水を用いて不足分を外部の工業用水から補うものであるから、この発明の有機廃棄物発酵処理装置は施設からの汚水の排出を皆無にできる。
【０１０７】
前述したバイオセル方式は、静的バイオセルと動的バイオセルに分けられるが、この発明の有機廃棄物発酵処理装置は、静的バイオセルに分類される。即ち、原料はトンネル状のハウジングＨｎからなる構築物の中で静止され、好気性細菌による発酵過程中の移動は生じない。
殊に、この発明の有機廃棄物発酵処理装置は、好気性細菌による発酵過程中の移動は生じない静的バイオセルに属するから、装置の維持管理の上で非常に大きな利点となる。即ち、ハウジングＨｎで処理する廃棄物は常に一定の性状でなく、毎回異なる種々雑多な原料で構成されているから、装置内部に可動部がある動的バイオセルでは、可動部が故障し、システムダウンのリスクを常に抱える。しかし、この発明の有機廃棄物発酵処理装置は、静的バイオセルで構成され、装置内部に可動部を持たないから、そのようなリスクは発生しない。
【０１０８】
次に、この発明の有機廃棄物発酵処理装置によって堆肥化する場合について説明する。
堆肥化するには、初期過程、高温過程、中温過程、冷却過程の４過程に分けることができる。
まず、初期過程は、堆肥化初期の数日間には、易分解性の有機物質が、例えば、たんぱく質、アミノ酸、糖質等を豊富に含むから、バクテリア、糸状菌等が積極的にこれらを分解し、ハウジングＨｎ内の温度を上昇させる。この過程で重要なことは、原料に水分過剰の部分が含まれていたり、通気不足で酸欠部分がでると、易分解性の物質が多く含まれると直ちに嫌気性細菌が働き出し、悪臭物質である脂肪酸類やアンモニア、硫化水素等を生成開始するので注意すべきである。また、嫌気性発酵は吸熱反応である場合が多く、周囲の温度を奪い、好気性発酵の活性化を妨害する。このため、原料投入前の水分調整や混合構造化、均一化作業は、堆肥化に非常に重要な作業である。
【０１０９】
高温過程では、易分解性の物質が消費され温度が高温になると高温性好気性の放線菌が有機物の分解に携わるようになり、ヘミセルロースやセルロースの分解が始まり、温度は最高６０℃〜８０℃になる。この過程中に重要なことは、高温環境によって雑菌類が死滅し、堆肥の衛生化が図れることである。適切な温度とその持続時間が衛生条件として推奨される。
【０１１０】
中温過程では、原料中から易分解性の有機物質が消費されて殆どなくなり、高温のため細菌の活動も弱くなる。すると、セルロースの積極的な分解とリグニン等の難分解性物質の分解が開始される。反応速度の低下から温度は３５℃〜３０℃の中温域へ降下する。この時期に新たに担子菌等のリグニン分解菌の働きが始まる。この時期の分解によって水分減少が最も進むので、原料の重量減少には、中温状態の４５℃前後を維持することが堆肥化を効率化、高速化する上で重要である。
【０１１１】
この過程中で重要なことは、水分と酸素濃度を適切に保つことである。この過程では、セルロースの分解は、好気性細菌のみで行われるのではなく、嫌気性細菌と好気性細菌の役割分担によって、より効率的に進められている。このため、効率的な堆肥化の進行のためには水分の過不足には注意を払う必要がある。この時点で一次発酵は終了し、この過程以降では嫌気性発酵による悪臭物質の生成は生じなくなる。
【０１１２】
冷却過程では、温度は環境周囲温度とほぼ変わらない温度まで下がってくる。この過程での分解速度は遅く土壌と変わらなくなる。この過程でのＰＨは約８と一定である。また、大型の生物、例えば、ダニ、トビムシ、ミミズや昆虫が分解に参加してくる。この過程を経て、熟成堆肥となる。
この冷却過程では、熟成床１５で処理される。熟成床１５では、大気がこの熟成床１５に送給され、発酵処理物ｄの残留能力に応じた温度、湿度で熟成床１５の発酵処理物ｄを熟成させる。
【０１１３】
ハウジングＨｎ内では、堆肥化における初期過程から中温過程までの過程を行う。その理由は、堆肥化の最終工程である冷却過程では反応速度が遅くなり、非常に処理時間がかかるので、ハウジングＨｎ内で行うのは非経済的である。また、工程変数の調整が不要である。そして、再発酵や悪臭発生の心配がなく屋外に放置可能であることが要因である。
しかし、完熟した堆肥においては、熟成は必要不可欠であるため、図３に示すハウジングＨｎの外に熟成床１５を準備するか、ハウジングＨｎ内でエアレーション設備を備え付けた熟成床１５を準備する必要がある。
この熟成床１５で、ハウジングＨｎから出た原料の発酵処理物ｄを数日から数週間寝かせ、発酵完了の確認と最終水分調整を行う。その後、用途や使用条件に合わせた篩分けや、必要があれば更なる熟成を経て、高品位な堆肥を得ることができる。
【０１１４】
この発明の有機廃棄物発酵処理装置による悪臭対策は次のようになっている。
一般に、悪臭物質は、原料の腐敗、主に、嫌気性発酵によって発生する。この有機廃棄物発酵処理装置では、原料受入れと同時に、有機廃棄破砕物ａと共に発酵処理物ｄの混合破砕を行い未発酵処理物ｂの水分調整し、嫌気性発酵の発生を抑制することで悪臭物質の発生を最低限に抑えるようにしている。
【０１１５】
また、水分調整が終わった未発酵処理物ｂは直ちに空きハウジングＨｎに投入される。ハウジングＨｎの内部は、常に通気されており、好気性発酵が直ちに始まり、悪臭物質の生成がされないような環境で保管処理される。
一般に、悪臭処理方法としては、ガス燃焼、活性炭吸着、生物脱臭法等の方法が提案されているが、この実施の形態では生物脱臭法を採用した。生物脱臭法は、堆肥化施設から排出される臭気を含んだガスの処理としては、スクラバー装置１０とバイオフィルタ１２を組み合わせた脱臭法である。この方法は、比較的薄いが大量に発生する臭気を経済的に処理するのに最も適している。
【０１１６】
生物脱臭法については、処理空気量、処理速度等以上にフィルタ媒体、例えば、木材チップの乾燥状態等が問題になる。基本設計に加え、操業時の水分補給を怠らなければバイオフィルタ１２の脱臭能力は維持され、適切に働くことが確認された。このバイオフィルタ１２は、排気ガス中の化合物を微生物によって分解する。バイオフィルタ１２は、堆肥床、木材チップ、土壌、ビートや他の物質(フィルタ媒体)からなっている。
【０１１７】
バイオフィルタ１２の性能と信頼性は、微生物細胞が、望ましくない副生成物を生産することなく汚染物質を食物或いはエネルギ源として分解するようにフィルタ内の環境を確立することによって改善できる。バイオフィルタ１２内で生じている分解に作用する微生物は、自然の状態で既にフィルタ媒体内に存在している。臭い分子の除去は、
有機性汚染物質＋Ｏ２  →  微生物バイオマス＋ＣＯ２＋Ｈ２０＋熱
として表現でき、二酸化炭素、水、無機化合物と低濃度の臭い分子のみがバイオフィルタ１２から放出される。
【０１１８】
化学脱臭装置９は、フィルタ媒体中を強制通過させ、そこで、ガス中に含まれる水溶性の化合物がフィルタ媒体を覆っている湿潤状態のバイオフィルムに溶解吸収される。バイオフィルムは、水分と多糖類、バクテリアのエコシステムに起因する物質や微生物に由来する物質で構成された薄い層である。気流中のガスがバイオフィルムの中に入ると、汚染物質は、微生物と接触し、化合物が分解される。
【０１１９】
本実施の形態の有機廃棄物発酵処理装置におけるハウジングＨｎ内部を負圧にする構成は、次のように行われる。
本実施の形態の有機廃棄物発酵処理装置は、有機廃棄物の供給によって活性化する好気性細菌を収容し、上部から必要量の水を噴霧自在なハウジングＨｎから毎分所定容積の空気量Ａ[ｍ３／min]を排出するハウジング空気排出系２００と、前記ハウジング空気排出系２００から排出された空気量Ａ[ｍ３／min]から毎分所定容積の空気量Ｂ[ｍ３／min]を、必要なフィルタを介して大気に排出する大気側排出系２２０と、大気から新鮮空気を毎分所定容積の空気量Ｃ[ｍ３／min]を取込む大気吸入系２３０と、前記ハウジングに毎分所定容積の空気量Ｄ[ｍ３／min]を供給するハウジング空気供給系２４０を具備し、前記毎分の各空気量Ａ、Ｂ、Ｃ、Ｄ[ｍ３／min] がＡ−Ｂ＋Ｃ−Ｄ＞０またはＡ−Ｂ−Ｄ＞０の何れかの関係を維持し、有機廃棄物によって活性化する好気性細菌を収容した前記ハウジングが大気圧に対して負圧とした状態で、前記ハウジングに供給された有機廃棄物を好気性発酵処理によって堆肥化するものである。
【０１２０】
本実施の形態の有機廃棄物発酵処理装置は、有機廃棄物の供給によって活性化する好気性細菌を収容し、上部から必要量の水を噴霧自在なハウジングＨｎから毎分所定容積の空気量Ａ[ｍ３／min]を排出するハウジング空気排出系２００と、ハウジング空気排出系２００から排出された空気量Ａ[ｍ３／min]から毎分所定容積の空気量Ｂ[ｍ３／min]を、必要なフィルタを介して大気に排出する大気側排出系２２０と、大気から新鮮空気を毎分所定容積の空気量Ｃ[ｍ３／min]を取込む大気吸入系２３０と、ハウジングＨｎに毎分所定容積の空気量Ｄ[ｍ３／min]を供給するハウジング空気供給系２４０を具備し、ハウジング空気排出系２００はハウジングＨｎから毎分所定容積の空気量Ａ[ｍ３／min]を排出すると同時に大気側排出系２２０が空気量Ａ[ｍ３／min]から毎分所定容積の空気量Ｂ[ｍ３／min]を大気に排出しているから、ハウジングＨｎからは毎分所定容積の空気量Ａ−Ｂ[ｍ３／min]だけ内部の空気が循環に使用され、循環空気としてる。ハウジングＨｎからは毎分所定容積の空気量Ｂ[ｍ３／min]だけ内部の空気が排出される。しかし、ハウジング空気供給系２４０からハウジングＨｎに毎分空気量Ｄ[ｍ３／min]を供給するが、その供給量は空気量Ａ−Ｂ＋Ｃ[ｍ３／min]であり、前記毎分の各空気量Ａ、Ｂ、Ｃ、Ｄ[ｍ３／min] はＡ−Ｂ＋Ｃ−Ｄ＞０またはＡ−Ｂ−Ｄ＞０の何れかの関係を維持し、有機廃棄物によって活性化する好気性細菌を収容したハウジングＨｎが大気圧に対して負圧とした状態で、前記ハウジングに供給された有機廃棄物を好気性発酵処理によって堆肥化するものである。
【０１２１】
したがって、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性を否定できる。
特に、本発明の実施の形態では、ハウジングＨｎから空気量Ａ[ｍ３／min]を排出するハウジング空気排出系２００と、ハウジング空気供給系２４０から排出された空気量Ａ[ｍ３／min]から空気量Ｂ[ｍ３／min]を必要なフィルタを介して大気に排出する大気側排出系２２０とが１系統になっているから、ファン４２ｎの制御のみで大気側排出系２２０の出力を大きくし、ハウジングＨｎを負圧に設定することができ、任意の制御が可能となる。  
【０１２２】
ところで、図４の実施の形態の有機廃棄物発酵処理装置は、ファン４２ｎで大気側排出系２２０の空気量Ｂ[ｍ３／min]を決定しているが、本発明を実施する場合には、空気排出部３０ｎからファン４１ｎとファン４２ｎに分岐する前にファンを配設することもできる。そのとき、ファン４２ｎを省略し、当該分岐点にバルブを配設してもよい。また、図９に示す構造としてもよい。
【０１２３】
本実施の形態の有機廃棄物発酵処理装置は、有機廃棄物の供給によって活性化する好気性細菌を収容し、上部から必要量の水を噴霧自在なハウジングＨｎから毎分所定容積の空気量Ａ[ｍ３／min]を排出するハウジング空気排出系２００と、ハウジング空気排出系２００から排出された空気量Ａ[ｍ３／min]から毎分所定容積の空気量Ｂ[ｍ３／min]を、必要なフィルタを介して大気に排出する大気側排出系２２０と、大気から新鮮空気を毎分所定容積の空気量Ｃ[ｍ３／min]を取込む大気吸入系２３０と、ハウジングＨｎに毎分所定容積の空気量Ｄ[ｍ３／min]を供給するハウジング空気供給系２４０を具備し、前記ハウジング空気供給系２４０からハウジングＨｎ内に空気を噴射する複数個の噴射孔４６ｎの総合面積がハウジング空気供給系２４０の空気供給部４０ｎの管路の断面積よりも小さく設定し、有機廃棄物によって活性化する好気性細菌を収容したハウジングＨｎ内が大気圧に対して負圧とした状態で、ハウジングＨｎ内に供給された有機廃棄物を好気性発酵処理によって堆肥化するものである。
【０１２４】
このように、ハウジング空気供給系２４０からハウジングＨｎ内に空気を噴射する複数個の噴射孔４６ｎの総合面積がハウジング空気供給系２４０の管路の断面積よりも小さく設定し、その流体抵抗が大きいからハウジング空気供給系２４０から供給される流体損失は複数個の噴射孔４６ｎで最大となる。
したがって、ハウジングＨｎの内部で未発酵処理物ｂの積載量のばらつきがあっても、噴射孔４６ｎの開口面積が一定であるから、その流体抵抗が下がることはない。未発酵処理物ｂの積載量が多いと、そこで空気の流速が遅くなるから、その部位の圧力が上昇し、未発酵処理物の浮力が大きくなり、未発酵処理物ｂの積載密度を低下させる。未発酵処理物ｂの積載量がないと、または少ないと、そこで空気の流速が速くなり、その部位の流体抵抗が大きくなるから、ハウジングＨｎ内部の未発酵処理物ｂの積載量に左右されないで有機廃棄物を好気性発酵処理によって撹拌または温度上昇させる外部エネルギをなくして堆肥化することができる。
【０１２５】
そして、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性をなくすことができる。
特に、本発明の実施の形態では、ハウジングＨｎから空気量Ａ[ｍ３／min]を排出するハウジング空気排出系２００と、ハウジング空気排出系２００から排出された空気量Ａ[ｍ３／min]から空気量Ｂ[ｍ３／min]を必要なフィルタを介して大気に排出する大気側排出系Ｂとが１系統になっているから、電動機またはバルブの制御のみで大気側排出系Ｂの出力を大きくし、ハウジングＨｎを負圧に設定することができ、任意の制御が可能となる。
［実施の形態２］
【０１２６】
図９に示すように、本実施の形態の有機廃棄物発酵処理装置は、有機廃棄物の供給によって活性化する好気性細菌を収容し、上部から必要量の水を噴霧自在なハウジングＨｎから毎分所定容積の空気量Ｅ[ｍ３／min]を排出するハウジング空気排出系２１０と、ハウジングＨｎから毎分所定容積の空気量Ｂ[ｍ３／min]を必要なフィルタを介して大気に排出する大気側排出系２２０と、大気から新鮮空気を毎分所定容積の空気量Ｃ[ｍ３／min]を取込む大気吸入系２３０と、ハウジングＨｎに毎分所定容積の空気量Ｄ[ｍ３／min]を供給するハウジング空気供給系２４０を具備し、ハウジング空気排出系２１０はハウジングＨｎから毎分所定容積の空気量Ｅ[ｍ３／min]を排出すると同時にそれをハウジング空気供給系２４０に戻して循環空気とする。しかし、大気側排出系２２０がハウジングＨｎから毎分所定容積の空気量Ｂ[ｍ３／min]を大気に排出しているから、ハウジングＨｎからは毎分所定容積の空気量Ｅ＋Ｂ[ｍ３／min]だけ内部の空気が排出される。しかし、ハウジング空気供給系２４０からハウジングＨｎに毎分空気量Ｄ[ｍ３／min]を供給するが、その供給量は空気量Ｅ＋Ｃ[ｍ３／min]であり、前記毎分の各空気量Ｅ、Ｂ、Ｃ、Ｄ[ｍ３／min] はＥ−Ｂ＋Ｃ−Ｄ＞０またはＥ−Ｂ−Ｄ＞０の何れかの関係を維持し、有機廃棄物によって活性化する好気性細菌を収容したハウジングＨｎが大気圧に対して負圧とした状態で、ハウジングＨｎに供給された有機廃棄物を好気性発酵処理によって堆肥化するものである。
【０１２７】
したがって、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性を否定できる。
特に、本発明の実施の形態では、有機廃棄物の供給によって活性化する好気性細菌を収容し、上部から必要量の水を噴霧自在なハウジングＨｎから空気量Ｅ[ｍ３／min]を排出するハウジング空気排出系２１０と、ハウジングＨｎから空気量Ｂ[ｍ３／min]を必要なフィルタを介して大気に排出する大気側排出系２２０とが別系統になっているから、制御系の設計が大気側排出系２２０のみでハウジングＨｎを負圧に設定することができ、任意の制御が可能となる。  
よって、生ごみ等の有機廃棄物に対する酸素供給を行っても、悪臭の洩れを生じさせない廃棄物発酵処理が可能な有機廃棄物発酵処理装置を提供できる。
【０１２８】
本実施の形態の有機廃棄物発酵処理装置において、ハウジングＨｎ全体に設けた複数個の噴射孔４６ｎは、ハウジングＨｎ内の底面に排水溝４７ｎのような溝を形成し、排水溝４７ｎのような溝の底部に隣接配設したものであるから、複数個の噴射孔４６ｎの排水溝４７ｎのような溝は、排水溝４７ｎとしての排水用溝の他、圧力調整用均圧溝として機能する溝とすることもできる。
【０１２９】
図８のソフトウエアでは、有機廃棄物発酵処理装置の全体の構成を説明したが、本発明を実施する場合には、排水処理について均圧管４３ｎを用いた廃水の場合には、図８のアルゴリズムを図１２のように変更するのが望ましい。
即ち、ステップＳ７及びステップＳ８の処理では、ステップＳ７でハウジングＨｎに詰め込んだ未発酵処理物ｂを、少なくとも、温度管理及び気圧管理をし、発酵及び熟成させる。ステップＳ８で発酵及び熟成の完了を検出するものである。この時、廃水処理を行うルーチンに所定のタイミングをタイマｔ０で監視し、例えば、数時間に１回廃水を排出する処理に入る。まず、ステップＳ７１でそのタイミングが検出されると、ステップＳ７２でハウジングＨｎに詰め込んだ未発酵処理物ｂの発酵及び熟成を中止させ、ファン４１    ｎ及びファン４２を停止させ、かつ、噴霧ノズル６６ｎからの噴霧も停止させる。そして、図９に示す均圧管４３ｎに配設された開閉バルブ付の排出口４８ｎを開とする。
【０１３０】
この未発酵処理物ｂの発酵及び熟成の中止により、ハウジングＨｎ内の水滴は、ステップＳ７３で底面に形成した排水溝４７ｎを経て、スリーブ４５の複数個の噴射孔４６ｎを介して均圧管４３ｎに集められる。それをポンプ４９ｎで吸引し、場内廃水タンク６３に回収される。
なお、本実施の形態では、数時間に１回廃水を行うと説明したが、初期の場合と発酵及び熟成が完了間際ではその条件は変更されるのが普通である。通常、１／２〜６時間に１回程度、このルーチンの処理に入る。ステップＳ７４で廃水処理時間をタイマｔ１の経過で確認し、タイマｔ１の経過するまで、この廃水処理を継続し、タイマｔ１の経過が確認されると、ポンプ４９ｎを停止させ、排出口４８ｎの開閉バルブを閉じ、ファン４１ｎ及びファン４２を動作させ、かつ、噴霧ノズル６６ｎからの噴霧も動作させ、ステップＳ７からのルーチンの処理に入る。
【０１３１】
本実施の形態のように、発酵及び熟成の途中に、廃水処理を行う場合には、格別廃水処理の構造物を有しなくとも、発酵及び熟成に使用する構成部品をそのまま使用して切り替えを行うことができるから、部品点数が少なく、ソフトウエアのみで対応が可能である。
また、ハウジングＨｎの底面を傾斜させていないので、ハウジングＨｎ内でのホイールローダー２の作業性を上げることができる。
【０１３２】
上記実施の形態の有機廃棄物発酵処理装置において、少なくとも３面以上がコンクリート製で形成されたハウジングＨｎ内の空気を排出する空気排出部３０と、空気排出部３０から排出される空気排出量（ＡまたはＥ＋Ｂ）が、ハウジングＨｎ内の大気圧以下の圧力を維持できるように、空気排出部３０から排出された室内空気の一部を循環させ、ハウジングＨｎの下面から圧縮空気を室内に噴出させる空気供給部４０と、ハウジングＨｎ上部からハウジングＨｎ内に水を噴霧する加湿部６０とを具備し、ハウジングＨｎ内に供給される有機廃棄物によって活性化する好気性細菌を付着した細菌保持木材チップｅ等の細菌保持有機体は、その嵩密度を０．３Ｋｇ／ｍ３以上、０．８Ｋｇ／ｍ３以下に調整したものである。
【０１３３】
したがって、嵩密度が０．３Ｋｇ／ｍ３未満では軽量化されているから、有機廃棄物発酵処理の処理速度は速くなる。しかし、処理対象の有機廃棄破砕物ａの量を多くすることができないから、効率的処理ができなくなり不経済な運転となる。逆に、０．８Ｋｇ／ｍ３を超える処理では、処理速度が遅くなり、効率的な処理ができなくなるばかりか、嫌気性細菌による処理が生じ、臭いの発生が伴う場合もある。よって、ハウジングＨｎ内で一体に処理される細菌保持木材チップｅ、有機廃棄破砕物ａ及び発酵処理物ｄからなる有機廃棄物は、嵩密度が０．３Ｋｇ／ｍ３以上、０．８Ｋｇ／ｍ３以下の範囲に調整されるのが好ましい運転といえる。
【０１３４】
また、上記実施の形態の有機廃棄物発酵処理装置において、少なくとも３面以上がコンクリート製で形成されたハウジングＨｎ内の空気を排出する空気排出部３０と、空気排出部３０から排出される空気排出量（ＡまたはＥ＋Ｂ）が、ハウジングＨｎ内の大気圧以下の圧力を維持できるように、空気排出部３０から排出された室内空気の一部を循環させ、ハウジングＨｎの下面から圧縮空気を前記室内に噴出させる空気供給部４０と、ハウジングＨｎ内上部からハウジングＨｎ内に水を噴霧する加湿部６０と、ハウジングＨｎ内に供給された有機廃棄物によって活性化可能となる好気性細菌を付着する有機材料からなる細菌保持木材チップｅ等の細菌保持有機体とを具備し、ハウジングＨｎ内に噴霧された加湿部６０から供給された水は、空気供給部４０の圧縮空気をハウジングＨｎ室内に噴出させる機能を停止させ、空気供給部４０から排水するものである。
したがって、ハウジングＨｎ内に噴霧された加湿部６０から供給された水は、空気供給部４０の圧縮空気をハウジングＨｎ内に噴出させる機能で使用する構成部品を介して、空気供給部４０から排水することができ、装置自身の値段を廉価にすることができる。また、ハウジングＨｎの底面を傾斜させていないので、ハウジングＨｎ内でのホイールローダー２の安全性、作業性を上げることができる。
【０１３５】
このように、上記実施の形態１及び実施の形態２の有機廃棄物発酵処理装置においては、ハウジングＨｎの下面から圧縮空気を均圧管４３ｎを介してスリーブ４５ｎの中央の噴射孔４６ｎから噴出させる空気供給部４０ｎは、空気排出部３０ｎから排出される空気排出量がハウジングＨｎの室内が大気圧以下の圧力を維持できるように、外部に排出し、また、外部から必要量の新鮮空気を加えながら循環して供給するものであるから、空気排出部３０ｎから排出する空気量と空気供給部４０ｎで供給する空気量を、空気排出部３０ｎから排出する空気量を大きく設定し、ハウジングＨｎの室内を常に負圧に設定することにより、有機廃棄物及び有機材料からなる細菌保持有機体の発酵処理中にハウジングＨｎから臭いがもれる可能性がない。
【０１３６】
本実施の形態の有機廃棄物発酵処理装置は、有機廃棄物の供給によって活性化する好気性細菌を収容し、上部から必要量の水を噴霧自在なハウジングＨｎから毎分所定容積の空気量Ｅ[ｍ３／min]を排出するハウジング空気排出系２１０と、ハウジングＨｎから毎分所定容積の空気量Ｂ[ｍ３／min]を必要なフィルタを介して大気に排出する大気側排出系２２０と、大気から新鮮空気を毎分所定容積の空気量Ｃ[ｍ３／min]を取込む大気吸入系２３０と、ハウジングＨｎに毎分所定容積の空気量Ｄ[ｍ３／min]を供給するハウジング空気供給系２４０を具備し、前記ハウジング空気供給系２４０からハウジングＨｎ内に空気を噴射する複数個の噴射孔４６ｎの総合面積がハウジング空気供給系２４０の空気供給部４０ｎの管路の断面積よりも小さく設定し、有機廃棄物によって活性化する好気性細菌を収容したハウジングＨｎ内が大気圧に対して負圧とした状態で、ハウジングＨｎ内に供給された有機廃棄物を好気性発酵処理によって堆肥化するものである。
【０１３７】
このように、ハウジング空気供給系２４０からハウジングＨｎ内に空気を噴射する複数個の噴射孔４６ｎの総合面積がハウジング空気供給系２４０の管路の断面積よりも小さく設定し、その流体抵抗が大きいからハウジング空気供給系２４０から供給される流体損失は複数個の噴射孔４６ｎで最大となる。
したがって、ハウジングＨｎの内部で未発酵処理物ｂの積載量のばらつきがあっても、噴射孔４６ｎの開口面積が一定であるから、その流体抵抗が下がることはない。未発酵処理物ｂの積載量が多いと、そこで空気の流速が遅くなるから、その部位の圧力が上昇し、未発酵処理物の浮力が大きくなり、未発酵処理物ｂの積載密度を低下させる。未発酵処理物ｂの積載量がないと、または少ないと、そこで空気の流速が速くなり、その部位の流体抵抗が大きくなるから、ハウジングＨｎ内部の未発酵処理物ｂの積載量に左右されないで有機廃棄物を好気性発酵処理によって撹拌または温度上昇させる外部エネルギをなくして堆肥化することができる。
【０１３８】
そして、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性をなくすことができる。
特に、本発明の実施の形態では、ハウジングＨｎから空気量Ｅ[ｍ３／min]を排出するハウジング空気排出系２１０と、ハウジング空気排出系２１０から排出された空気量Ｅ[ｍ３／min]から空気量Ｂ[ｍ３／min]を必要なフィルタを介して大気に排出する大気側排出系Ｂとが１系統になっているから、電動機またはバルブの制御のみで大気側排出系Ｂの出力を大きくし、ハウジングＨｎを負圧に設定することができ、任意の制御が可能となる。
【０１３９】
本実施の形態の有機廃棄物発酵処理装置において、ハウジングＨｎ全体に設けた複数個の噴射孔４６ｎは、ハウジングＨｎ内の底面に排水溝４７ｎのような溝を形成し、排水溝４７ｎのような溝の底部に隣接配設したものであるから、複数個の噴射孔４６ｎの排水溝４７ｎのような溝は、排水溝４７ｎとしての排水用溝の他、圧力調整用均圧溝として機能する溝とすることもできる。
【０１４０】
図８のソフトウエアでは、有機廃棄物発酵処理装置の全体の構成を説明したが、本発明を実施する場合には、排水処理について均圧管４３ｎを用いた廃水の場合には、図８のアルゴリズムを図１２のように変更するのが望ましい。なお、図８と重複する説明を省略する。
即ち、ステップＳ７及びステップＳ８の処理では、ステップＳ７でハウジングＨｎに詰め込んだ未発酵処理物ｂを、少なくとも、温度管理及び気圧管理をし、発酵及び熟成させる。ステップＳ８で発酵及び熟成の完了を検出するものである。この時、廃水処理を行うルーチンに所定のタイミングをタイマｔ０で監視し、例えば、数時間に１回廃水を排出する処理に入る。まず、ステップＳ７１でそのタイミングが検出されると、ステップＳ７２でハウジングＨｎに詰め込んだ未発酵処理物ｂの発酵及び熟成を中止させ、ファン４１    ｎ及びファン４２を停止させ、かつ、噴霧ノズル６６ｎからの噴霧も停止させる。そして、図９に示す均圧管４３ｎに配設された開閉バルブ付の排出口４８ｎを開とする。
【０１４１】
この未発酵処理物ｂの発酵及び熟成の中止により、ハウジングＨｎ内の水滴は、ステップＳ７３で底面に形成した排水溝４７ｎを経て、スリーブ４５の複数個の噴射孔４６ｎを介して均圧管４３ｎに集められる。それをポンプ４９ｎで吸引し、場内廃水タンク６３に回収される。
なお、本実施の形態では、数時間に１回廃水を行うと説明したが、初期の場合と発酵及び熟成が完了間際ではその条件は変更されるのが普通である。通常、１／２〜６時間に１回程度、このルーチンの処理に入る。ステップＳ７４で廃水処理時間をタイマｔ１の経過で確認し、タイマｔ１の経過するまで、この廃水処理を継続し、タイマｔ１の経過が確認されると、ポンプ４９ｎを停止させ、排出口４８ｎの開閉バルブを閉じ、ファン４１ｎ及びファン４２を動作させ、かつ、噴霧ノズル６６ｎからの噴霧も動作させ、ステップＳ７からのルーチンの処理に入る。
【０１４２】
本実施の形態のように、発酵及び熟成の途中に、廃水処理を行う場合には、格別廃水処理の構造物を有しなくとも、発酵及び熟成に使用する構成部品をそのまま使用して切り替えを行うことができるから、部品点数が少なく、ソフトウエアのみで対応が可能である。
また、ハウジングＨｎの底面を傾斜させていないので、ハウジングＨｎ内でのホイールローダー２の作業性を上げることができる。
【０１４３】
上記実施の形態１及び実施の形態２の有機廃棄物発酵処理装置のハウジングＨｎ上部からハウジングＨｎの室内に向かって噴霧する加湿部６０ｎは、ハウジングＨｎの下面に傾斜を付与して余剰水を収集し、その収集した余剰水に混ざり込んだ固形物や異物をフィルタ６４で取り除き再利用するものであるから、有機廃棄物及び有機材料からなる細菌保持有機体の水分補給が繰り返し行われ、排気水として排出するものでないから、環境を汚染することがない。
【０１４４】
上記実施の形態１及び実施の形態２の有機廃棄物発酵処理装置のハウジングＨｎ上部からハウジングＨｎの室内の空気を排出する空気排出部３０ｎは、排出した空気から異物を取り除き大気に放出するものであるから、環境を汚染する可能性がない。特に、有機廃棄物及び有機材料からなる細菌保持有機体の発酵処理は、主に好気性細菌による処理であるから、臭い等を発散する恐れがない。
【０１４５】
上記実施の形態１及び実施の形態２の有機廃棄物発酵処理装置のハウジングＨｎの下面に傾斜を付与してなる余剰水の収集は、圧縮空気を噴出させる空気供給部４０ｎの管路を、所定角度の傾斜面とし、前記傾斜面の低部位置で収集することもできるから、重力のみで余剰水の収集ができ、省エネルギの装置となる。また、洗浄によってハウジングＨｎ内を清潔に保てることができ、悪臭の発生が防止できる。
例えば、図９に示すように、排出口４８ｎを付設することにより、空気供給部４０ｎの管路の圧縮空気によって余剰水を排出させることができる。このとき、空気供給部４０ｎを一時的停止してもよいが、連続運転であってもよい。
【０１４６】
上記実施の形態１及び実施の形態２の有機廃棄物発酵処理装置のハウジングＨｎの下面に傾斜を付与してなる余剰水の収集は、前記圧縮空気を噴出させる空気供給部４０ｎの風路を形成する下面を所定の傾斜面とし、前記傾斜面の低部位置で収集するものであるから、重力のみで余剰水の収集ができ、省エネルギの装置となる。また、洗浄によってハウジングＨｎ内を清潔に保てることができ、悪臭の発生が防止できる。そして、作業車及び作業者の動きが、空気供給部４０ｎの風路を形成する下面を所定の傾斜面によって左右されることがない。
【０１４７】
上記実施の形態１及び実施の形態２の有機廃棄物発酵処理装置は、室内と室外の空気流を遮断できる少なくとも３面以上がコンクリート製で形成されたハウジングＨｎの下面から圧縮空気を噴出させ、ハウジングＨｎ上部からハウジングＨｎ内の空気を排出し、また、ハウジングＨｎ内の下部に配置された好気性細菌が少なくとも冬眠可能であり、そして、ハウジングＨｎ内に供給された有機廃棄物によって活性化可能となる好気性細菌を付着する有機材料からなる有機廃棄破砕物ａ及び／または発酵処理物ｄからなる未発酵処理物ｂ、及び／または細菌保持木材チップｅからなる細菌保持有機体に向かって、ハウジングＨｎの上部の加湿部６０ｎから必要量の水を噴霧するものである。
【０１４８】
したがって、上記実施の形態１及び実施の形態２の有機廃棄物発酵処理装置は、コンクリート製のハウジングＨｎの上部のから所定の空気を排出し、ハウジングＨｎの室内の大気圧以下の圧力を維持できるようにして、ハウジングＨｎの下面から圧縮空気を噴出させる。このとき、ハウジングＨｎの室内の下部に配置された細菌保持有機体の好気性細菌が少なくとも冬眠可能であり、ハウジングＨｎの室内に供給された有機廃棄物及び好気性細菌を付着する細菌保持有機体に対して、加湿部６０ｎによってハウジングＨｎの上部からハウジングＨｎの室内に向かって噴霧し、その水分によって好気性細菌が活性化される。好気性細菌によって有機廃棄物及び有機材料からなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌はハウジングＨｎの下面からの圧縮空気で浮上し、上部にある有機廃棄物に付着し、加湿部６０ｎからの室内噴霧により落とされ、有機廃棄物に再度付着することになる。また、水滴により、好気性細菌を上から下に移動させることにもなり、効率の良い発酵処理が可能となる。
【０１４９】
このように、好気性細菌によって有機廃棄物及び有機材料からなる有機廃棄破砕物ａ及び／または発酵処理物ｄからなる未発酵処理物ｂ、及び／または細菌保持木材チップｅからなる細菌保持有機体は、ハウジングＨｎの下面から圧縮空気を噴出させるものであるから、有機廃棄物及び有機材料からなる有機廃棄破砕物ａ及び／または発酵処理物ｄからなる未発酵処理物ｂ、及び／または細菌保持木材チップｅからなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【０１５０】
上記実施の形態１及び実施の形態２の有機廃棄物発酵処理装置のハウジングＨｎの下面からの圧縮空気の噴出は、空気排出部３０ｎから排出される空気排出量がハウジングＨｎの室内の大気圧以下の圧力を維持できるように、外部に室内空気を排出し、同時に、外部から必要量の新鮮空気を加えながら供給するものであるから、自然に廃棄物発酵処理に必要な空気が欠乏したとき、その不足分の空気のみを補充することになるから、環境に対して空気汚染することがない。
【０１５１】
上記実施の形態１及び実施の形態２の有機廃棄物発酵処理装置のハウジングＨｎ上部からハウジングＨｎの室内の下面に向かって噴霧する水は、ハウジングＨｎの下面に傾斜を付与して余剰水を収集し、その収集した余剰水に混ざり込んだ固形物や異物を取り除き再利用するものであるから、自然に廃棄物発酵処理に必要な水分がなくなり、その不足分の水分のみを補充することになるから、環境に対して水質汚染することがない。
【０１５２】
上記実施の形態１及び実施の形態２の有機廃棄物発酵処理装置のハウジングＨｎの上部からの空気の排出は、排出した空気から異物を取り除き大気に放出するものであるから、環境を汚染する可能性がない。特に、有機廃棄物及び有機材料からなる細菌保持有機体の発酵処理は、主に好気性細菌による処理であるから、臭い等を発散する恐れがない。
【０１５３】
上記実施の形態１及び実施の形態２の有機廃棄物発酵処理装置のハウジングＨｎの下面に傾斜を付与してなる余剰水の収集は、前記圧縮空気を噴出させる空気供給部４０ｎを除く面を、所定角度の傾斜面とし、前記傾斜面の低部位置で収集するものであるから、重力のみで余剰水の収集ができ、省エネルギの装置となる。また、洗浄によってハウジングＨｎ内を清潔に保てることができ、悪臭の発生が防止できる。
【０１５４】
上記実施の形態１及び実施の形態２の有機廃棄物発酵処理装置のハウジングＨｎの下面に傾斜を付与してなる余剰水の収集は、前記圧縮空気を噴出させる空気供給部４０ｎの風路を形成する下面を所定の傾斜面とし、前記傾斜面の低部位置で収集するものであるから、重力のみで余剰水の収集ができ、省エネルギの装置となる。また、洗浄によってハウジングＨｎ内を清潔に保てることができ、悪臭の発生が防止できる。そして、作業車及び作業者の動きが、空気供給部４０ｎの風路を形成する下面を所定の傾斜面によって左右されることがない。
【０１５５】
上記実施の形態１及び実施の形態２の有機廃棄物発酵処理装置では、ハウジングＨｎの上部からハウジングＨｎ内の空気を排出する空気排出部３０ｎと、空気排出部３０ｎから排出される空気排出量が、ハウジングＨｎ内の大気圧以下の圧力を維持できるように、空気排出部３０ｎから排出された室内空気の一部を循環させ、ハウジングＨｎの下面から圧縮空気を室内に噴出させる空気供給部４０ｎとして、ハウジングＨｎ内の空気を排出する空気排出部３０ｎの空気量は、空気排出部３０ｎで排出した一部の空気量と大気導入路２０を介して導入した空気供給部４０ｎの室内に噴射する空気量の和よりも大きくする事例を説明した。
【０１５６】
しかし、本発明を実施する場合には、ハウジングＨｎ内の空気を排出する空気排出部３０ｎの空気量と、空気排出部３０ｎで排出した全空気量と大気導入路２０を介して導入した空気供給部４０ｎの室内に噴射する空気量の和を一致させることもできる。但し、この実施の形態では、ハウジングＨｎ内の空気を排出する第２空気排出部が必要となる。
何れにせよ、ハウジングＨｎ内の空気圧を負にして運転するには、ハウジングＨｎ内の空気を排出する空気排出部３０ｎの総空気量は、空気排出部３０ｎで排出した一部の空気量と大気導入路２０を介して導入した空気供給部４０ｎの室内に噴射する空気量の和よりも大きくするという要件が必要である。
【０１５７】
ハウジング空気供給系２４０の空気供給部４０ｎは、ハウジングＨｎ内の下面から圧縮空気を噴出させる供給管路の構成であり、ハウジングＨｎに毎分所定容積の空気量Ｄ[ｍ３／min]を供給する。しかも、均圧管４３ｎに配設したスリーブ４５ｎは、ハウジングＨｎ及びハウジング空気排出系２１０及びハウジング空気供給系２４０の空気の循環系で、流体抵抗が最大なものとし、この循環系ではスリーブ４５ｎに最大流体損失が発生するようにしている。
しかし、図１０に示すスリーブ４５ｎは、スリーブ４５ｎの中央に設けた噴射孔４６ｎがテーパ−になっており、流体抵抗が徐々に大きくなるので、更に最大流体損失箇所を特定するには、図１１に示すように、釣鐘状の噴射孔４６ｎとするのが望ましい。
【０１５８】
何れにせよ、ハウジング空気排出系２００またはハウジング空気排出系２１０の循環系のハウジングＨｎから排出されハウジング空気供給系２４０側に循環される。簡単化すると、ハウジング空気排出系２００またはハウジング空気排出系２１０とハウジング空気供給系２４０は、所定の流体抵抗を有し、その流体損失は最小に設定されている。ハウジングＨｎは、有機廃棄物及び有機材料からなる有機廃棄破砕物ａ、発酵処理物ｄ及び細菌保持木材チップｅとを混合してなる未発酵処理物ｂは、好気性細菌によって廃棄物発酵処理されるが、このとき、廃棄物発酵処理される有機廃棄破砕物ａ及び発酵処理物ｄ及び細菌保持木材チップｅとを混合してなる未発酵処理物ｂの密度は低く、その流体抵抗は低くなっている。
【０１５９】
上記実施の形態１の有機廃棄物発酵処理装置では、ハウジング空気排出系２００とハウジング空気供給系２４０は、単位面積当たりの流速が同じと仮定し、かつ、流体抵抗が均一とすると、ハウジング空気排出系２００の供給管路の断面は、ハウジング空気供給系２４０の方が細くなってもよいことになる。しかし、通常は、ハウジング空気排出系２００とハウジング空気供給系２４０は同じ太さに設計される。また、前述のように、廃棄物発酵処理される有機廃棄破砕物ａ及び発酵処理物ｄ及び細菌保持木材チップｅとを混合してなる未発酵処理物ｂの密度は低く、その流体抵抗は低くなっているから、ハウジングＨｎの流体抵抗は最小である。
【０１６０】
ここで最大の流体抵抗を有する均圧管４３ｎに配設したスリーブ４５ｎは、循環系においてスリーブ４５ｎに最大流体損失が発生するようにしたものであるから、安定状態では、スリーブ４５ｎの噴射孔４６ｎの総合面積及びその流速の積は、ハウジング空気供給系２４０の断面積及びその流速の積に等しくなる。一方、ハウジングＨｎでは断面積が非常に広く及びその流速の積がハウジング空気供給系２４０の断面積及びその流速の積に等しいとすると、スリーブ４５ｎの噴射孔４６ｎでは最大の吹き出しの流速が得られる。
【０１６１】
スリーブ４５ｎの噴射孔４６ｎからは直接的には、最大の吹き出しの流速が得られ、同時に、ハウジングＨｎの底面に形成された排水溝４７ｎによって、スリーブ４５ｎの中央の噴射孔４６ｎから噴射される圧力を均圧化してハウジングＨｎの下部の排水溝４７ｎが吹き出し口となる。したがって、スリーブ４５ｎの噴射孔４６ｎ開口面積が一定であるから、スリーブ４５ｎの噴射孔４６ｎからは直接的な噴射が得られる。また、未発酵処理物ｂの積載量が多いと、そこで空気の流速が遅くなるから、その部位の圧力が上昇し、未発酵処理物ｂの浮力が大きくなり、未発酵処理物ｂの積載密度を低下させる。
また、ハウジングＨｎの底面に形成された排水溝４７ｎが水切りとして機能し、最下部に位置する未発酵処理物ｂが好気性細菌以外の細菌、例えば、嫌気性細菌等により未発酵処理物ｂが処理され、臭いが発生するという事態を回避できる。
【０１６２】
ハウジングＨｎの内部で未発酵処理物ｂの積載量のばらつきがあっても、スリーブ４５ｎの噴射孔４６ｎ開口面積が一定であるから、その流体抵抗が下がることはない。未発酵処理物ｂの積載量が多いと、そこで空気の流速が遅くなるから、その部位の圧力が上昇し、未発酵処理物ｂの浮力が大きくなり、未発酵処理物ｂの積載密度を低下させる。未発酵処理物ｂの積載量がないとまたは少ないと、そこで空気の流速が速くなり、その部位の流体抵抗が大きくなるから、負荷の増加と同様の作用をすることになる。
【符号の説明】
【０１６３】
ａ    有機廃棄破砕物
ｂ    未発酵処理物
ｄ    発酵処理物
ｅ    細菌保持木材チップ
ｆ    収集金属類
ｇ    廃プラスチック処理物
Ｈｎ，Ｈ１，・・・，Ｈ６    ハウジング
４      破砕機
５      混合機
７      選別機
１０    スクラバー装置
１２    バイオフィルタ
１５    熟成床
３０    空気排出部
３１    吸引口
３２    ダクト
４０    空気供給部
４１    ファン（ブロワー）
４２    ファン（ブロワー）
４５    スリーブ
４３    均圧管
５０    搬入搬出口
５１    扉
６０    加湿部
６１    加圧水路
６２    ポンプ
６６    噴霧ノズル
７０    排水溝
２００    ハウジング空気排出系
２１０    ハウジング空気排出系
２２０    大気側排出系
２３０    大気吸入系
２４０    ハウジング空気供給系
【図１】
2020006325.tif 000003
【図２】
2020006325.tif 000004
【図３】
2020006325.tif 000005
【図４】
2020006325.tif 000006
【図５】
2020006325.tif 000007
【図６】
2020006325.tif 000008
【図７】
2020006325.tif 000009
【図８】
2020006325.tif 000010
【図９】
2020006325.tif 000011
【図１０】
2020006325.tif 000012
【図１１】
2020006325.tif 000013
【図１２】
2020006325.tif 000014
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
室内と室外の空気流を遮断でき、前記室内温度を制御自在とした少なくとも３面以上がコンクリート製で形成されたハウジングと、
前記ハウジング上部から前記ハウジング内の空気を排出する空気排出部と、
前記空気排出部から排出される空気排出量が、前記ハウジング内の大気圧以下の圧力を維持できるように、前記空気排出部から排出された室内空気の一部を循環させ、また、外部から必要量の新鮮な空気を加え、前記ハウジングの下面から圧縮空気を前記室内に噴出させる空気供給部と、
前記ハウジング上部から前記ハウジング内に水を噴霧する加湿部と、
前記ハウジング下部に配置され、少なくとも乾燥状態で冬眠可能であり、また、前記ハウジング内に供給された有機廃棄物によって湿度が上昇すると活性化可能となる好気性細菌を付着する有機材料からなる細菌保持有機体と
を具備し、
前記空気供給部は、前記加湿部から噴霧された水滴の余剰水を収集する溝を前記ハウジングの底面に形成すると共に、前記溝の底部に前記圧縮空気を噴出させる複数の噴射孔を隣接配設し、前記複数個の噴射孔の総合面積が前記空気供給部の管路の断面積よりも小さく設定された前記複数個の噴射孔から前記圧縮空気を前記室内に噴出させることを特徴とする有機廃棄物発酵処理装置。
【請求項２】
前記ハウジング上部から前記ハウジング内の下面に向かって噴霧する加湿部は、前記ハウジングの下面に傾斜を付与して余剰水を収集し、その収集した余剰水に混ざり込んだ固形物や異物を取り除くフィルタを介して繰り返し再使用することを特徴とする請求項１に記載の有機廃棄物発酵処理装置。
【請求項３】
前記ハウジング上部から前記ハウジング内の空気を排出する空気排出部は、排出した空気から異物を取り除き大気に放出することを特徴とする請求項１または請求項２に記載の有機廃棄物発酵処理装置。
【請求項４】
室内と室外の空気流を遮断でき、前記室内温度を制御自在とした少なくとも３面以上がコンクリート製で形成されたハウジングの下面であって、前記ハウジングの底面に形成した溝の底部に隣接配設され、総合面積が前記ハウジングに空気を供給する管路の断面積よりも小さい設定の複数個の噴射孔から圧縮空気を前記室内に噴出させ、前記ハウジング内が大気圧以下の圧力を維持できるように、前記ハウジング上部から前記ハウジング内の空気を排出して、前記室内空気の一部を用いて、また、外部から必要量の新鮮な空気を加え、前記室内空気を循環させ、
また、前記ハウジング下部に配置された好気性細菌が少なくとも冬眠可能であり、そして、前記ハウジング内に供給された有機廃棄物によって活性化可能となる好気性細菌を付着する有機材料からなる細菌保持有機体に、前記ハウジング上部の加湿部から必要量の水を噴霧し、前記加湿部から噴霧された水滴の余剰水を前記ハウジングの底面に形成された溝で収集することを特徴とする有機廃棄物発酵処理方法。
【請求項５】
前記ハウジング上部から前記ハウジング内の下面に向かって噴霧する水は、前記ハウジングの下面に傾斜を付与して余剰水を収集し、その収集した余剰水に混ざり込んだ固形物や異物を取り除くフィルタを介して再利用することを特徴とする請求項４に記載の有機廃棄物発酵処理方法。
【請求項６】
前記ハウジング上部からの空気の排出は、排出した空気をガス洗浄及びバイオフィルタを介して異物を取り除き大気に放出することを特徴とする請求項４または請求項５に記載の有機廃棄物発酵処理方法。
【手続補正２】
【補正対象書類名】明細書
【補正対象項目名】全文
【補正方法】変更
【補正の内容】
【発明の詳細な説明】
【技術分野】
【０００１】
本発明は、家庭、レストラン、料亭、ホテル、スーパーマーケット等で発生する生ごみ等の有機廃棄物を好気性細菌処理によってコンポスト化（堆肥化）する有機廃棄物発酵処理装置及びその処理方法に関するものである。
【背景技術】
【０００２】
家庭、レストラン、料亭、ホテル、スーパーマーケット等の飲食物提供を行なう産業、学校、その他の事業所から排出される生活ごみ等の多くは自治体により指定された方法で数種類に分別収集され、生野菜、果実、肉類、その他の生ごみ等の有機廃棄物は、焼却処分場において可燃物として他の可燃ごみと一緒に焼却処分されている。
しかし、現在では、環境負荷の観点から生ごみを資源として再利用することにより少しでも焼却量を減少させる努力がなされ、例えば、生ごみを発酵熟成させて堆肥化し、有機肥料として使用する方法が一般化傾向にある。しかしながら、家庭での小規模なコンポスト化では大量処理が困難であり、また、２４時間常時加熱ヒータを運転させて温度管理する微生物分解手法等を用いた生ごみの処理方法では採算性が取れない。
【０００３】
そこで、特許文献１では、室内を外気と遮断させるように密閉させた発酵舎と、発酵舎内に設置された生ごみが投入される発酵槽と、発酵槽内の生ごみを攪拌する攪拌手段と、発酵槽内に酸素供給を行なって生ごみの好気性発酵を促進させる空気供給管と、発酵舎に設けられた外気取り込み用の通気手段と、発酵舎の室内空気を吸引して発酵舎の外部に排出させる吸引手段と、吸引手段により排気された発酵舎内空気の脱臭手段とを備え、空気供給管に接続され、かつ、発酵舎内に設置されて発酵舎内の空気を発酵槽内の生ごみに向けて還気させる空気ブロワーを具備し、常時発酵舎内を負圧に保持させ、生ごみの発酵を促進させる生ごみの処理システムを紹介している。
即ち、当該構成によって、毎日排出される多量の生ごみを受け入れて、簡単な処理設備であっても確実に処理させ、焼却処分する生ごみの量を大幅に減少させて設備、人件コスト等の焼却設備に関連する経費を大幅に削減させ、生ごみを効果的に肥料化させて再資源として有効利用させ得る生ごみの処理システムを開示している。
【０００４】
また、特許文献２では、発酵槽内部を、上部に空間を有する複数の区画に区切り、全ての区画を貫通して水平方向に延びる回転軸を設けてそれに撹拌腕を固定し、一方の端の区画に有機廃棄物の投入口を設け、他方の端の区画に生成したコンポストの排出口を設けたものにおいて、前記発酵槽内部の上部空間を各区画毎に閉じる可動扉と該可動扉開閉制御手段とを設け、該可動扉開閉制御手段の前記コンポスト排出口を有する側の区画から順次前段の区画に向かって開閉動作が行われ、後段の扉が閉鎖されてから前段の扉が開くように構成し、有機廃棄物の短絡を抑制し、槽内での滞留時間を確保することができ、分解率が高く、かつ、乾燥顆粒状で扱いやすい上質のコンポストを得ることができる。
【先行技術文献】
【特許文献】
【０００５】
【特許文献１】特開２００２−３１６１２９
【特許文献２】特開平１０−１１８６２４号公報
【発明の概要】
【発明が解決しようとする課題】
【０００６】
このように、特許文献１は、発酵槽の生ごみ投入部に投入された生ごみを攪拌して下部に堆積した生ごみ等を攪拌し、生ごみに対する酸素供給の均等化と、発酵による加熱された生ごみの偏在を防止し、発酵の分布を均一に行なわせるための攪拌手段を設けている。この攪拌手段は、機枠の一端側に設置された駆動モータと、機枠において発酵槽の幅方向に適宜の間隔を置いて架設され、回転自在に設けた複数の攪拌羽根を配置させた羽根軸とを備え、機枠に支持された転動輪をレール上に転動自在に乗架させると共に、駆動モータとこれらのうち１個の転動輪をチェーン連結させ、羽根軸と駆動モータのスプロケットともチェーンによって連結させ、これによって攪拌羽根をパドル状に回転駆動させながら攪拌装置をレールに沿って移動させ、発酵槽内の生ごみを攪拌させている。
したがって、攪拌羽根を回転駆動する駆動モータに大きなエネルギを使用し、有機廃棄物発酵処理装置及びその処理方法として使用するエネルギコストが高額になるという問題があった。
【０００７】
また、特許文献２においては、発酵槽の中心部には、区画α及び区画βを貫通して回転軸が配設されており、回転軸には、複数の撹拌腕が取り付けられている。回転軸は、一端が駆動手段に接続されている。発酵槽の底部外壁には、ヒータが配設されており、発酵槽内は有機廃棄物が発酵するのに適した温度に保持されている。
発酵槽内の気体は、気体取り入れ管、熱交換装置、連結管、気体循環器、気体戻し管を循環系として、循環する構成になっている。気体取り入れ管は発酵槽の区画αの側壁に、気体戻し管は発酵槽の区画βに接続している。発酵によって生じた気体（発酵ガス）中の水蒸気は、熱交換装置を通過する過程で冷却されて水（凝縮水）になり、ドレイン管から系外に排出される。水分除湿後の除湿気体は、連結管、気体戻し管を通って、発酵槽の区画β内に導入される。なお、循環系の途中に設けられた空気取り入れ口から、新鮮な空気を循環系内に吸い込むことにより、発酵槽内の発酵を効率的に進行させている。
したがって、特許文献２においても、回転軸を回転させる駆動手段が必要であり、有機廃棄物発酵処理装置及びその処理方法として使用するエネルギコストが高額になるという問題があった。
【０００８】
そこで、本発明は、生ごみ等の有機廃棄物を攪拌して生ごみ等の有機廃棄物に対する酸素供給の均等化と、発酵による加熱された有機廃棄物の偏在を防止する攪拌手段を持つことなく、また、廃棄水等の汚水を生じさせることなく廃棄物発酵処理が可能な有機廃棄物発酵処理装置及びその処理方法の提供を課題とするものである。
【課題を解決するための手段】
【０００９】
請求項１の発明にかかる有機廃棄物発酵処理装置は、室内と室外の空気流及び室温を遮断し、少なくとも３面以上がコンクリート製のハウジングと、前記ハウジング上部から前記ハウジングの室内の空気を排出する空気排出部と、前記ハウジングの下面から圧縮空気を噴出させる空気供給部と、前記ハウジング上部から前記ハウジングの室内に水を噴霧する加湿部と、前記ハウジングの室内の下部に配置され、好気性細菌が少なくとも冬眠（死滅しないが、活動もしてない状態）可能であり、また、前記ハウジングの室内に供給された有機廃棄物によって活性化可能となる好気性細菌を付着した有機材料からなる基体部を具備するものである。
【００１０】
ここで、上記ハウジングは、室内と室外の空気流を見掛け上の遮断ができ、少なくとも３面以上がコンクリート製で形成されたものであればよい。室内と室外との空気流の見掛け上の遮断とは、完全な遮断でなくとも、空気の漏れが生じていても、室内を室外よりも負圧にできればよい。また、少なくとも３面以上がコンクリート製で形成されたものとは、下面及び左右側面を形成した場合が３面となり、更に、そこに上面を形成した場合には４面となる。前記３面の場合には、例えば、上面をテント地等でカバーし、軽量化したものでもよい。そして、断熱については、室温を独自に制御可能なもの（外部から温度制御するものではない）であればよく、具体的には、室内温度が室外温度と一致しない程度に断熱効果が得られ、自己の発熱によって運転できるものであればよい。
特に、上記ハウジングの形態としては、両端が扉で開閉できるトンネル状として、両端の開口からの作業が同時進行できるように、作業効率を良くした形態の使用が好ましい。
また、上記空気排出部は、前記ハウジング上部から前記ハウジングの室内の空気を排出するものであり、前記ハウジングの上面に限られるものではなく、前記ハウジングの下面から供給される空気が新鮮な状態で、速やかに排出しないような上部位置であればよい。また、作業性に影響されない程度の位置であればよい。
【００１１】
そして、上記空気供給部は、前記ハウジングの下面から圧縮空気を噴出させるものであり、有機廃棄物の下部から空気が供給できる構造であればよい。特に、前記ハウジングの下面に空気供給部を設けることにより、空気流によって好気性細菌を付着する細菌保持有機体の見掛け上の重さを軽減し、その受ける浮力によって効率良く好気性細菌が活発に動作するように空気の補給が可能となる。
更に、上記加湿部は、前記ハウジング上部から前記ハウジングの室内に噴霧するものである。噴霧する水は、粒子が細かいのが好ましい。しかし、前記ハウジング上部から噴霧しているので、重力で前記ハウジングの有機廃棄物及び好気性細菌を付着する細菌保持有機体に水分が供給される構造となる。また、使用する水は、工業用水ではなく、繰り返し使用するものとしたときには、噴霧する水の粒子を工業用水程度に細かくすることはできなくなるが、直径１ｍｍ程度以上でも問題にはならない。
なお、ここでは、好気性細菌の使用を前提として説明してきたが、嫌気性細菌の付着が皆無であることを意味するものではなく、好気性細菌の働く環境を作ることを意味するものである。
【００１２】
請求項１の発明にかかる有機廃棄物発酵処理装置の前記ハウジングの下面から圧縮空気を噴出させる空気供給部は、前記空気排出部から排出される空気排出量が、常に、前記ハウジング内が大気圧以下の圧力を維持できるように、前記空気排出部から排出された空気を用いて前記室内空気を循環させる前記ハウジングの下面から圧縮空気を噴出させるものである。
ここで、ハウジングの室内の空気圧は、運転中は、常に、前記ハウジングの室内が大気圧以下の圧力を維持できるように、前記空気排出部から排出される前空気排出量に対して、外部に排出する排出量を外部から導入する新鮮空気量よりも多くし、その状態を維持するものである。
【００１３】
請求項２の発明にかかる有機廃棄物発酵処理装置の前記ハウジング上部から前記ハウジングの室内に向かって噴霧する加湿部は、前記ハウジングの一部の底面に傾斜を付与して余剰水を収集し、その収集した余剰水に混ざり込んだ固形物や異物を取り除き再利用するものである。
ここで、前記ハウジングの室内の下面に向かって噴霧する加湿部は、水を噴霧するものであり、その水滴の大きさは格別問われるものではない。しかし、有機廃棄物及び上部好気性細菌を付着する細菌保持有機体に水分を供給するものであるから、水滴は細かい方が望ましい。
【００１４】
請求項３の発明にかかる有機廃棄物発酵処理装置の前記ハウジングの上部から前記ハウジング内の空気を排出する空気排出部は、排出した空気から異物を取り除き大気に放出するものである。
ここで、上記空気排出部は、前記ハウジングから排出した空気は、その空気のガス洗浄及びバイオフィルタによって異物を取り除き、大気に放出するものであればよい。
【００１５】
請求項４の発明にかかる有機廃棄物発酵処理方法は、室内と室外の空気流を遮断できる少なくとも３面以上がコンクリート製で形成されたハウジングの下面から圧縮空気を噴出させ、前記ハウジングの上部から前記ハウジングの室内の空気を排出し、前記空気排出部から排出された空気を用いて前記室内空気を循環させる。また、前記ハウジングの室内の下部に配置された好気性細菌が少なくとも冬眠可能であり、そして、前記ハウジングの室内に供給された有機廃棄物によって活性化可能となる好気性細菌を付着する有機材料からなる細菌保持有機体に向かって、前記ハウジングの上部の加湿部から必要量の水を噴霧するものである。
【００１６】
ここで、上記ハウジングは、室内と室外の空気流を見掛け上の遮断ができ、少なくとも３面以上がコンクリート製で形成されたものであればよい。室内と室外との空気流の見掛け上の遮断とは、完全な遮断でなくとも、空気の漏れが生じていても、室内を室外よりも負圧にできればよい。また、少なくとも３面以上がコンクリート製で形成されたものとは、下面及び左右側面を形成した場合が３面となり、更に、そこに上面を形成した場合には４面となる。前記３面の場合には、例えば、上面をテント地等でカバーし、軽量化したものでもよい。そして、断熱については、室温を独自に制御可能なものであればよく、具体的には、室内温度が室外温度と一致しない程度に断熱効果が得られるものであればよい。
特に、上記ハウジングの形態としては、両端が扉で開閉できるトンネル状として、両端の開口からの作業が同時進行できるように、作業効率を良くした形態の使用が好ましい。
また、上記ハウジングの室内の空気の排出は、前記ハウジング上部から前記ハウジングの室内の空気を排出するものであり、前記ハウジングの上面に限られるものではなく、前記ハウジングの下面から供給される空気が新鮮な状態で、速やかに排出しないような上部位置であればよい。また、作業性に影響されない程度の位置であればよい。
【００１７】
そして、上記ハウジングの室内への空気の供給は、前記ハウジングの下面から圧縮空気を噴出させるものであり、有機廃棄物の下部から空気が供給できる構造であればよい。特に、前記ハウジングの下面に空気供給部を設けることにより、空気流によって好気性細菌を付着する細菌保持有機体の見掛け上の重さを軽減し、その受ける浮力によって効率良く好気性細菌が活発に動作するように空気の補給が可能となる。
更に、上記加湿は、前記ハウジング上部から前記ハウジングの室内に噴霧するものである。噴霧する水は、粒子が細かいのが好ましい。しかし、前記ハウジング上部から噴霧しているので、重力で前記ハウジングの有機廃棄物及び好気性細菌を付着する細菌保持有機体に水分が供給されるものであればよい。
【００１８】
請求項４の発明にかかる有機廃棄物発酵処理方法の前記ハウジングの下面からの圧縮空気の噴出は、前記ハウジングから排出される空気排出量が前記ハウジングの室内が大気圧以下の圧力を維持できるように、外部から必要量の新鮮空気を加えながら供給するものである。
ここで、上記ハウジングの下面からの圧縮空気の噴出は、前記ハウジングから排出される空気排出量が、前記ハウジングの室内が大気圧以下の圧力を維持できるように、外部から必要量の新鮮空気を加えながら供給することができればよい。
【００１９】
請求項５の発明にかかる有機廃棄物発酵処理方法の前記ハウジング上部から前記ハウジングの室内の下面に向かって噴霧する水は、前記ハウジングの一部の底面に傾斜を付与して余剰水を収集し、その収集した余剰水に混ざり込んだ固形物や異物を取り除いて再利用するものである。
ここで、上記ハウジングの室内の下面に向かって噴霧する水は、前記ハウジングの一部の底面に傾斜を付与して余剰水を収集し、その収集した余剰水をフィルタによって混ざり込んだ固形物や異物を取り除き再利用するものであればよい。
【００２０】
請求項６の発明にかかる有機廃棄物発酵処理方法の前記ハウジング上部からの空気の排出は、排出した空気をガス洗浄及びバイオフィルタを介して異物を取り除き大気に放出するものである。
ここで、上記ハウジング上部からの空気の排出は、バイオフィルタによって排出した空気から異物を取り除くものであればよい。
【発明の効果】
【００２１】
請求項１の有機廃棄物発酵処理装置は、室内と室外の空気流を遮断できる少なくとも３面以上がコンクリート製で形成されたハウジングの上部から前記ハウジングの室内の空気を排出する空気排出部と、前記空気排出部から排出される空気排出量が前記ハウジングの室内の大気圧以下の圧力を維持できるように、前記空気排出部から排出された空気を用いて前記室内空気の一部を循環させる前記ハウジングの下面から圧縮空気を噴出させる空気供給部と、前記ハウジング上部から前記ハウジングの室内の下面に向かって噴霧する加湿部と、前記ハウジングの室内の下部に配置された好気性細菌が少なくとも冬眠可能であり、また、前記ハウジングの室内に供給された有機廃棄物によって活性化可能となる好気性細菌を付着する有機材料からなる細菌保持有機体とを具備するものである。
【００２２】
したがって、本発明の有機廃棄物発酵処理装置は、コンクリート製ハウジング上部の空気排出部から所定の空気が排出され、また、前記ハウジングの大気圧以下の室内圧力を維持できるように、前記ハウジングの下面の空気供給部から圧縮空気を噴出させる。このとき、有機廃棄物が存在しておらず乾燥状態であれば、前記ハウジングの室内の下部に配置された細菌保持有機体の好気性細菌が少なくとも冬眠可能であり、前記ハウジングの室内に供給された有機廃棄物及び好気性細菌を付着する有機材料からなる細菌保持有機体は、加湿部によって前記ハウジングの上部から前記ハウジングの室内に噴霧され、その水分によって好気性細菌が活性化される。好気性細菌によって有機廃棄物及び有機材料からなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌は前記ハウジングの下面からの圧縮空気で浮上し、上部にある有機廃棄物に付着したり、加湿部からの室内噴霧により落とされ、有機廃棄物に再度付着することになる。また、水滴により、好気性細菌を上から下に移動させることにもなり、効率の良い発酵処理が可能となる。
【００２３】
このように、好気性細菌によって有機廃棄物及び有機材料からなる細菌保持有機体は、前記ハウジングの下面に空気供給部を設け、そこから圧縮空気を噴出させるものであるから、有機廃棄物及び有機材料からなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【００２４】
請求項１の有機廃棄物発酵処理装置において、前記ハウジングの下面から圧縮空気を噴出させる空気供給部は、前記空気排出部から排出される空気排出量が前記ハウジングの室内が大気圧以下の圧力を維持できるように、外部に排出し、また、外部から必要量の新鮮空気を加えながら循環して供給するものであるから、前記空気排出部から排出する空気量と前記空気供給部で供給する空気量を、前記空気排出部から排出する空気量を大きく設定し、前記ハウジングの室内を常に負圧に設定することにより、有機廃棄物及び有機材料からなる細菌保持有機体の発酵処理中に前記ハウジングから臭いがもれる可能性がない。
【００２５】
請求項２の有機廃棄物発酵処理装置の前記ハウジング上部から前記ハウジングの室内に向かって噴霧する加湿部は、前記ハウジングの下面に傾斜を付与して余剰水を収集し、その収集した余剰水に混ざり込んだ固形物や異物を取り除き再利用するものであるから、請求項１に記載の効果に加えて、有機廃棄物及び有機材料からなる細菌保持有機体の水分補給が繰り返し行われ、排気水として排出するものでないから、環境を汚染することがない。
【００２６】
請求項３の有機廃棄物発酵処理装置の前記ハウジング上部から前記ハウジングの室内の空気を排出する空気排出部は、排出した空気から異物を取り除き大気に放出するものであるから、請求項１または請求項２に記載の効果に加えて、環境を汚染する可能性がない。特に、有機廃棄物及び有機材料からなる細菌保持有機体の発酵処理は、主に好気性細菌による処理であるから、臭い等を発散する恐れがない。
【００２７】
請求項４の有機廃棄物発酵処理方法は、室内と室外の空気流を遮断できる少なくとも３面以上がコンクリート製で形成されたハウジングの下面から圧縮空気を噴出させ、前記ハウジング上部から前記ハウジング内の空気を排出し、また、前記ハウジング内の下部に配置された好気性細菌が少なくとも冬眠可能であり、そして、前記ハウジング内に供給された有機廃棄物によって活性化可能となる好気性細菌を付着する有機材料からなる細菌保持有機体に向かって、前記ハウジングの上部の加湿部から必要量の水を噴霧するものである。
【００２８】
したがって、本発明の有機廃棄物発酵処理方法は、コンクリート製ハウジングの上部のから所定の空気を排出し、前記ハウジング室内の大気圧以下の圧力を維持できるようにして、前記ハウジングの下面から圧縮空気を噴出させる。このとき、前記ハウジングの室内の下部に配置された細菌保持有機体の好気性細菌が少なくとも冬眠可能であり、前記ハウジングの室内に供給された有機廃棄物及び好気性細菌を付着する細菌保持有機体に対して、加湿部によって前記ハウジング上部から前記ハウジングの室内に向かって噴霧し、その水分によって好気性細菌が活性化される。好気性細菌によって有機廃棄物及び有機材料からなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌は前記ハウジングの下面からの圧縮空気で浮上し、上部にある有機廃棄物に付着し、加湿部からの室内噴霧により落とされ、有機廃棄物に再度付着することになる。また、水滴により、好気性細菌を上から下に移動させることにもなり、効率の良い発酵処理が可能となる。
【００２９】
このように、好気性細菌によって有機廃棄物及び有機材料からなる細菌保持有機体は、前記ハウジングの下面から圧縮空気を噴出させるものであるから、有機廃棄物及び有機材料からなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【００３０】
請求項４の有機廃棄物発酵処理方法における前記ハウジングの下面からの圧縮空気の噴出は、前記空気排出部から排出される空気排出量が前記ハウジングの室内の大気圧以下の圧力を維持できるように、外部に室内空気を排出し、同時に、外部から必要量の新鮮空気を加えながら供給するものであるから、自然に廃棄物発酵処理に必要な空気が欠乏したとき、その不足分の空気のみを補充することになるから、環境に対して空気汚染することがない。
【００３１】
請求項５の有機廃棄物発酵処理方法の前記ハウジング上部から前記ハウジングの室内の下面に向かって噴霧する水は、前記ハウジングの下面に傾斜を付与して余剰水を収集し、その収集した余剰水に混ざり込んだ固形物や異物を取り除き再利用するものであるから、請求項４に記載の効果に加えて、自然に廃棄物発酵処理に必要な水分がなくなり、その不足分の水分のみを補充することになるから、環境に対して水質汚染することがない。
【００３２】
請求項６の有機廃棄物発酵処理方法の前記ハウジング上部からの空気の排出は、排出した空気から異物を取り除き大気に放出するものであるから、請求項４または請求項５に記載の効果に加えて、環境を汚染する可能性がない。特に、有機廃棄物及び有機材料からなる細菌保持有機体の発酵処理は、主に好気性細菌による処理であるから、臭い等を発散する恐れがない。
【図面の簡単な説明】
【００３３】
【図１】図１は本発明の実施の形態１にかかる有機廃棄物発酵処理装置の有機廃棄物発酵処理工程の概念図である。
【図２】図２は本発明の実施の形態１にかかる有機廃棄物発酵処理装置を使用した処理システムの概念図である。
【図３】図３は本発明の実施の形態１にかかる有機廃棄物発酵処理装置を使用した別の堆肥化処理システムの概念図である。
【図４】図４は本発明の実施の形態１にかかる有機廃棄物発酵処理装置のハウジングの一方の扉側から見た全体構成斜視図である。
【図５】図５は本発明の実施の形態１にかかる有機廃棄物発酵処理装置の全体構成を示す説明図である。
【図６】図６は本発明の実施の形態１にかかる有機廃棄物発酵処理装置のハウジングの天井部分の断面構造図である。
【図７】図７は本発明の実施の形態１にかかる有機廃棄物発酵処理装置をコンピュータで制御する場合のハードウエアの説明図である。
【図８】図８は本発明の実施の形態１にかかる有機廃棄物発酵処理装置の処理を行うフローチャートである。
【図９】図９は本発明の実施の形態２にかかる有機廃棄物発酵処理装置の全体構成を示す説明図である。
【図１０】図１０は本発明の実施の形態１及び実施の形態２にかかる有機廃棄物発酵処理装置の圧縮空気を噴出させる構成を示す説明図である。
【図１１】図１１は本発明の実施の形態１及び実施の形態２の変形例にかかる有機廃棄物発酵処理装置の圧縮空気を噴出させる構成を示す説明図である。
【図１２】図１２は本発明の実施の形態２にかかる有機廃棄物発酵処理装置の処理を行う要部のフローチャートである。
【発明を実施するための形態】
【００３４】
以下、本発明の実施の形態について、図面に基づいて説明する。なお、実施の形態において、図示の同一記号及び同一符号は、同一または相当する機能部分であるから、ここではその重複する説明を省略する。
［実施の形態１］
【００３５】
図１は、有機廃棄物発酵処理の全体の流れを説明する。
家庭内または事業所で発生した燃やせるごみは、塵収集車１で集められ、処理場内に運搬される。そこで、ホイールローダー２が中継し、ベルトコンベア３等を介して破砕機４のホッパーに運搬される。破砕機４は外力を加えることにより細分化するもので、具体的には、低速回転する破砕機４は、受入れ廃棄物に対して、多段減容、均一化と破袋を行うという破袋機能、押し潰し機能及び切断機能を有し、処理した結果を有機廃棄破砕物ａとしている。
この破砕機４では、生ごみを収容する塵袋の破袋が重要であり、最終的に塵袋の分離可能なように処理している。即ち、塵袋の破袋状態としても、選別機７（図２参照）の能力に応じて、塵袋を細分化しないものもある。
【００３６】
破砕機４で破砕した有機廃棄破砕物ａは、再度ホイールローダー２が中継し、混合機５のホッパーに投入する。混合機５ではその投入された有機廃棄破砕物ａと、前回処理した発酵処理物ｄと好気性細菌を付着させた有機材料からなる細菌保持有機体としての細菌保持木材チップｅとを混合した未発酵処理物ｂを得る。必要に応じて、ハウジングＨ１、・・・、Ｈ６内に蓄える前にホイールローダー２で、この発酵処理物ｄ入りの有機廃棄破砕物ａが完全に混合されるように、必要回数混ぜ合わされる。結果として、有機廃棄破砕物ａに発酵処理物ｄ入りの有機廃棄破砕物ａを混合したものを、ここでは未発酵処理物ｂという。
なお、最初に使用する場合には、発酵処理物ｄが存在していないので、通常、好気性細菌を付着した最大長２〜１０ｃｍの木材塊からなる細菌保持木材チップｅが、有機材料からなる細菌保持有機体として使用される。連続運転においては、細菌保持木材チップｅの混入を防止することもできる。このとき、好気性細菌が付着し、発酵処理された発酵処理物ｄが有機材料からなる細菌保持有機体として機能する。
【００３７】
ここで、有機物質の処理に使用する好気性細菌には、幾つかの種類があり、バクテリア、放線菌、カビが代表として挙げられる。バクテリアは、処理する有機物質のうち約８０〜９０％の生成に関与している。また、バクテリアは成長が早く、低酸素濃度や高温にも適応し、堆肥化工程の初期段階でも活発に活動する。放線菌は繊維状の微生物で青灰色の粉状のコロニーを作り低酸素や高温に弱い微生物である。カビは、バクテリアに比較して低酸素や高温に弱い微生物である。なお、好気性細菌による処理中の微生物数と温度は、有機物質の化合物分解によって変動する。
【００３８】
発酵処理物ｄ入りの有機廃棄破砕物ａは、ホイールローダー２によって、少なくとも３面以上がコンクリート製で形成されたハウジングＨ１、・・・、Ｈ６に未発酵処理物ｂとして搬入される。
ここで、ハウジングＨ１、・・・、Ｈ６としているのは、６台のハウジングがあり、夫々のハウジングＨ１、・・・、Ｈ６はバッチ処理によって運転される。例えば、１台の有機廃棄物発酵処理を開始すると、その発酵処理の完了までに３０日を要すると仮定すると、その間、該当するハウジングＨ１、・・・、Ｈ６は搬入、搬出ができなくなる。また、搬入に３日、搬出に２日間かかるとすれば、１台のハウジングＨ１、・・・、Ｈ６は３５日の周期で運転可能になることを意味する。
【００３９】
例示のように、搬入に３日、搬出に２日間かかるとすれば、６台のハウジングＨ１、・・・、Ｈ６でローティションを組むと３０日で１順することになる。６台のハウジングＨ１、・・・、Ｈ６がローティションで運転されているときには、１台からは搬出、その後、搬入を行うことになる。本発明を実施する場合のハウジングＨ１、・・・、Ｈ６の台数は、複数台が望ましいが、１台であってもよい。即ち、稼働日数及び処理量から、その容量及び台数が決定される。
なお、以下の説明では、ハウジングＨ１、・・・、Ｈ６は、説明の簡略化のためにハウジングＨ１、・・・、Ｈ６の１台毎に対応する機器をｎを付して表現する。例えば、ハウジングＨｎは、ハウジングＨ１、・・・、Ｈ６の６台が所有する構成である。
なお、ハウジングＨｎは、その室内と室外の空気流を結果的に遮断できる程度の封止状態を維持するものであり、その室内温度を制御自在とした少なくとも、底面、両側面の３面以上がコンクリート製で形成されたものである。このハウジングＨｎの上部からハウジングＨｎ内の空気を排出する空気排出部３０ｎが形成されており、ハウジングＨｎの上部から室内の空気を循環させるファン（ブロワー）４１-1，・・・，４１-6（４１ｎ）が配設されている。室内空気を排出する空気排出部３０ｎは、ハウジングＨｎ室内の空気の排出により、ハウジングＨｎの室内を負圧にするため、及び酸素の供給量を増すために、ハウジングＨｎの上部から室内空気を排出する。
【００４０】
このファン４１ｎの吹き出しは、ハウジングＨｎの下面に圧縮空気を噴出させる空気供給部４０ｎに繋がっている。即ち、空気供給部４０ｎは、空気排出部３０ｎから排出される空気の排出量が、ハウジングＨｎ内が大気圧以下の圧力を維持できるように、空気排出部３０ｎから排出された空気を用いてハウジングＨｎの下面から圧縮空気として噴出させるものである。しかし、循環される空気量よりも、空気排出部３０ｎから外部に排出される空気の排出量が絶対的に大きくなっており、排出空気は各種フィルタを介して大気側に排出している。
また、このファン４１ｎの吸い込みには、新鮮な大気がファン４１ｎの入力側に供給され、室内の酸素量を補充し、その大気と混合した排出空気をハウジングＨｎに再度導入することで、ハウジングＨｎ内に酸素の補充をなしている。即ち、循環系のファン４１ｎにより、空気排出部３０ｎから排出された空気を用いてハウジングＨｎの下面の空気排出部３０ｎから圧縮空気として噴出させるハウジングＨｎの室内循環空気を形成している。
【００４１】
ハウジングＨｎの室内が正圧にならないように、ハウジングＨｎの上部から室内空気が排出される。外部、即ち、大気中に排出する室内空気は、必要に応じて化学脱臭装置９を介し、また、スクラバー装置１０で排出空気に含まれる有害物質を除去している。具体的には、水等の液体を洗浄液として、排出空気中の粒子を洗浄液や液膜で捕集して分離している。これは洗浄集じん装置とも呼ばれるものである。スクラバー装置１０を通過し、有害物質を除去された排出空気は、ファン１１で加圧されて、木材チップ等を充填してなるバイオフィルタ１２を通過して、大気に放出される。
【００４２】
バイオフィルタ１２では大気中に放出された排出空気に含まれる好気性細菌を木材チップ、堆肥床、土壌、ビート等で除去し、この木材チップは好気性細菌を付着した細菌保持木材チップｅとして使用される。バイオフィルタ１２で悪臭を除去制御するため、ハウジングＨｎや図示しない建物からの排気は、少なくとも屋外のバイオフィルタ１２で処理される。バイオフィルタ１２は、悪臭となるガスをフィルタの表面の水分で吸着し、生物的処理によって消化している。なお、バイオフィルタ１２に当該排出空気を導くファン１１は、必要に応じて回転数制御ができるようにインバータ制御されている。したがって、例えば、夜間に全工場の扉が閉まっているときには、処理する空気容積は少なくて済むので、回転速度を落として省エネルギ運転を行う。
なお、好気性細菌を付着した細菌保持木材チップｅは、木材に限定されるものではなく、適当に湿度が維持でき、乾燥状態でも好気性細菌が死滅しないものであればよい。
【００４３】
バイオフィルタ１２は、他の脱臭技術と比較して経済的で環境にやさしい。即ち、バイオフィルタ１２は、通常、環境温度、圧力で運転されるので、動力消費が比較的少ない。フィルタ機能での圧力損失は、通常１０ｃｍＨ2Ｏより小さく、運転コストが安くなる。
また、通常、汚染物質は、ＣＯ2やＨ2Ｏのような無害な物質や、ＳＯ4-やＮＯ3-のような無機イオンに分解されるから、バイオフィルタ１２以外の廃活性炭や化学汚泥のような空気汚染制御では、後処理が必要な残渣を発生することになる。しかし、本実施の形態のバイオフィルタ１２では、残渣が発生しない。加えて、焼却と異なり、バイオフィルタ１２は最小限に抑えてＣＯ2とＮＯXを排出する。
【００４４】
ハウジングＨｎの室内で好気性細菌を付着した細菌保持木材チップｅ及び発酵処理物ｄ入りの有機廃棄破砕物ａからなる未発酵処理物ｂは、好気性細菌によって分解され発酵処理物ｄとなる。したがって、ハウジングＨｎの室内で３０日間熟成された未発酵処理物ｂは好気性細菌によって分解され、発酵処理物ｄとなり、ホイールローダー２によって次の後処理工程に搬出される。
【００４５】
図２において、ハウジングＨｎからホイールローダー２によって排出された発酵処理物ｄは、選別機７内に搬送される。選別機７内には、所定の空気流が形成されていて、発酵処理物ｄの粒子の浮力及び篩（フルイ）で比重、重量、粒子の大きさの選別を行っている。軽量物は生ごみを収容する塵袋である可能性が高いので、廃プラスチック処理工程に移行させる。また、所定のサイズのメッシュからなる複数段の篩の上を発酵処理物ｄが流れることで、粒子の大きさの選別を行っている。
この選別機７に導入した空気流は、サイクロン８に導き、渦流で塵芥を下に落として除去し、サイクロン８の上部から塵芥を除去した空気を排出している。なお、サイクロン８の出力側にもファンで吸引するのが効果的である。
【００４６】
選別機７で所定の粒度以下の微粒物を選別し、その中でも、所定の重さを有するものは鉄、磁器、硝子等の可能性が高いので、収集金属類ｆとして処理する。所定の粒度以下の微粒物を選別しても、その中でも所定の重さに達しない軽量物は、生ごみを収容する塵袋である可能性が高いので、廃プラスチック処理工程に搬送するため廃プラスチック処理物ｇとして収集する。
【００４７】
所定の粒度以下の微粒物を抽出し、所定の粒子の大きさで、その中に所定の範囲内の重さ、所定の範囲内の比重の物は、生ごみを好気性発酵処理した発酵処理物ｄとして排出する。また、所定の粒度以下の微粒物であっても、所定の範囲内の重さに満たないものは、生ごみを収容する塵袋である可能性が高いので、廃プラスチック処理工程に移行するため廃プラスチック処理物ｇとして収集する。
【００４８】
そして、選別機７で所定の重量以上の物を選別する。その中でも、所定の重さ以上の物は、鉄、磁器、硝子等の可能性が高いので、収集金属類ｆとして収集する。また、所定の重さ以下であっても、所定の粒度以上の物には、異物が混在している可能性があるので、人為的に異物を除去し、その残渣を発酵処理物ｄとする。この発酵処理物ｄは所定の重量以上の物として選別しているので、所定の塊となった発酵処理済のものも含まれている。
【００４９】
上記図２の汎用性の有機廃棄物発酵処理装置であるが、図３は肥料に利用可能性が高い処理システムの説明図である。
図３において、図２に示した選別機７と同様、選別機７には所定の空気流が供給されていて、発酵処理物ｄの粒子の浮力で比重、重量の概略の選別をしている。また、所定のサイズのメッシュからなる複数段の篩の上を発酵処理物ｄを流すことで、粒子の大きさの選別を行っている。選別機７に導入した空気流は、サイクロン８に導き、渦流で塵芥を下方に落下させて分離し、サイクロンの上部から塵芥を除去した空気のみを排出している。
【００５０】
選別機７で所定の重さに達しない軽量物を選別し、それは生ごみを収容する塵袋である可能性が高いので、廃プラスチック処理物ｇとして収集し、コンテナに入れてフォークリフト２ａで廃プラスチック保管場に移動させ、廃プラスチック処理工程に搬送する。
そして、所定以上の重量物を選別し、その中でも所定の重さ以上の物は、鉄、磁器、硝子等の可能性が高いので、収集金属類ｆとして選別する。また、発酵処理物ｄであっても、十分に発酵できていない有機廃棄物或いは細菌保持有機体として使用する細菌保持木材チップｅが選別された可能性が高いことから、生ごみを好気性発酵処理した発酵処理物ｄとして排出する。
【００５１】
この混合機５に投入する細菌保持有機体として使用する細菌保持木材チップｅが含まれる発酵処理物ｄには、新たな木材チップが混合され、混合機５のホッパーに投入される細菌保持有機体として使用する発酵補助材として使用される。ここで、新たな木材チップが混合されて細菌保持有機体として使用する発酵処理物ｄが作成されたのは、所定の重量を有しているので、肥料化に適していないと判断したものである。勿論、ここで得られた発酵処理物ｄは固形燃料としての使用は可能である。ここで細菌保持有機体として使用する細菌保持木材チップｅが含まれる有機廃棄破砕物ａ及び発酵処理物ｄは、発明者の実験によれば、嵩密度が０．３Ｋｇ／ｍ3以上、０．８Ｋｇ／ｍ3以下の範囲に設定するのが能率的に好適な処理になる。嵩密度が０．３Ｋｇ／ｍ3未満では軽量化のために細菌保持木材チップｅ及び発酵処理物ｄを混入する量が増えるから、不経済な運転となる。しかし、０．８Ｋｇ／ｍ3を超えると、細菌保持木材チップｅ及び発酵処理物ｄを混入する量が少なくなるが好気性発酵処理する処理速度が遅くなり、効率的な処理ができなくなる。したがって、細菌保持木材チップｅ、有機廃棄破砕物ａ及び発酵処理物ｄは、嵩密度が０．３Ｋｇ／ｍ3以上、０．８Ｋｇ／ｍ3以下の範囲に調整される。但し、本実施の形態の有機廃棄物は、細菌保持木材チップｅ、有機廃棄破砕物ａ及び発酵処理物ｄからなることを前提とするが、有機廃棄破砕物ａ及び発酵処理物ｄ、または細菌保持木材チップｅ及び有機廃棄破砕物ａとすることもできる。
【００５２】
所定の粒度以下の微粒物を選別し、その中でも所定の重さを有するものは鉄、磁器、硝子等の可能性が高いので、収集金属類ｆとして処理する。所定の粒子の大きさで、所定の範囲内の重さ、所定の範囲内の比重の粒子は、生ごみを好気性発酵処理した発酵処理物ｄとして排出する。しかし、所定の範囲を超える重さの粒子は、生ごみを好気性発酵処理した発酵処理物ｄであっても、堆肥として使用するには発酵処理が完全でない可能性があるので、発酵補助材として再度、混合機５のホッパーに投入され、細菌保持有機体として使用される。
【００５３】
そして、所定の範囲の重さの粒子は、生ごみを好気性発酵処理した発酵処理物ｄとして、熟成床１５に格納される。熟成床１５では、大気がこの熟成床１５に送給されており、発酵処理物ｄの残留能力に応じた温度、湿度で熟成床１５の発酵処理物ｄを熟成させる。特に、水等は使用しないで、熟成床１５内の温度、湿度で熟成させている。
【００５４】
熟成床１５に収容された細粒物からなる発酵処理物ｄは、堆肥として使用できる程度にハウジングＨｎ内で熟成させるのは、ハウジングＨｎの使用効率を低下させると思われるものは、堆肥のための熟成床１５を別に用意したものである。熟成床１５は２重底になっていて、最下室は外気をファン１６で導入している。その下室と上室の境界は、パンチングメタルや、グレーチングが敷かれた底面となっており、そこに発酵処理物ｄが積載されるようになっている。
そして、熟成床１５で発酵処理物ｄは、３日から５０日程度熟成し、堆肥工場にトラック２ｂで搬送し、または、農業、林業に堆肥として供給することになる。
【００５５】
本実施の形態の熟成床１５は、コンクリートで区画された空間であり、そこに発酵処理物ｄが格納されたとき、発酵処理物ｄの低部から大気をファン１６で供給し、発酵処理物ｄの残留能力に応じた温度、湿度で熟成床１５の発酵処理物ｄを熟成させる。このときの熟成期間は、使途によって、また、発酵処理物ｄの粒子の大きさによって決まってくる。
【００５６】
次に、本実施の形態の有機廃棄物発酵処理装置を実施する全体構成について、図４乃至図６を用いて詳細に説明する。
ハウジングＨｎは、ここでは、１台の場合を前提に説明するが、本発明を実施する場合には、１台以上であればよい。
【００５７】
図４乃至図６に示すように、少なくとも３面以上、即ち、下面、両側面、上面の４面が強化コンクリート製で形成されたハウジングＨｎは、その室内と室外の空気流を遮断できる搬入搬出口５０ｎの扉５１ｎを有し、ハウジングＨｎの室内温度を制御自在としたものである。詳しくは、ハウジングＨｎは、その室内から室外方向の空気流を防止し、室外から室内方向の空気流を許容するものである。仮に、ハウジングＨｎの搬入口及び／または搬出口に扉５１ｎとの間に隙間があっても、室内側が負圧で室外から室内方向に空気流が生ずるものであればよい。なお、扉５１ｎは未発酵処理物ｂの積み込み及び発酵処理物ｄの積み出し時にのみ開けられ、処理工程時には常に閉じている。
【００５８】
通常、ハウジングＨｎは、両端部が搬入搬出口５０ｎとなって扉５１ｎで開閉自在となっている。特定方向を搬入口、他の方向を搬出口と別々にしていないのは、ハウジングＨｎに対する搬入及び搬出を同時に２方向から行うことを可能とし、作業効率の向上を目的としている。当然、ハウジングＨｎに対する搬入及び搬出を行う搬入搬出口５０ｎを１個とすることもできる。
【００５９】
３面以上が強化コンクリート製で形成されたハウジングＨｎとは、一般に、図４乃至図６に示すように、下面となる底部５６ｎ、その下面から立ち上がる左側壁部５３ｎと右側壁部５４ｎ、両側壁部の上に形成した天井部５５ｎからなる断面４角形の筒状に形成されている。
なお、プラスチック製の各種配管及びプラスチック製のエアーダクトを露出させることにより、天井部５５ｎをテント地として形成することもできる。したがって、ハウジングＨｎは３面以上がコンクリート製で形成されるものであればよい。
【００６０】
本実施の形態のハウジングＨｎの大きさは、具体的には、１００〜１０００ｍ3で、長さ２５ｍ〜５０ｍ、幅は２．９ｍ〜６ｍ、高さは４ｍ〜６ｍ程度であるが本発明を実施する場合には、それを超えるものも可能である。特に、搬入搬出口５０ｎの扉５１ｎのサイズは、扉の密閉構造、耐圧性によって制限されが、それをクリヤすれば、機械的に拘束されるものはない。
なお、未発酵処理物ｂのハウジングＨｎでの積み上げ高さは３．３〜３．５ｍ程度に制限すべきで、それよりも、高く積むと未発酵処理物ｂの下部が、圧縮して潰れ、原料の未発酵処理物ｂ内の均一な通気が妨げられる。また、床面は０．１５〜０．１８Ｋｇ/ｃｍ2の重圧に耐え、腐敗作用のある浸出液にも耐えるものであることが必要である。
【００６１】
ハウジングＨｎの下面には、圧縮空気を噴出させる空気供給部４０ｎが設けられている。空気供給部４０ｎは空気排出部３０ｎから排出される空気排出量が、ハウジングＨｎ内の大気圧以下の圧力を維持できるように、空気排出部３０ｎから排出された空気を用いてハウジングＨｎの下面から圧縮空気を噴出させるものである。
ハウジングＨｎの上部からハウジングＨｎ室内の空気を排出する空気排出部３０ｎは、ハウジングＨｎの室内高さの４／５以上の高さに吸引口３１ｎが配設され、ハウジングＨｎ室内上部から空気を吸引している。勿論、ハウジングＨｎの天井部に吸引口３１ｎを配設してもよい。
【００６２】
本実施の形態の空気排出部３０ｎは、図４に示すように、ハウジングＨｎの両側に配設した左側壁部５３ｎと右側壁部５４ｎの両側にダクト３２ｎの吸引口３１ｎを形成し、ハウジングＨｎの両側から室内空気の吸引を行っている。しかし、本発明を実施する場合には、ダクト３２ｎに代えて天井に沿って配設した樹脂配管によって吸引するように形成してもよい。何れにせよ、ハウジングＨｎ内に噴霧した水滴を吸引し、及び／または、空気供給部４０ｎからの空気を室内で循環させることなく排出する可能性があるので、それを回避する高さとしてハウジングＨｎの室内高さの４／５以上の高さに吸引口３１ｎが配設されないと効率的な運転ができ難い。
【００６３】
また、ホイールローダー２等がハウジングＨｎ内で作業する場合にも、４／５未満の位置に配管等があると障害となる。ハウジングＨｎ内での作業性を考慮すると、左側壁部５３ｎと右側壁部５４ｎの両側にダクト３２ｎの吸引口３１ｎを形成したものでは、ホイールローダー２の作業性に左右されることなく、自在な作業の動きがとれる。
【００６４】
空気排出部３０ｎから排出される空気排出量が、ハウジングＨｎ内を大気圧以下の圧力に維持できるように、空気排出部３０ｎから排出された空気を用いてハウジングＨｎの下面から圧縮空気を噴出させる空気供給部４０ｎを有している。空気供給部４０ｎではハウジングＨｎの上部から室内の空気を排出する空気排出部３０ｎで得られた排出空気を、ハウジングＨｎの下面から圧縮空気を噴出させ、ハウジングＨｎ内を循環させるもので、そのため空気排出部３０ｎと空気供給部４０ｎとの間にファン４１ｎを配設し、所定の空気圧を得ている。
【００６５】
ファン４１ｎとして一般にブロワーが用いられる。本実施の形態では１０〜１２ｍ3/ｈの流量以上の能力を持ち１２０〜１５０ｍｍＨ2Ｏの最大圧力が出せるものを使用し、速度制御のためにインバータ制御可能なものとしている。
なお、このファン４１ｎは、搬入搬出時を含めハウジングＨｎ内の循環系の空気流を停止することはない。常に動作させることにより、ダクト３２ｎの吸引口３１ｎ及び空気供給部４０ｎ側の目詰まりを防止している。
【００６６】
なお、ここで、空気排出部３０ｎとは、吸引口３１ｎからダクト３２ｎを介してファン４１ｎの入力までの排出路の構成であり、空気供給部４０ｎとは、ファン４１ｎ及びハウジングＨｎ内の下面から圧縮空気を噴出させる供給路の構成を意味する。また、ハウジングＨｎから毎分所定容積の空気量Ａ[ｍ3／min]を排出するハウジング空気排出系２００を構成している。また、そのうち、ハウジング空気供給系２００から排出された空気量Ａ[ｍ3／min]から毎分所定容積の空気量Ｂ[ｍ3／min]を必要なフィルタを介して大気に排出する大気側排出系２２０を有している。
【００６７】
したがって、ハウジングＨｎから毎分所定容積の空気量Ａ[ｍ3／min]を排出するハウジング空気排出系２００において、ダクト３２ｎを排出管路として、その吸引口３１ｎからファン４１ｎの入力までの排出路が空気排出部３０ｎである。
また、ファン４１ｎ及びハウジングＨｎ内の下面から圧縮空気を噴出させる供給路が管路であっても、コンクリートで作成された空間であっても供給路及びファン４１ｎから構成されるのが空気供給部４０ｎである。これは、ハウジングＨｎに毎分所定容積の空気量Ｄ[ｍ3／min]を供給するハウジング空気供給系２４０を形成している。
【００６８】
このファン４１ｎの吸い込みには、大気を導入する大気導入路２０、即ち、大気から新鮮空気を毎分所定容積の空気量Ｃ[ｍ3／min]を取込む大気吸入系２３０を有しており、その大気と混合した排出空気をハウジングＨｎに再度導入することで、ハウジングＨｎ内に酸素の補充をなしている。ファン４１ｎにより、空気排出部３０ｎから排出された空気を用いてハウジングＨｎの下面の空気排出部３０ｎから圧縮空気として噴出させるハウジングＨｎの室内循環空気路を形成している。また、必要によって、新鮮な大気がファン４１ｎの入力側に供給され、室内の酸素量を補充している。
【００６９】
即ち、ハウジングＨｎ内には、空気排出部３０ｎから一部の空気をファン４１ｎで取り込み、同時に、大気導入路２０から大気をファン４１ｎで取り込み、その混合された空気を空気供給部４０ｎから供給しており、ハウジングＨｎからハウジング空気排出系２００で排出された空気量Ａ[ｍ3／min]から大気に排出する大気側排出系２２０の毎分所定容積の空気量Ｂ[ｍ3／min]の差が循環に供される。
【００７０】
空気排出部３０ｎからハウジング空気排出系２００として取り込んだ空気量Ａ[ｍ3／min]から大気に排出する大気側排出系２２０の毎分所定容積の空気量Ｂ[ｍ3／min]の差の空気をファン４１ｎで取り込み、同時に、大気導入路２０から大気吸入系２３０として大気をファン４１ｎで取り込み、その混合された空気を空気供給部４０ｎからハウジング空気供給系２４０として供給した状態で、ハウジングＨｎの室内が正圧にならないように、ハウジングＨｎの上部から室内空気が濾過されて大気中に排出する大気側排出系２２０の値でハウジングＨｎ内を負にしている。大気中に排出する室内空気は、必要に応じて化学脱臭装置９を介し、また、スクラバー装置１０で排出空気に含まれる有害物質を除去している。
【００７１】
この大気中に排出する大気側排出系２２０の室内空気は、空気排出部３０ｎを構成するダクト３２ｎからファン４１ｎの入力までの排出路で分岐され、ファン４２ｎによって吸引され、化学脱臭装置９、スクラバー装置１０に供給される。なお、このファン４２ｎは、ハウジングＨｎの１台毎に配設してもよいし、複数台のハウジングＨｎに１台取り付けてもよい。ファン４２ｎを複数台に１台の割合で配設する場合には、空気排出部３０ｎとの間に流量調節のバルブを配設する必要がある。また、ファン４２ｎはファン４１ｎの入力よりも上流に配設しても結果的に同じである。
【００７２】
空気供給部４０ｎは、ファン４１ｎ及びハウジングＨｎ内の下面から圧縮空気を噴出させる供給路(管路)の構成であり、ハウジングＨｎに毎分所定容積の空気量Ｄ[ｍ3／min]を供給するハウジング空気供給系２４０であるが、その供給路は、図１０に示すように、ハウジングＨｎの底部５６ｎに埋設した比較的太い金属管または樹脂管からなるハウジングＨｎの長さ方向またはその長さ方向に直角な方向に配設した均圧管４３ｎに、ファン４１ｎの出力が接続されている。均圧管４３ｎには、等間隔に円孔４４ｎが形成されていて、その円孔４４ｎに硬質ゴムからなるスリーブ４５ｎが配設されている。スリーブ４５ｎの中央には、噴射孔４６ｎが形成されていて、均圧管４３ｎと連結されている。
【００７３】
この均圧管４３ｎは、図１０に示すように、ファン４１ｎからの圧縮空気が、ベルヌーイの定理に従って、その流速に影響されないように、流速変化が少ない形状としたものである。勿論、噴射孔４６ｎの口径でそれを調整することもできる。なお、均圧管４３ｎは、圧力を保持するタンクとしても機能する。均圧管４３ｎに配設したスリーブ４５ｎは、ハウジングＨｎ及びハウジング空気排出系２００及びハウジング空気供給系２４０の空気の循環系で、流体抵抗が最大なものであり、その循環系では、そこに最大流体損失が発生する。この噴射孔４６ｎの形状は正面から見て円に限定されるものではなく、楕円、三角形、四角形等の多角形等のいずれかとすることができる。また、噴射孔４６ｎと排水溝４７ｎとの関係は、排水溝４７ｎの底面と同一平面になるように噴射孔４６ｎの上端を設計できる。
【００７４】
スリーブ４５ｎの均圧管４３ｎの反対端部は、ハウジングＨｎの底部５６ｎの上面であるハウジングＨｎの底面に形成された排水溝４７ｎに露出し、スリーブ４５ｎの中央の噴射孔４６ｎは均圧管４３ｎと排水溝４７ｎとを連結している。排水溝４７ｎは、噴霧ノズル６６ｎから噴霧した水滴をまとめて排水し、排水溝７０ｎで収集するものである。この排水溝４７ｎは、ハウジングＨｎの下面に傾斜を付与して余剰水を収集するものでも、また、排水溝４７ｎの底面を水平に形成し、排水が所定以上たまった時に流れるように設定してもよい。また、排水溝４７ｎの底面を水平に形成し、排水が所定以上たまった時にスリーブ４５ｎから均圧管４３ｎ側に流れるように設定し、均圧管４３ｎで排水するように設定してもよい。なお、排水溝４７ｎの清掃は、排水溝４７ｎの幅のスクレバーにより、簡単に清掃可能である。
【００７５】
スリーブ４５ｎの中央の噴射孔４６ｎは、ファン４１ｎで送給された圧縮空気を噴出させるもので、ハウジングＨｎ内の下面から空気排出部３０ｎから排出される空気排出量が、ハウジング内の大気圧以下の圧力を維持できるように、空気排出部３０ｎから排出された空気を用いて室内空気の一部を循環させるハウジングＨｎの下面から圧縮空気を噴出させる空気供給部の一部を構成している。スリーブ４５ｎはハウジングＨｎ内の下面に縦横等間隔で、均等に多数配設している。
【００７６】
ここで、スリーブ４５ｎの噴射孔４６ｎが、ハウジングＨｎ及びハウジング空気排出系２００及びハウジング空気供給系２４０の空気の循環系で、流体抵抗が最大とし、そこに最大流体損失を発生させるとは、ハウジングＨｎ内に積み上げ高さは３．３〜３．５ｍ程度に未発酵処理物ｂを積み上げても、その密度が低く、少なくとも、ハウジングＨｎ及びハウジング空気供給系２４０で形成される流体抵抗、ハウジングＨｎ及びハウジング空気排出系２００及びハウジング空気供給系２４０で形成される流体抵抗としては、大きな値にならない。したがって、ハウジングＨｎの内部に未発酵処理物ｂの存在する場合、存在していない場合、その積み上げの高低等に左右されないで使用できる。
【００７７】
ハウジングＨｎは、その上部からハウジングＨｎ内に水を噴霧する加湿部６０ｎを有している。加湿部６０ｎは、水滴として噴霧する必要数の噴霧ノズル６６ｎを有しており、ハウジングＨｎ内に略均一に水滴を噴霧できる構造となっている。水滴として噴霧する水は、外部から供給された工業用水及び噴霧に使用した水滴がまとまって排水となった水を濾過して使用している。したがって、この水滴として噴霧する水には、運転状態では、好気性細菌を含むことになり、好気性細菌をも噴霧することになる。
【００７８】
原料の未発酵処理物ｂの水分率の調整は、ハウジングＨｎの天井側に設けられた散水ノズル６６ｎで行う。ハウジングＨｎの空気排出部３０ｎから排出された空気の水分率に応じてその投入量が定められる。各ハウジングＨｎは独立して制御されている。
このため、噴霧に使用した水滴は、ハウジングＨｎの下面に水が流れる程度の傾斜が付けられており、噴霧に使用された水はハウジングＨｎの下面に沿って流れ、ハウジングＨｎの搬入搬出口５０ｎの排水溝７０ｎで収集される。排水溝７０ｎは通常グレーチング７１ｎが被せられており、ホイールローダー２の移動には支障がない構造になっている。搬入搬出口５０ｎの排水溝７０ｎで収集された水は、排水路７２ｎを介して場内排水タンク６３でまとめられる。場内排水タンク６３では、工業用水である補充水をそこに導入し、まとめられた排水は所定の濃度に希釈される。
【００７９】
場内排水タンク６３には、隣接して供給タンク６５を有しており、場内排水タンク６３に導入された水をフィルタ６４で濾過した後、その清浄水を供給タンク６５に移動させ、供給タンク６５からポンプ６２ｎで加圧し、加圧水路６１ｎを介して噴霧ノズル６６ｎから噴霧される。この時使用するフィルタ６４は、好気性細菌が含まれていてもよいから、ごみ、砂、微粒子等を除去するものであればよい。
本実施の形態では、水滴として噴霧する必要数の噴霧ノズル６６ｎの加圧水路６４である配管は、ハウジングＨｎの天井に埋設され、それに伴って天井に噴霧ノズル６６ｎが配設されている。
【００８０】
したがって、噴霧ノズル６６ｎから噴射される水滴の広がりが広くなり、かつ、ホイールローダー２等がハウジングＨｎ内で作業する場合にも、天井に噴霧ノズル６６ｎが配設されているから、ホイールローダー２の作業性が左右されることなく自在な動きがとれる。なお、加圧水路６１ｎ及び噴霧ノズル６６ｎ及び水を圧送するポンプ６２ｎは、加湿部６０ｎを構成している。
勿論、ハウジングＨｎの天井に沿って加圧水路６１ｎを配管し、そこに噴霧ノズル６６ｎを配設してもよい。
【００８１】
ハウジングＨｎの下部には、少なくとも乾燥状態で冬眠可能であり、また、ハウジングＨｎ内に供給された有機廃棄破砕物ａからなる有機廃棄物によって湿度が上昇すると活性化可能となる好気性細菌を付着する有機材料からなる有機廃棄破砕物ａ及び／または発酵処理物ｄからなる未発酵処理物ｂ、及び／または細菌保持木材チップｅからなる細菌保持有機体を収容し、それを所定の湿度で発酵させることにより、温度上昇させてより好気性細菌の活性を活発化させている。
【００８２】
本実施の形態の有機廃棄物発酵処理装置は、主な情報管理のみを取り上げると、図７に示すようにコンピュータ制御される。
まず、コンピュータＣＯＭＰには、ハウジングＨｎの室内温度、室内湿度、室内圧力の情報がセンサで検出され、それが入力されている。なお、室内湿度は必ずしも管理が必要ではなく、室温、噴霧する水量が決定されれば、維持されるものであるから、有機廃棄物発酵処理装置の全体から省略することができる。
【００８３】
また、扉５１ｎの開閉についても、それが検出され、入力されている。空気排出部３０ｎの排出空気の温度、湿度、圧力が検出され、それをコンピュータＣＯＭＰの入力としている。そして、空気供給部４０ｎの供給空気の温度、湿度、圧力が検出され、それをコンピュータＣＯＭＰの入力としている。同様に、加湿部６０ｎの水圧、水量、水温が検出され、それをコンピュータＣＯＭＰの入力としている。
【００８４】
空気排出部３０ｎ及び空気供給部４０ｎ及びハウジングＨｎの情報は、主に、ファン４１ｎとファン４２ｎの制御に使用している。また、加湿部６０ｎ及びハウジングＨｎの情報は、主に、ポンプ６２ｎに使用している。
そして、破砕機４、混合機５、選別機７は、個々に駆動され、指定された処理材料が流れるように制御されている。化学脱臭装置９、スクラバー装置１０、バイオフィルタ１２等も独自に監視及び運転されている。熟成床１５についても、単にファン１６の制御のみではなく、日程管理情報として制御及び管理されている。
【００８５】
本実施の形態の有機廃棄物発酵処理装置においては、全体の概略流れが、図８のフローチャートのように制御される。
まず、ステップＳ１で生ごみが収集されて搬送されてくると、このフローチャートに従って、処理が開始される。ステップＳ２で生ごみが受入ストックヤードに下ろされると、ステップＳ３で所定の時間内に破砕機４によって破砕し、有機廃棄破砕物ａとしている。ステップＳ４で破砕物ストックヤードにその有機廃棄破砕物ａを収集する。ステップＳ５でその収集した有機廃棄破砕物ａを所定の時間内に混合機５に投入し、そこで、好気性細菌を付着した細菌保持木材チップｅを入れた発酵処理物ｄと混合し、ステップＳ６で混合破砕物ストックヤードにそれを収集する。即ち、ここで、有機廃棄破砕物ａに発酵処理物ｄ入りの有機廃棄破砕物ａを混合した未発酵処理物ｂを作成する。必要に応じて、混合破砕物ストックヤードにおいても、混合状態を均一にする作業を行う。
【００８６】
ステップＳ７で未発酵処理物ｂをハウジングＨｎに詰め込み、そこで温度管理及び湿度管理、気圧管理をし、発酵及び熟成させる。ステップＳ８で発酵及び熟成の完了が検出されると、ステップＳ９で発酵処理物ｄとして発酵処理物ストックヤードにそれを収集し、次の処理を待つ。本実施の形態では、発酵処理物ストックヤードの発酵処理物ｄを順次選別機７に送り、選別機７では、所定の風力を導入し、寸法及び重力（比重）の基準で３種類のパターンに選別している。
【００８７】
まず、ステップＳ１０で寸法が４０ｍｍ未満と判断したとき、ステップＳ１１で重量選別を行い、所定の重量に満たないとき、破袋のプラスチックの可能性が高いから、廃プラスチック処理工程に移動させる。また、ステップＳ１２で篩選別を行い、１０ｍｍ以上の塊の場合には、再度熟成させるべく、ステップＳ５に移行させる。篩選別の結果、１０ｍｍ未満の塊の場合には、熟成されて細分化された可能性があるので、再度粒径が小さいものの重量をステップＳ１２で判断する。ステップＳ１２で重いと判断された場合には、金属、陶磁器、ガラス等が混じっている可能性があるので、収集金属類として分離する。
しかし、ステップＳ１３で軽いと判断された場合には、発酵処理物ｄとしてそのストックヤードにまとめられる。
【００８８】
ステップＳ１０で４０ｍｍ以上の軽量物と判断された場合には、ステップＳ１５でその重量の選別を行い、軽い場合には、ステップＳ１６で破袋のプラスチックの可能性が高いから、廃プラスチックストックヤードにまとめる。重い場合には、ステップＳ１７の処理に入る。
ステップＳ１０の４０ｍｍ以上の重量物と判断された場合とステップＳ１５で重い場合と判断されたときは、ステップＳ１７で磁気選別を行い、鉄のときには、ステップＳ１８でそのストックヤードに格納する。また、非鉄と判断されたときには、ステップＳ１９で人為的に選別を行い、異物を発見した場合には、ステップＳ２０の異物ストックヤードに集める。また、ステップＳ１９で発酵処理物ｄと判断されても、ここで選択された発酵処理物ｄは大きいから、ステップＳ２１で一時的に発酵処理物ストックヤードに格納するが、再度、ステップＳ５の処理から繰り返し、発酵処理を行う。
なお、これらの処理は、コンピュータＣＯＭＰによって時間管理ブログラム及び発酵熟成プログラムを実行することによって、適切な制御がなされる。
【００８９】
この発明の有機廃棄物発酵処理装置では、室内と室外の空気流を遮断でき、前記室内温度を制御自在とした少なくとも３面以上がコンクリート製で形成されたハウジングＨｎと、ハウジングＨｎの上部からハウジングＨｎ内の空気を排出する空気排出部３０ｎと、空気排出部３０ｎから排出される空気排出量が、ハウジングＨｎ内の大気圧以下の圧力を維持できるように、空気排出部３０ｎから排出された空気を用いてハウジングＨｎの下面から圧縮空気を噴出させる空気供給部４０ｎと、ハウジングＨｎの上部からハウジングＨｎ内に水を噴霧する加湿部６０ｎと、ハウジングＨｎ下部に配置され、少なくとも乾燥状態で冬眠可能であり、また、ハウジングＨｎ内に供給された有機廃棄物によって湿度が上昇すると活性化可能となる好気性細菌を付着する有機材料である有機廃棄破砕物ａ及び／または発酵処理物ｄからなる未発酵処理物ｂ及び／または細菌保持木材チップｅからなる細菌保持有機体とを具備するものである。
【００９０】
したがって、本発明の実施の形態の有機廃棄物発酵処理装置は、コンクリート製のハウジングＨｎの上部の空気排出部３０ｎから所定の空気が排出され、また、ハウジングＨｎの大気圧以下の室内圧力を維持できるように、ハウジングＨｎの下面の空気供給部４０ｎから圧縮空気を噴出させるものである。このとき、有機廃棄物が存在しておらず乾燥状態であれば、ハウジングＨｎの室内の下部に配置された好気性細菌が少なくとも冬眠可能である。
【００９１】
ハウジングＨｎの室内に供給された有機廃棄物及び好気性細菌を付着する有機材料からなる有機廃棄破砕物ａ及び／または発酵処理物ｄからなる未発酵処理物ｂ、及び／または細菌保持木材チップｅからなる細菌保持有機体は、加湿部６０ｎによってハウジングＨｎの上部からハウジングＨｎの室内に噴霧され、その水分によって好気性細菌が活性化される。好気性細菌によって有機廃棄物及び有機材料である有機廃棄破砕物ａ及び／または発酵処理物ｄからなる未発酵処理物ｂ、及び／または細菌保持木材チップｅからなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌はハウジングＨｎの下面からの圧縮空気で浮上し、上部にある有機廃棄物に付着し、また、加湿部６０ｎからの室内噴霧により落とされ、有機廃棄物に再度付着することになる。そして、水滴により、好気性細菌を上から下に移動させることにもなり、効率の良い発酵処理が可能となる。
【００９２】
このように、好気性細菌によって有機廃棄物及び有機材料でなる有機廃棄破砕物ａ及び／または発酵処理物ｄからなる未発酵処理物ｂ、及び／または細菌保持木材チップｅからなる細菌保持有機体は、ハウジングＨｎの下面に空気供給部４０ｎを設け、そこから圧縮空気を噴出させるものであるから、有機廃棄物及び有機材料からなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【００９３】
このように構成されている有機廃棄物発酵処理装置では、次のような特徴がある。
まず、通常、ハウジングＨｎ等の処理工程は、建屋内部を常に陰圧に保ち、閉ざされた建造物の内部で行われる。このため、敷地外からの悪臭の苦情が入ることがない。建物内から排出される空気は、化学脱臭装置９、スクラバー装置１０等の粉塵除去システム、ガス洗浄装置を経た後、バイオフィルタ１２で処理しているから、制御不能な臭いの漏れを防ぐことができる。しかし、念のため、これらの建造物の扉５１ｎには快速閉鎖ドアの使用が好ましい。
【００９４】
ハウジングＨｎ内における好気性発酵は、微生物活動の中では最も基本的な公知の発酵であり、微生物が酸素を利用して体内で消費するエネルギを得るもので、特に、酸素は非常に強い酸化性物質であるから高い効率で生物活動を営むことができ、かつ、この好気性発酵は物質循環の大切な役割を担っている。
即ち、植物は生まれて、光合成をして二酸化炭素から有機物を生産する生命活動を営んでいる。動物は生まれ、植物や他の動物から有機物を摂取して生命活動を営んでいる。しかし、何れも、やがて死に至り活動を停止する。死に至らない間は、代謝によってその体内の一部を新陳代謝し、廃棄と生成を繰り返している。生物界のリサイクルは、専ら好気性の微生物の働きによって行われ、自然に悪臭処理まで行っている。堆肥もその代表例で、堆肥化では殆どの生分解性の廃棄物、食物残渣、剪定枝、下水汚泥等を使用することができる。
【００９５】
また、堆肥化工程では、酸素が消費され二酸化炭素、水とエネルギ(熱)が生産され、この堆肥化中に生じる全反応は、
生物廃棄物＋Ｏ2 →  微生物バイオマス＋非分解性物質＋ＣＯ2＋Ｈ2０＋熱
ここで発生した熱は、堆肥の温度を上昇させ、堆肥化工程の初期において生物分解速度を増加させる。その後、易分解性有機物質の分解が終了すると変換速度が遅くなり温度が周囲温度のレベルまで下がることになる。
【００９６】
好気性発酵による堆肥化は、多種多様なシステムが提案されており、本発明の実施の形態もバイオセル方式とも呼ばれる密閉型のコンクリート製のハウジングＨｎ内で堆肥化を行うものである。特に、近年では周辺環境に与える影響、例えば、悪臭の問題等から密閉容器や建物内での堆肥化方式が主流となっている。この発明の有機廃棄物発酵処理装置は、水分量、酸素濃度、工程変数の制御が自動化され、高効率化され、しかも、安全な均一処理であるばかりか、ロット毎の処理記録が残り、自治体の諸規制に対する適合性の証明もできる。
【００９７】
この発明の有機廃棄物発酵処理装置は、コンピュータ制御により各工程の自動制御が可能で、例えば、堆肥化過程に応じた通気制御が可能であり、センサによる温度、湿度、酸素濃度、或いは二酸化炭素濃度をモニタできる。これによって最終製品の品質保証が可能となる。
また、ハウジングＨｎを用いてガス・悪臭物質の排出がない制御が可能である。また、空気は簡単にハウジングＨｎ内で循環することができ、外の空気を連続的に取り入れる必要がない。そして、作業員と堆肥化原料の接触が制限され、生廃棄物に雑菌汚染等の懸念がある使用済みオムツ、生理ナプキン等に触れることがないので特に有益である。
【００９８】
そして、排気は全てスクラバー装置１０とバイオフィルタ１２を経て処理された後、大気中に放出される構成とすることができるから、バイオフィルタ１２は通常よりも大きく設計でき、ハウジングＨｎ内を負圧に保ち、臭気が外へ漏れ出すのを防ぐことができる。
更に、トンネル内部の水分調整、加湿には主にトンネル自身からの浸出水を用いて不足分を外部の工業用水から補うものであるから、この発明の有機廃棄物発酵処理装置は施設からの汚水の排出を皆無にできる。
【００９９】
前述したバイオセル方式は、静的バイオセルと動的バイオセルに分けられるが、この発明の有機廃棄物発酵処理装置は、静的バイオセルに分類される。即ち、原料はトンネル状のハウジングＨｎからなる構築物の中で静止され、好気性細菌による発酵過程中の移動は生じない。
殊に、この発明の有機廃棄物発酵処理装置は、好気性細菌による発酵過程中の移動は生じない静的バイオセルに属するから、装置の維持管理の上で非常に大きな利点となる。即ち、ハウジングＨｎで処理する廃棄物は常に一定の性状でなく、毎回異なる種々雑多な原料で構成されているから、装置内部に可動部がある動的バイオセルでは、可動部が故障し、システムダウンのリスクを常に抱える。しかし、この発明の有機廃棄物発酵処理装置は、静的バイオセルで構成され、装置内部に可動部を持たないから、そのようなリスクは発生しない。
【０１００】
次に、この発明の有機廃棄物発酵処理装置によって堆肥化する場合について説明する。
堆肥化するには、初期過程、高温過程、中温過程、冷却過程の４過程に分けることができる。
まず、初期過程は、堆肥化初期の数日間には、易分解性の有機物質が、例えば、たんぱく質、アミノ酸、糖質等を豊富に含むから、バクテリア、糸状菌等が積極的にこれらを分解し、ハウジングＨｎ内の温度を上昇させる。この過程で重要なことは、原料に水分過剰の部分が含まれていたり、通気不足で酸欠部分がでると、易分解性の物質が多く含まれると直ちに嫌気性細菌が働き出し、悪臭物質である脂肪酸類やアンモニア、硫化水素等を生成開始するので注意すべきである。また、嫌気性発酵は吸熱反応である場合が多く、周囲の温度を奪い、好気性発酵の活性化を妨害する。このため、原料投入前の水分調整や混合構造化、均一化作業は、堆肥化に非常に重要な作業である。
【０１０１】
高温過程では、易分解性の物質が消費され温度が高温になると高温性好気性の放線菌が有機物の分解に携わるようになり、ヘミセルロースやセルロースの分解が始まり、温度は最高６０℃〜８０℃になる。この過程中に重要なことは、高温環境によって雑菌類が死滅し、堆肥の衛生化が図れることである。適切な温度とその持続時間が衛生条件として推奨される。
【０１０２】
中温過程では、原料中から易分解性の有機物質が消費されて殆どなくなり、高温のため細菌の活動も弱くなる。すると、セルロースの積極的な分解とリグニン等の難分解性物質の分解が開始される。反応速度の低下から温度は３５℃〜３０℃の中温域へ降下する。この時期に新たに担子菌等のリグニン分解菌の働きが始まる。この時期の分解によって水分減少が最も進むので、原料の重量減少には、中温状態の４５℃前後を維持することが堆肥化を効率化、高速化する上で重要である。
【０１０３】
この過程中で重要なことは、水分と酸素濃度を適切に保つことである。この過程では、セルロースの分解は、好気性細菌のみで行われるのではなく、嫌気性細菌と好気性細菌の役割分担によって、より効率的に進められている。このため、効率的な堆肥化の進行のためには水分の過不足には注意を払う必要がある。この時点で一次発酵は終了し、この過程以降では嫌気性発酵による悪臭物質の生成は生じなくなる。
【０１０４】
冷却過程では、温度は環境周囲温度とほぼ変わらない温度まで下がってくる。この過程での分解速度は遅く土壌と変わらなくなる。この過程でのＰＨは約８と一定である。また、大型の生物、例えば、ダニ、トビムシ、ミミズや昆虫が分解に参加してくる。この過程を経て、熟成堆肥となる。
この冷却過程では、熟成床１５で処理される。熟成床１５では、大気がこの熟成床１５に送給され、発酵処理物ｄの残留能力に応じた温度、湿度で熟成床１５の発酵処理物ｄを熟成させる。
【０１０５】
ハウジングＨｎ内では、堆肥化における初期過程から中温過程までの過程を行う。その理由は、堆肥化の最終工程である冷却過程では反応速度が遅くなり、非常に処理時間がかかるので、ハウジングＨｎ内で行うのは非経済的である。また、工程変数の調整が不要である。そして、再発酵や悪臭発生の心配がなく屋外に放置可能であることが要因である。
しかし、完熟した堆肥においては、熟成は必要不可欠であるため、図３に示すハウジングＨｎの外に熟成床１５を準備するか、ハウジングＨｎ内でエアレーション設備を備え付けた熟成床１５を準備する必要がある。
この熟成床１５で、ハウジングＨｎから出た原料の発酵処理物ｄを数日から数週間寝かせ、発酵完了の確認と最終水分調整を行う。その後、用途や使用条件に合わせた篩分けや、必要があれば更なる熟成を経て、高品位な堆肥を得ることができる。
【０１０６】
この発明の有機廃棄物発酵処理装置による悪臭対策は次のようになっている。
一般に、悪臭物質は、原料の腐敗、主に、嫌気性発酵によって発生する。この有機廃棄物発酵処理装置では、原料受入れと同時に、有機廃棄破砕物ａと共に発酵処理物ｄの混合破砕を行い未発酵処理物ｂの水分調整し、嫌気性発酵の発生を抑制することで悪臭物質の発生を最低限に抑えるようにしている。
【０１０７】
また、水分調整が終わった未発酵処理物ｂは直ちに空きハウジングＨｎに投入される。ハウジングＨｎの内部は、常に通気されており、好気性発酵が直ちに始まり、悪臭物質の生成がされないような環境で保管処理される。
一般に、悪臭処理方法としては、ガス燃焼、活性炭吸着、生物脱臭法等の方法が提案されているが、この実施の形態では生物脱臭法を採用した。生物脱臭法は、堆肥化施設から排出される臭気を含んだガスの処理としては、スクラバー装置１０とバイオフィルタ１２を組み合わせた脱臭法である。この方法は、比較的薄いが大量に発生する臭気を経済的に処理するのに最も適している。
【０１０８】
生物脱臭法については、処理空気量、処理速度等以上にフィルタ媒体、例えば、木材チップの乾燥状態等が問題になる。基本設計に加え、操業時の水分補給を怠らなければバイオフィルタ１２の脱臭能力は維持され、適切に働くことが確認された。このバイオフィルタ１２は、排気ガス中の化合物を微生物によって分解する。バイオフィルタ１２は、堆肥床、木材チップ、土壌、ビートや他の物質(フィルタ媒体)からなっている。
【０１０９】
バイオフィルタ１２の性能と信頼性は、微生物細胞が、望ましくない副生成物を生産することなく汚染物質を食物或いはエネルギ源として分解するようにフィルタ内の環境を確立することによって改善できる。バイオフィルタ１２内で生じている分解に作用する微生物は、自然の状態で既にフィルタ媒体内に存在している。臭い分子の除去は、
有機性汚染物質＋Ｏ2  →  微生物バイオマス＋ＣＯ2＋Ｈ2０＋熱
として表現でき、二酸化炭素、水、無機化合物と低濃度の臭い分子のみがバイオフィルタ１２から放出される。
【０１１０】
化学脱臭装置９は、フィルタ媒体中を強制通過させ、そこで、ガス中に含まれる水溶性の化合物がフィルタ媒体を覆っている湿潤状態のバイオフィルムに溶解吸収される。バイオフィルムは、水分と多糖類、バクテリアのエコシステムに起因する物質や微生物に由来する物質で構成された薄い層である。気流中のガスがバイオフィルムの中に入ると、汚染物質は、微生物と接触し、化合物が分解される。
【０１１１】
本実施の形態の有機廃棄物発酵処理装置におけるハウジングＨｎ内部を負圧にする構成は、次のように行われる。
本実施の形態の有機廃棄物発酵処理装置は、有機廃棄物の供給によって活性化する好気性細菌を収容し、上部から必要量の水を噴霧自在なハウジングＨｎから毎分所定容積の空気量Ａ[ｍ3／min]を排出するハウジング空気排出系２００と、前記ハウジング空気排出系２００から排出された空気量Ａ[ｍ3／min]から毎分所定容積の空気量Ｂ[ｍ3／min]を、必要なフィルタを介して大気に排出する大気側排出系２２０と、大気から新鮮空気を毎分所定容積の空気量Ｃ[ｍ3／min]を取込む大気吸入系２３０と、前記ハウジングに毎分所定容積の空気量Ｄ[ｍ3／min]を供給するハウジング空気供給系２４０を具備し、前記毎分の各空気量Ａ、Ｂ、Ｃ、Ｄ[ｍ3／min] がＡ−Ｂ＋Ｃ−Ｄ＞０またはＡ−Ｂ−Ｄ＞０の何れかの関係を維持し、有機廃棄物によって活性化する好気性細菌を収容した前記ハウジングが大気圧に対して負圧とした状態で、前記ハウジングに供給された有機廃棄物を好気性発酵処理によって堆肥化するものである。
【０１１２】
本実施の形態の有機廃棄物発酵処理装置は、有機廃棄物の供給によって活性化する好気性細菌を収容し、上部から必要量の水を噴霧自在なハウジングＨｎから毎分所定容積の空気量Ａ[ｍ3／min]を排出するハウジング空気排出系２００と、ハウジング空気排出系２００から排出された空気量Ａ[ｍ3／min]から毎分所定容積の空気量Ｂ[ｍ3／min]を、必要なフィルタを介して大気に排出する大気側排出系２２０と、大気から新鮮空気を毎分所定容積の空気量Ｃ[ｍ3／min]を取込む大気吸入系２３０と、ハウジングＨｎに毎分所定容積の空気量Ｄ[ｍ3／min]を供給するハウジング空気供給系２４０を具備し、ハウジング空気排出系２００はハウジングＨｎから毎分所定容積の空気量Ａ[ｍ3／min]を排出すると同時に大気側排出系２２０が空気量Ａ[ｍ3／min]から毎分所定容積の空気量Ｂ[ｍ3／min]を大気に排出しているから、ハウジングＨｎからは毎分所定容積の空気量Ａ−Ｂ[ｍ3／min]だけ内部の空気が循環に使用され、循環空気としてる。ハウジングＨｎからは毎分所定容積の空気量Ｂ[ｍ3／min]だけ内部の空気が排出される。しかし、ハウジング空気供給系２４０からハウジングＨｎに毎分空気量Ｄ[ｍ3／min]を供給するが、その供給量は空気量Ａ−Ｂ＋Ｃ[ｍ3／min]であり、前記毎分の各空気量Ａ、Ｂ、Ｃ、Ｄ[ｍ3／min] はＡ−Ｂ＋Ｃ−Ｄ＞０またはＡ−Ｂ−Ｄ＞０の何れかの関係を維持し、有機廃棄物によって活性化する好気性細菌を収容したハウジングＨｎが大気圧に対して負圧とした状態で、前記ハウジングに供給された有機廃棄物を好気性発酵処理によって堆肥化するものである。
【０１１３】
したがって、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性を否定できる。
特に、本発明の実施の形態では、ハウジングＨｎから空気量Ａ[ｍ3／min]を排出するハウジング空気排出系２００と、ハウジング空気供給系２４０から排出された空気量Ａ[ｍ3／min]から空気量Ｂ[ｍ3／min]を必要なフィルタを介して大気に排出する大気側排出系２２０とが１系統になっているから、ファン４２ｎの制御のみで大気側排出系２２０の出力を大きくし、ハウジングＨｎを負圧に設定することができ、任意の制御が可能となる。
【０１１４】
ところで、図４の実施の形態の有機廃棄物発酵処理装置は、ファン４２ｎで大気側排出系２２０の空気量Ｂ[ｍ3／min]を決定しているが、本発明を実施する場合には、空気排出部３０ｎからファン４１ｎとファン４２ｎに分岐する前にファンを配設することもできる。そのとき、ファン４２ｎを省略し、当該分岐点にバルブを配設してもよい。また、図９に示す構造としてもよい。
【０１１５】
本実施の形態の有機廃棄物発酵処理装置は、有機廃棄物の供給によって活性化する好気性細菌を収容し、上部から必要量の水を噴霧自在なハウジングＨｎから毎分所定容積の空気量Ａ[ｍ3／min]を排出するハウジング空気排出系２００と、ハウジング空気排出系２００から排出された空気量Ａ[ｍ3／min]から毎分所定容積の空気量Ｂ[ｍ3／min]を、必要なフィルタを介して大気に排出する大気側排出系２２０と、大気から新鮮空気を毎分所定容積の空気量Ｃ[ｍ3／min]を取込む大気吸入系２３０と、ハウジングＨｎに毎分所定容積の空気量Ｄ[ｍ3／min]を供給するハウジング空気供給系２４０を具備し、前記ハウジング空気供給系２４０からハウジングＨｎ内に空気を噴射する複数個の噴射孔４６ｎの総合面積がハウジング空気供給系２４０の空気供給部４０ｎの管路の断面積よりも小さく設定し、有機廃棄物によって活性化する好気性細菌を収容したハウジングＨｎ内が大気圧に対して負圧とした状態で、ハウジングＨｎ内に供給された有機廃棄物を好気性発酵処理によって堆肥化するものである。
【０１１６】
このように、ハウジング空気供給系２４０からハウジングＨｎ内に空気を噴射する複数個の噴射孔４６ｎの総合面積がハウジング空気供給系２４０の管路の断面積よりも小さく設定し、その流体抵抗が大きいからハウジング空気供給系２４０から供給される流体損失は複数個の噴射孔４６ｎで最大となる。
したがって、ハウジングＨｎの内部で未発酵処理物ｂの積載量のばらつきがあっても、噴射孔４６ｎの開口面積が一定であるから、その流体抵抗が下がることはない。未発酵処理物ｂの積載量が多いと、そこで空気の流速が遅くなるから、その部位の圧力が上昇し、未発酵処理物の浮力が大きくなり、未発酵処理物ｂの積載密度を低下させる。未発酵処理物ｂの積載量がないと、または少ないと、そこで空気の流速が速くなり、その部位の流体抵抗が大きくなるから、ハウジングＨｎ内部の未発酵処理物ｂの積載量に左右されないで有機廃棄物を好気性発酵処理によって撹拌または温度上昇させる外部エネルギをなくして堆肥化することができる。
【０１１７】
そして、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性をなくすことができる。
特に、本発明の実施の形態では、ハウジングＨｎから空気量Ａ[ｍ3／min]を排出するハウジング空気排出系２００と、ハウジング空気排出系２００から排出された空気量Ａ[ｍ3／min]から空気量Ｂ[ｍ3／min]を必要なフィルタを介して大気に排出する大気側排出系Ｂとが１系統になっているから、電動機またはバルブの制御のみで大気側排出系Ｂの出力を大きくし、ハウジングＨｎを負圧に設定することができ、任意の制御が可能となる。
［実施の形態２］
【０１１８】
図９に示すように、本実施の形態の有機廃棄物発酵処理装置は、有機廃棄物の供給によって活性化する好気性細菌を収容し、上部から必要量の水を噴霧自在なハウジングＨｎから毎分所定容積の空気量Ｅ[ｍ3／min]を排出するハウジング空気排出系２１０と、ハウジングＨｎから毎分所定容積の空気量Ｂ[ｍ3／min]を必要なフィルタを介して大気に排出する大気側排出系２２０と、大気から新鮮空気を毎分所定容積の空気量Ｃ[ｍ3／min]を取込む大気吸入系２３０と、ハウジングＨｎに毎分所定容積の空気量Ｄ[ｍ3／min]を供給するハウジング空気供給系２４０を具備し、ハウジング空気排出系２１０はハウジングＨｎから毎分所定容積の空気量Ｅ[ｍ3／min]を排出すると同時にそれをハウジング空気供給系２４０に戻して循環空気とする。しかし、大気側排出系２２０がハウジングＨｎから毎分所定容積の空気量Ｂ[ｍ3／min]を大気に排出しているから、ハウジングＨｎからは毎分所定容積の空気量Ｅ＋Ｂ[ｍ3／min]だけ内部の空気が排出される。しかし、ハウジング空気供給系２４０からハウジングＨｎに毎分空気量Ｄ[ｍ3／min]を供給するが、その供給量は空気量Ｅ＋Ｃ[ｍ3／min]であり、前記毎分の各空気量Ｅ、Ｂ、Ｃ、Ｄ[ｍ3／min] はＥ−Ｂ＋Ｃ−Ｄ＞０またはＥ−Ｂ−Ｄ＞０の何れかの関係を維持し、有機廃棄物によって活性化する好気性細菌を収容したハウジングＨｎが大気圧に対して負圧とした状態で、ハウジングＨｎに供給された有機廃棄物を好気性発酵処理によって堆肥化するものである。
【０１１９】
したがって、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性を否定できる。
特に、本発明の実施の形態では、有機廃棄物の供給によって活性化する好気性細菌を収容し、上部から必要量の水を噴霧自在なハウジングＨｎから空気量Ｅ[ｍ3／min]を排出するハウジング空気排出系２１０と、ハウジングＨｎから空気量Ｂ[ｍ3／min]を必要なフィルタを介して大気に排出する大気側排出系２２０とが別系統になっているから、制御系の設計が大気側排出系２２０のみでハウジングＨｎを負圧に設定することができ、任意の制御が可能となる。
よって、生ごみ等の有機廃棄物に対する酸素供給を行っても、悪臭の洩れを生じさせない廃棄物発酵処理が可能な有機廃棄物発酵処理装置を提供できる。
【０１２０】
本実施の形態の有機廃棄物発酵処理装置において、ハウジングＨｎ全体に設けた複数個の噴射孔４６ｎは、ハウジングＨｎ内の底面に排水溝４７ｎのような溝を形成し、排水溝４７ｎのような溝の底部に隣接配設したものであるから、複数個の噴射孔４６ｎの排水溝４７ｎのような溝は、排水溝４７ｎとしての排水用溝の他、圧力調整用均圧溝として機能する溝とすることもできる。
【０１２１】
図８のソフトウエアでは、有機廃棄物発酵処理装置の全体の構成を説明したが、本発明を実施する場合には、排水処理について均圧管４３ｎを用いた廃水の場合には、図８のアルゴリズムを図１２のように変更するのが望ましい。
即ち、ステップＳ７及びステップＳ８の処理では、ステップＳ７でハウジングＨｎに詰め込んだ未発酵処理物ｂを、少なくとも、温度管理及び気圧管理をし、発酵及び熟成させる。ステップＳ８で発酵及び熟成の完了を検出するものである。この時、廃水処理を行うルーチンに所定のタイミングをタイマｔ0で監視し、例えば、数時間に１回廃水を排出する処理に入る。まず、ステップＳ７１でそのタイミングが検出されると、ステップＳ７２でハウジングＨｎに詰め込んだ未発酵処理物ｂの発酵及び熟成を中止させ、ファン４１    ｎ及びファン４２を停止させ、かつ、噴霧ノズル６６ｎからの噴霧も停止させる。そして、図９に示す均圧管４３ｎに配設された開閉バルブ付の排出口４８ｎを開とする。
【０１２２】
この未発酵処理物ｂの発酵及び熟成の中止により、ハウジングＨｎ内の水滴は、ステップＳ７３で底面に形成した排水溝４７ｎを経て、スリーブ４５の複数個の噴射孔４６ｎを介して均圧管４３ｎに集められる。それをポンプ４９ｎで吸引し、場内廃水タンク６３に回収される。
なお、本実施の形態では、数時間に１回廃水を行うと説明したが、初期の場合と発酵及び熟成が完了間際ではその条件は変更されるのが普通である。通常、１／２〜６時間に１回程度、このルーチンの処理に入る。ステップＳ７４で廃水処理時間をタイマｔ1の経過で確認し、タイマｔ1の経過するまで、この廃水処理を継続し、タイマｔ1の経過が確認されると、ポンプ４９ｎを停止させ、排出口４８ｎの開閉バルブを閉じ、ファン４１ｎ及びファン４２を動作させ、かつ、噴霧ノズル６６ｎからの噴霧も動作させ、ステップＳ７からのルーチンの処理に入る。
【０１２３】
本実施の形態のように、発酵及び熟成の途中に、廃水処理を行う場合には、格別廃水処理の構造物を有しなくとも、発酵及び熟成に使用する構成部品をそのまま使用して切り替えを行うことができるから、部品点数が少なく、ソフトウエアのみで対応が可能である。
また、ハウジングＨｎの底面を傾斜させていないので、ハウジングＨｎ内でのホイールローダー２の作業性を上げることができる。
【０１２４】
上記実施の形態の有機廃棄物発酵処理装置において、少なくとも３面以上がコンクリート製で形成されたハウジングＨｎ内の空気を排出する空気排出部３０と、空気排出部３０から排出される空気排出量（ＡまたはＥ＋Ｂ）が、ハウジングＨｎ内の大気圧以下の圧力を維持できるように、空気排出部３０から排出された室内空気の一部を循環させ、ハウジングＨｎの下面から圧縮空気を室内に噴出させる空気供給部４０と、ハウジングＨｎ上部からハウジングＨｎ内に水を噴霧する加湿部６０とを具備し、ハウジングＨｎ内に供給される有機廃棄物によって活性化する好気性細菌を付着した細菌保持木材チップｅ等の細菌保持有機体は、その嵩密度を０．３Ｋｇ／ｍ3以上、０．８Ｋｇ／ｍ3以下に調整したものである。
【０１２５】
したがって、嵩密度が０．３Ｋｇ／ｍ3未満では軽量化されているから、有機廃棄物発酵処理の処理速度は速くなる。しかし、処理対象の有機廃棄破砕物ａの量を多くすることができないから、効率的処理ができなくなり不経済な運転となる。逆に、０．８Ｋｇ／ｍ3を超える処理では、処理速度が遅くなり、効率的な処理ができなくなるばかりか、嫌気性細菌による処理が生じ、臭いの発生が伴う場合もある。よって、ハウジングＨｎ内で一体に処理される細菌保持木材チップｅ、有機廃棄破砕物ａ及び発酵処理物ｄからなる有機廃棄物は、嵩密度が０．３Ｋｇ／ｍ3以上、０．８Ｋｇ／ｍ3以下の範囲に調整されるのが好ましい運転といえる。
【０１２６】
また、上記実施の形態の有機廃棄物発酵処理装置において、少なくとも３面以上がコンクリート製で形成されたハウジングＨｎ内の空気を排出する空気排出部３０と、空気排出部３０から排出される空気排出量（ＡまたはＥ＋Ｂ）が、ハウジングＨｎ内の大気圧以下の圧力を維持できるように、空気排出部３０から排出された室内空気の一部を循環させ、ハウジングＨｎの下面から圧縮空気を前記室内に噴出させる空気供給部４０と、ハウジングＨｎ内上部からハウジングＨｎ内に水を噴霧する加湿部６０と、ハウジングＨｎ内に供給された有機廃棄物によって活性化可能となる好気性細菌を付着する有機材料からなる細菌保持木材チップｅ等の細菌保持有機体とを具備し、ハウジングＨｎ内に噴霧された加湿部６０から供給された水は、空気供給部４０の圧縮空気をハウジングＨｎ室内に噴出させる機能を停止させ、空気供給部４０から排水するものである。
したがって、ハウジングＨｎ内に噴霧された加湿部６０から供給された水は、空気供給部４０の圧縮空気をハウジングＨｎ内に噴出させる機能で使用する構成部品を介して、空気供給部４０から排水することができ、装置自身の値段を廉価にすることができる。また、ハウジングＨｎの底面を傾斜させていないので、ハウジングＨｎ内でのホイールローダー２の安全性、作業性を上げることができる。
【０１２７】
このように、上記実施の形態１及び実施の形態２の有機廃棄物発酵処理装置においては、ハウジングＨｎの下面から圧縮空気を均圧管４３ｎを介してスリーブ４５ｎの中央の噴射孔４６ｎから噴出させる空気供給部４０ｎは、空気排出部３０ｎから排出される空気排出量がハウジングＨｎの室内が大気圧以下の圧力を維持できるように、外部に排出し、また、外部から必要量の新鮮空気を加えながら循環して供給するものであるから、空気排出部３０ｎから排出する空気量と空気供給部４０ｎで供給する空気量を、空気排出部３０ｎから排出する空気量を大きく設定し、ハウジングＨｎの室内を常に負圧に設定することにより、有機廃棄物及び有機材料からなる細菌保持有機体の発酵処理中にハウジングＨｎから臭いがもれる可能性がない。
【０１２８】
本実施の形態の有機廃棄物発酵処理装置は、有機廃棄物の供給によって活性化する好気性細菌を収容し、上部から必要量の水を噴霧自在なハウジングＨｎから毎分所定容積の空気量Ｅ[ｍ3／min]を排出するハウジング空気排出系２１０と、ハウジングＨｎから毎分所定容積の空気量Ｂ[ｍ3／min]を必要なフィルタを介して大気に排出する大気側排出系２２０と、大気から新鮮空気を毎分所定容積の空気量Ｃ[ｍ3／min]を取込む大気吸入系２３０と、ハウジングＨｎに毎分所定容積の空気量Ｄ[ｍ3／min]を供給するハウジング空気供給系２４０を具備し、前記ハウジング空気供給系２４０からハウジングＨｎ内に空気を噴射する複数個の噴射孔４６ｎの総合面積がハウジング空気供給系２４０の空気供給部４０ｎの管路の断面積よりも小さく設定し、有機廃棄物によって活性化する好気性細菌を収容したハウジングＨｎ内が大気圧に対して負圧とした状態で、ハウジングＨｎ内に供給された有機廃棄物を好気性発酵処理によって堆肥化するものである。
【０１２９】
このように、ハウジング空気供給系２４０からハウジングＨｎ内に空気を噴射する複数個の噴射孔４６ｎの総合面積がハウジング空気供給系２４０の管路の断面積よりも小さく設定し、その流体抵抗が大きいからハウジング空気供給系２４０から供給される流体損失は複数個の噴射孔４６ｎで最大となる。
したがって、ハウジングＨｎの内部で未発酵処理物ｂの積載量のばらつきがあっても、噴射孔４６ｎの開口面積が一定であるから、その流体抵抗が下がることはない。未発酵処理物ｂの積載量が多いと、そこで空気の流速が遅くなるから、その部位の圧力が上昇し、未発酵処理物の浮力が大きくなり、未発酵処理物ｂの積載密度を低下させる。未発酵処理物ｂの積載量がないと、または少ないと、そこで空気の流速が速くなり、その部位の流体抵抗が大きくなるから、ハウジングＨｎ内部の未発酵処理物ｂの積載量に左右されないで有機廃棄物を好気性発酵処理によって撹拌または温度上昇させる外部エネルギをなくして堆肥化することができる。
【０１３０】
そして、ハウジングＨｎ内が常に大気圧に対して負の状態であるから、有機廃棄物を好気性発酵処理によって堆肥化処理しても、ハウジングＨｎの外に臭気が出る可能性を皆無とし、有機廃棄物発酵処理装置の特性が如何なく発揮され、ハウジングＨｎ外に臭気がでる可能性をなくすことができる。
特に、本発明の実施の形態では、ハウジングＨｎから空気量Ｅ[ｍ3／min]を排出するハウジング空気排出系２１０と、ハウジング空気排出系２１０から排出された空気量Ｅ[ｍ3／min]から空気量Ｂ[ｍ3／min]を必要なフィルタを介して大気に排出する大気側排出系Ｂとが１系統になっているから、電動機またはバルブの制御のみで大気側排出系Ｂの出力を大きくし、ハウジングＨｎを負圧に設定することができ、任意の制御が可能となる。
【０１３１】
本実施の形態の有機廃棄物発酵処理装置において、ハウジングＨｎ全体に設けた複数個の噴射孔４６ｎは、ハウジングＨｎ内の底面に排水溝４７ｎのような溝を形成し、排水溝４７ｎのような溝の底部に隣接配設したものであるから、複数個の噴射孔４６ｎの排水溝４７ｎのような溝は、排水溝４７ｎとしての排水用溝の他、圧力調整用均圧溝として機能する溝とすることもできる。
【０１３２】
図８のソフトウエアでは、有機廃棄物発酵処理装置の全体の構成を説明したが、本発明を実施する場合には、排水処理について均圧管４３ｎを用いた廃水の場合には、図８のアルゴリズムを図１２のように変更するのが望ましい。なお、図８と重複する説明を省略する。
即ち、ステップＳ７及びステップＳ８の処理では、ステップＳ７でハウジングＨｎに詰め込んだ未発酵処理物ｂを、少なくとも、温度管理及び気圧管理をし、発酵及び熟成させる。ステップＳ８で発酵及び熟成の完了を検出するものである。この時、廃水処理を行うルーチンに所定のタイミングをタイマｔ０で監視し、例えば、数時間に１回廃水を排出する処理に入る。まず、ステップＳ７１でそのタイミングが検出されると、ステップＳ７２でハウジングＨｎに詰め込んだ未発酵処理物ｂの発酵及び熟成を中止させ、ファン４１    ｎ及びファン４２を停止させ、かつ、噴霧ノズル６６ｎからの噴霧も停止させる。そして、図９に示す均圧管４３ｎに配設された開閉バルブ付の排出口４８ｎを開とする。
【０１３３】
この未発酵処理物ｂの発酵及び熟成の中止により、ハウジングＨｎ内の水滴は、ステップＳ７３で底面に形成した排水溝４７ｎを経て、スリーブ４５の複数個の噴射孔４６ｎを介して均圧管４３ｎに集められる。それをポンプ４９ｎで吸引し、場内廃水タンク６３に回収される。
なお、本実施の形態では、数時間に１回廃水を行うと説明したが、初期の場合と発酵及び熟成が完了間際ではその条件は変更されるのが普通である。通常、１／２〜６時間に１回程度、このルーチンの処理に入る。ステップＳ７４で廃水処理時間をタイマｔ１の経過で確認し、タイマｔ１の経過するまで、この廃水処理を継続し、タイマｔ１の経過が確認されると、ポンプ４９ｎを停止させ、排出口４８ｎの開閉バルブを閉じ、ファン４１ｎ及びファン４２を動作させ、かつ、噴霧ノズル６６ｎからの噴霧も動作させ、ステップＳ７からのルーチンの処理に入る。
【０１３４】
本実施の形態のように、発酵及び熟成の途中に、廃水処理を行う場合には、格別廃水処理の構造物を有しなくとも、発酵及び熟成に使用する構成部品をそのまま使用して切り替えを行うことができるから、部品点数が少なく、ソフトウエアのみで対応が可能である。
また、ハウジングＨｎの底面を傾斜させていないので、ハウジングＨｎ内でのホイールローダー２の作業性を上げることができる。
【０１３５】
上記実施の形態１及び実施の形態２の有機廃棄物発酵処理装置のハウジングＨｎ上部からハウジングＨｎの室内に向かって噴霧する加湿部６０ｎは、ハウジングＨｎの下面に傾斜を付与して余剰水を収集し、その収集した余剰水に混ざり込んだ固形物や異物をフィルタ６４で取り除き再利用するものであるから、有機廃棄物及び有機材料からなる細菌保持有機体の水分補給が繰り返し行われ、排気水として排出するものでないから、環境を汚染することがない。
【０１３６】
上記実施の形態１及び実施の形態２の有機廃棄物発酵処理装置のハウジングＨｎ上部からハウジングＨｎの室内の空気を排出する空気排出部３０ｎは、排出した空気から異物を取り除き大気に放出するものであるから、環境を汚染する可能性がない。特に、有機廃棄物及び有機材料からなる細菌保持有機体の発酵処理は、主に好気性細菌による処理であるから、臭い等を発散する恐れがない。
【０１３７】
上記実施の形態１及び実施の形態２の有機廃棄物発酵処理装置のハウジングＨｎの下面に傾斜を付与してなる余剰水の収集は、圧縮空気を噴出させる空気供給部４０ｎの管路を、所定角度の傾斜面とし、前記傾斜面の低部位置で収集することもできるから、重力のみで余剰水の収集ができ、省エネルギの装置となる。また、洗浄によってハウジングＨｎ内を清潔に保てることができ、悪臭の発生が防止できる。
例えば、図９に示すように、排出口４８ｎを付設することにより、空気供給部４０ｎの管路の圧縮空気によって余剰水を排出させることができる。このとき、空気供給部４０ｎを一時的停止してもよいが、連続運転であってもよい。
【０１３８】
上記実施の形態１及び実施の形態２の有機廃棄物発酵処理装置のハウジングＨｎの下面に傾斜を付与してなる余剰水の収集は、前記圧縮空気を噴出させる空気供給部４０ｎの風路を形成する下面を所定の傾斜面とし、前記傾斜面の低部位置で収集するものであるから、重力のみで余剰水の収集ができ、省エネルギの装置となる。また、洗浄によってハウジングＨｎ内を清潔に保てることができ、悪臭の発生が防止できる。そして、作業車及び作業者の動きが、空気供給部４０ｎの風路を形成する下面を所定の傾斜面によって左右されることがない。
【０１３９】
上記実施の形態１及び実施の形態２の有機廃棄物発酵処理装置は、室内と室外の空気流を遮断できる少なくとも３面以上がコンクリート製で形成されたハウジングＨｎの下面から圧縮空気を噴出させ、ハウジングＨｎ上部からハウジングＨｎ内の空気を排出し、また、ハウジングＨｎ内の下部に配置された好気性細菌が少なくとも冬眠可能であり、そして、ハウジングＨｎ内に供給された有機廃棄物によって活性化可能となる好気性細菌を付着する有機材料からなる有機廃棄破砕物ａ及び／または発酵処理物ｄからなる未発酵処理物ｂ、及び／または細菌保持木材チップｅからなる細菌保持有機体に向かって、ハウジングＨｎの上部の加湿部６０ｎから必要量の水を噴霧するものである。
【０１４０】
したがって、上記実施の形態１及び実施の形態２の有機廃棄物発酵処理装置は、コンクリート製のハウジングＨｎの上部のから所定の空気を排出し、ハウジングＨｎの室内の大気圧以下の圧力を維持できるようにして、ハウジングＨｎの下面から圧縮空気を噴出させる。このとき、ハウジングＨｎの室内の下部に配置された細菌保持有機体の好気性細菌が少なくとも冬眠可能であり、ハウジングＨｎの室内に供給された有機廃棄物及び好気性細菌を付着する細菌保持有機体に対して、加湿部６０ｎによってハウジングＨｎの上部からハウジングＨｎの室内に向かって噴霧し、その水分によって好気性細菌が活性化される。好気性細菌によって有機廃棄物及び有機材料からなる細菌保持有機体が活性化されると、まず、好気性細菌が糖、脂質を酸化してエネルギを出すから、有機廃棄物及び有機材料からなる細菌保持有機体が高温度となり、より活性化される。また、好気性細菌はハウジングＨｎの下面からの圧縮空気で浮上し、上部にある有機廃棄物に付着し、加湿部６０ｎからの室内噴霧により落とされ、有機廃棄物に再度付着することになる。また、水滴により、好気性細菌を上から下に移動させることにもなり、効率の良い発酵処理が可能となる。
【０１４１】
このように、好気性細菌によって有機廃棄物及び有機材料からなる有機廃棄破砕物ａ及び／または発酵処理物ｄからなる未発酵処理物ｂ、及び／または細菌保持木材チップｅからなる細菌保持有機体は、ハウジングＨｎの下面から圧縮空気を噴出させるものであるから、有機廃棄物及び有機材料からなる有機廃棄破砕物ａ及び／または発酵処理物ｄからなる未発酵処理物ｂ、及び／または細菌保持木材チップｅからなる細菌保持有機体に対して下方からの風圧を受け、浮力が生じ、空気の通り道を形成するから、生ごみを攪拌することなく生ごみに対する酸素供給の均等化と、生ごみ発酵による加熱された生ごみの偏在を防止することができ、廃棄物発酵処理が可能となる。
【０１４２】
上記実施の形態１及び実施の形態２の有機廃棄物発酵処理装置のハウジングＨｎの下面からの圧縮空気の噴出は、空気排出部３０ｎから排出される空気排出量がハウジングＨｎの室内の大気圧以下の圧力を維持できるように、外部に室内空気を排出し、同時に、外部から必要量の新鮮空気を加えながら供給するものであるから、自然に廃棄物発酵処理に必要な空気が欠乏したとき、その不足分の空気のみを補充することになるから、環境に対して空気汚染することがない。
【０１４３】
上記実施の形態１及び実施の形態２の有機廃棄物発酵処理装置のハウジングＨｎ上部からハウジングＨｎの室内の下面に向かって噴霧する水は、ハウジングＨｎの下面に傾斜を付与して余剰水を収集し、その収集した余剰水に混ざり込んだ固形物や異物を取り除き再利用するものであるから、自然に廃棄物発酵処理に必要な水分がなくなり、その不足分の水分のみを補充することになるから、環境に対して水質汚染することがない。
【０１４４】
上記実施の形態１及び実施の形態２の有機廃棄物発酵処理装置のハウジングＨｎの上部からの空気の排出は、排出した空気から異物を取り除き大気に放出するものであるから、環境を汚染する可能性がない。特に、有機廃棄物及び有機材料からなる細菌保持有機体の発酵処理は、主に好気性細菌による処理であるから、臭い等を発散する恐れがない。
【０１４５】
上記実施の形態１及び実施の形態２の有機廃棄物発酵処理装置のハウジングＨｎの下面に傾斜を付与してなる余剰水の収集は、前記圧縮空気を噴出させる空気供給部４０ｎを除く面を、所定角度の傾斜面とし、前記傾斜面の低部位置で収集するものであるから、重力のみで余剰水の収集ができ、省エネルギの装置となる。また、洗浄によってハウジングＨｎ内を清潔に保てることができ、悪臭の発生が防止できる。
【０１４６】
上記実施の形態１及び実施の形態２の有機廃棄物発酵処理装置のハウジングＨｎの下面に傾斜を付与してなる余剰水の収集は、前記圧縮空気を噴出させる空気供給部４０ｎの風路を形成する下面を所定の傾斜面とし、前記傾斜面の低部位置で収集するものであるから、重力のみで余剰水の収集ができ、省エネルギの装置となる。また、洗浄によってハウジングＨｎ内を清潔に保てることができ、悪臭の発生が防止できる。そして、作業車及び作業者の動きが、空気供給部４０ｎの風路を形成する下面を所定の傾斜面によって左右されることがない。
【０１４７】
上記実施の形態１及び実施の形態２の有機廃棄物発酵処理装置では、ハウジングＨｎの上部からハウジングＨｎ内の空気を排出する空気排出部３０ｎと、空気排出部３０ｎから排出される空気排出量が、ハウジングＨｎ内の大気圧以下の圧力を維持できるように、空気排出部３０ｎから排出された室内空気の一部を循環させ、ハウジングＨｎの下面から圧縮空気を室内に噴出させる空気供給部４０ｎとして、ハウジングＨｎ内の空気を排出する空気排出部３０ｎの空気量は、空気排出部３０ｎで排出した一部の空気量と大気導入路２０を介して導入した空気供給部４０ｎの室内に噴射する空気量の和よりも大きくする事例を説明した。
【０１４８】
しかし、本発明を実施する場合には、ハウジングＨｎ内の空気を排出する空気排出部３０ｎの空気量と、空気排出部３０ｎで排出した全空気量と大気導入路２０を介して導入した空気供給部４０ｎの室内に噴射する空気量の和を一致させることもできる。但し、この実施の形態では、ハウジングＨｎ内の空気を排出する第２空気排出部が必要となる。
何れにせよ、ハウジングＨｎ内の空気圧を負にして運転するには、ハウジングＨｎ内の空気を排出する空気排出部３０ｎの総空気量は、空気排出部３０ｎで排出した一部の空気量と大気導入路２０を介して導入した空気供給部４０ｎの室内に噴射する空気量の和よりも大きくするという要件が必要である。
【０１４９】
ハウジング空気供給系２４０の空気供給部４０ｎは、ハウジングＨｎ内の下面から圧縮空気を噴出させる供給管路の構成であり、ハウジングＨｎに毎分所定容積の空気量Ｄ[ｍ3／min]を供給する。しかも、均圧管４３ｎに配設したスリーブ４５ｎは、ハウジングＨｎ及びハウジング空気排出系２１０及びハウジング空気供給系２４０の空気の循環系で、流体抵抗が最大なものとし、この循環系ではスリーブ４５ｎに最大流体損失が発生するようにしている。
しかし、図１０に示すスリーブ４５ｎは、スリーブ４５ｎの中央に設けた噴射孔４６ｎがテーパ−になっており、流体抵抗が徐々に大きくなるので、更に最大流体損失箇所を特定するには、図１１に示すように、釣鐘状の噴射孔４６ｎとするのが望ましい。
【０１５０】
何れにせよ、ハウジング空気排出系２００またはハウジング空気排出系２１０の循環系のハウジングＨｎから排出されハウジング空気供給系２４０側に循環される。簡単化すると、ハウジング空気排出系２００またはハウジング空気排出系２１０とハウジング空気供給系２４０は、所定の流体抵抗を有し、その流体損失は最小に設定されている。ハウジングＨｎは、有機廃棄物及び有機材料からなる有機廃棄破砕物ａ、発酵処理物ｄ及び細菌保持木材チップｅとを混合してなる未発酵処理物ｂは、好気性細菌によって廃棄物発酵処理されるが、このとき、廃棄物発酵処理される有機廃棄破砕物ａ及び発酵処理物ｄ及び細菌保持木材チップｅとを混合してなる未発酵処理物ｂの密度は低く、その流体抵抗は低くなっている。
【０１５１】
上記実施の形態１の有機廃棄物発酵処理装置では、ハウジング空気排出系２００とハウジング空気供給系２４０は、単位面積当たりの流速が同じと仮定し、かつ、流体抵抗が均一とすると、ハウジング空気排出系２００の供給管路の断面は、ハウジング空気供給系２４０の方が細くなってもよいことになる。しかし、通常は、ハウジング空気排出系２００とハウジング空気供給系２４０は同じ太さに設計される。また、前述のように、廃棄物発酵処理される有機廃棄破砕物ａ及び発酵処理物ｄ及び細菌保持木材チップｅとを混合してなる未発酵処理物ｂの密度は低く、その流体抵抗は低くなっているから、ハウジングＨｎの流体抵抗は最小である。
【０１５２】
ここで最大の流体抵抗を有する均圧管４３ｎに配設したスリーブ４５ｎは、循環系においてスリーブ４５ｎに最大流体損失が発生するようにしたものであるから、安定状態では、スリーブ４５ｎの噴射孔４６ｎの総合面積及びその流速の積は、ハウジング空気供給系２４０の断面積及びその流速の積に等しくなる。一方、ハウジングＨｎでは断面積が非常に広く及びその流速の積がハウジング空気供給系２４０の断面積及びその流速の積に等しいとすると、スリーブ４５ｎの噴射孔４６ｎでは最大の吹き出しの流速が得られる。
【０１５３】
スリーブ４５ｎの噴射孔４６ｎからは直接的には、最大の吹き出しの流速が得られ、同時に、ハウジングＨｎの底面に形成された排水溝４７ｎによって、スリーブ４５ｎの中央の噴射孔４６ｎから噴射される圧力を均圧化してハウジングＨｎの下部の排水溝４７ｎが吹き出し口となる。したがって、スリーブ４５ｎの噴射孔４６ｎ開口面積が一定であるから、スリーブ４５ｎの噴射孔４６ｎからは直接的な噴射が得られる。また、未発酵処理物ｂの積載量が多いと、そこで空気の流速が遅くなるから、その部位の圧力が上昇し、未発酵処理物ｂの浮力が大きくなり、未発酵処理物ｂの積載密度を低下させる。
また、ハウジングＨｎの底面に形成された排水溝４７ｎが水切りとして機能し、最下部に位置する未発酵処理物ｂが好気性細菌以外の細菌、例えば、嫌気性細菌等により未発酵処理物ｂが処理され、臭いが発生するという事態を回避できる。
【０１５４】
ハウジングＨｎの内部で未発酵処理物ｂの積載量のばらつきがあっても、スリーブ４５ｎの噴射孔４６ｎ開口面積が一定であるから、その流体抵抗が下がることはない。未発酵処理物ｂの積載量が多いと、そこで空気の流速が遅くなるから、その部位の圧力が上昇し、未発酵処理物ｂの浮力が大きくなり、未発酵処理物ｂの積載密度を低下させる。未発酵処理物ｂの積載量がないとまたは少ないと、そこで空気の流速が速くなり、その部位の流体抵抗が大きくなるから、負荷の増加と同様の作用をすることになる。
【０１５５】
上記実施の形態１及び実施の形態２の有機廃棄物発酵処理装置の前記ハウジングの下面に傾斜を付与してなる余剰水の収集は、前記圧縮空気を噴出させる空気供給部を除く面を、所定角度の傾斜面とし、前記傾斜面の低部位置で収集するものである。
ここで、前記圧縮空気を噴出させる空気供給部を除く面とは、前記圧縮空気を噴出させる部位以外の面を意味し、その面の全面または一部の面とすることができる。
【０１５６】
上記実施の形態１及び実施の形態２の有機廃棄物発酵処理装置における前記ハウジングの下面に傾斜を付与してなる余剰水の収集は、前記圧縮空気を噴出させる空気供給部を除く面を、所定角度の傾斜面とし、前記傾斜面の低部位置で収集するものであるから、重力のみで余剰水の収集ができ、省エネルギの装置となる。また、洗浄によって前記ハウジング内を清潔に保てることができ、悪臭の発生が防止できる。
【０１５７】
上記実施の形態１及び実施の形態２の有機廃棄物発酵処理装置の前記ハウジングの下面に傾斜を付与してなる余剰水の収集は、前記圧縮空気を噴出させる空気供給部の風路を形成する下面を所定の傾斜面とし、前記傾斜面の低部位置で収集するものである。
ここで、前記圧縮空気を噴出させる空気供給部の風路を形成する下面とは、前記圧縮空気を噴出させる前記ハウジングの下面の部分ではなく、その風路を形成する下面を意味する。
【０１５８】
上記実施の形態１及び実施の形態２の有機廃棄物発酵処理装置における前記ハウジングの下面に傾斜を付与してなる余剰水の収集は、前記圧縮空気を噴出させる空気供給部の風路を形成する下面を所定の傾斜面とし、前記傾斜面の低部位置で収集するものであるから、重力のみで余剰水の収集ができ、省エネルギの装置となる。また、洗浄によって前記ハウジング内を清潔に保てることができ、悪臭の発生が防止できる。そして、作業車及び作業者の動きが、空気供給部の風路を形成する下面を所定の傾斜面によって左右されることがない。
【０１５９】
上記実施の形態１及び実施の形態２の有機廃棄物発酵処理方法の前記ハウジングの下面に傾斜を付与してなる余剰水の収集は、前記圧縮空気を噴出させる空気供給部を除く面を、所定角度の傾斜面とし、前記傾斜面の低部位置で収集するものである。
ここで、前記圧縮空気を噴出させる空気供給部を除く面とは、前記圧縮空気を噴出させる部位以外の面を意味し、その面の全面または一部の面とすることができる。
【０１６０】
上記実施の形態１及び実施の形態２の有機廃棄物発酵処理方法における前記ハウジングの下面に傾斜を付与してなる余剰水の収集は、前記圧縮空気を噴出させる空気供給部を除く面を、所定角度の傾斜面とし、前記傾斜面の低部位置で収集するものであるから、重力のみで余剰水の収集ができ、省エネルギの装置となる。また、洗浄によって前記ハウジング内を清潔に保てることができ、悪臭の発生が防止できる。
【０１６１】
上記実施の形態１及び実施の形態２の有機廃棄物発酵処理方法の前記ハウジングの下面に傾斜を付与してなる余剰水の収集は、前記圧縮空気を噴出させる空気供給部の風路を形成する下面を所定の傾斜面とし、前記傾斜面の低部位置で収集するものである。
ここで、前記圧縮空気を噴出させる空気供給部の風路を形成する下面とは、前記圧縮空気を噴出させる前記ハウジングの下面の部分ではなく、その風路を形成する下面を意味する。
【０１６２】
上記実施の形態１及び実施の形態２の有機廃棄物発酵処理方法の前記ハウジングの下面に傾斜を付与してなる余剰水の収集は、前記圧縮空気を噴出させる空気供給部の風路を形成する下面を所定の傾斜面とし、前記傾斜面の低部位置で収集するものであるから、重力のみで余剰水の収集ができ、省エネルギの装置となる。また、洗浄によって前記ハウジング内を清潔に保てることができ、悪臭の発生が防止できる。そして、作業車及び作業者の動きが、空気供給部の風路を形成する下面を所定の傾斜面によって左右されることがない。
【符号の説明】
【０１６３】
ａ    有機廃棄破砕物
ｂ    未発酵処理物
ｄ    発酵処理物
ｅ    細菌保持木材チップ
ｆ    収集金属類
ｇ    廃プラスチック処理物
Ｈｎ，Ｈ１，・・・，Ｈ６    ハウジング
４      破砕機
５      混合機
７      選別機
１０    スクラバー装置
１２    バイオフィルタ
１５    熟成床
３０    空気排出部
３１    吸引口
３２    ダクト
４０    空気供給部
４１    ファン（ブロワー）
４２    ファン（ブロワー）
４５    スリーブ
４３    均圧管
５０    搬入搬出口
５１    扉
６０    加湿部
６１    加圧水路
６２    ポンプ
６６    噴霧ノズル
７０    排水溝
２００    ハウジング空気排出系
２１０    ハウジング空気排出系
２２０    大気側排出系
２３０    大気吸入系
２４０    ハウジング空気供給系
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
室内と室外の空気流を遮断でき、前記室内温度を制御自在とした少なくとも３面以上がコンクリート製で形成されたハウジングと、
前記ハウジング上部から前記ハウジング内の空気を排出する空気排出部と、
前記空気排出部から排出される空気排出量が、前記ハウジング内の大気圧以下の圧力を維持できるように、前記空気排出部から排出された室内空気の一部を循環させ、また、外部から必要量の新鮮な空気を加え、前記ハウジングの下面から圧縮空気を前記室内に噴出させる空気供給部と、
前記ハウジング上部から前記ハウジング内に水を噴霧する加湿部と、
前記ハウジング下部に配置され、少なくとも乾燥状態で冬眠可能であり、また、前記ハウジング内に供給された有機廃棄物によって湿度が上昇すると活性化可能となる好気性細菌を付着する有機材料からなる細菌保持有機体と
を具備し、
前記空気供給部は、前記加湿部から噴霧された水滴の余剰水を収集する溝が前記ハウジングの底面に形成されると共に、前記溝の底部に前記圧縮空気を噴出させる複数の噴射孔が隣接配設され、また、前記ハウジングの底部に均圧管が埋設されると共に、前記均圧管に形成された複数の円孔にスリーブが配設され、前記スリーブの中央に前記噴射孔が形成されており、前記複数個の噴射孔の総合面積が前記均圧管の管路の断面積よりも小さく設定された前記複数個の噴射孔から前記圧縮空気を前記室内に噴出させることを特徴とする有機廃棄物発酵処理装置。
【請求項２】
前記ハウジング上部から前記ハウジング内の下面に向かって噴霧する加湿部は、前記ハウジングの下面に傾斜を付与して余剰水を収集し、その収集した余剰水に混ざり込んだ固形物や異物を取り除くフィルタを介して繰り返し再使用することを特徴とする請求項１に記載の有機廃棄物発酵処理装置。
【請求項３】
前記ハウジング上部から前記ハウジング内の空気を排出する空気排出部は、排出した空気から異物を取り除き大気に放出することを特徴とする請求項１または請求項２に記載の有機廃棄物発酵処理装置。
【請求項４】
室内と室外の空気流を遮断でき、前記室内温度を制御自在とした少なくとも３面以上がコンクリート製で形成されたハウジングの底部に均圧管が埋設されると共に、前記均圧管に形成された複数の円孔にスリーブが配設され、前記スリーブの中央に噴射孔が形成されており、前記ハウジングの下面であって前記ハウジングの底面に形成した溝の底部に隣接配設された総合面積が前記均圧管の管路の断面積よりも小さい設定の複数個の前記噴射孔から圧縮空気を前記室内に噴出させ、前記ハウジング内が大気圧以下の圧力を維持できるように、前記ハウジング上部から前記ハウジング内の空気を排出して、前記室内空気の一部を用いて、また、外部から必要量の新鮮な空気を加え、前記室内空気を循環させ、
また、前記ハウジング下部に配置された好気性細菌が少なくとも冬眠可能であり、そして、前記ハウジング内に供給された有機廃棄物によって活性化可能となる好気性細菌を付着する有機材料からなる細菌保持有機体に、前記ハウジング上部の加湿部から必要量の水を噴霧し、前記加湿部から噴霧された水滴の余剰水を前記ハウジングの底面に形成された前記溝で収集することを特徴とする有機廃棄物発酵処理方法。
【請求項５】
前記ハウジング上部から前記ハウジング内の下面に向かって噴霧する水は、前記ハウジングの下面に傾斜を付与して余剰水を収集し、その収集した余剰水に混ざり込んだ固形物や異物を取り除くフィルタを介して再利用することを特徴とする請求項４に記載の有機廃棄物発酵処理方法。
【請求項６】
前記ハウジング上部からの空気の排出は、排出した空気をガス洗浄及びバイオフィルタを介して異物を取り除き大気に放出することを特徴とする請求項４または請求項５に記載の有機廃棄物発酵処理方法。